(57)【要約】【課題】本発明は、データ伝送インジケーション方法、アクセスポイント、及び端末を提供する。【解決手段】方法は、アクセスポイントにより、直交周波数分割多元接続ＯＦＤＭＡ物理層シグナリングを端末に送信することを含み、ここで、ＯＦＤＭＡ物理層シグナリングは、端末に対して割り振られたサブチャネルを端末に示すために使用され、それにより、端末はＯＦＤＭＡ物理層シグナリングに従って端末に対応するサブチャネルを判定し、ここで、ＯＦＤＭＡ物理層シグナリングは、端末の識別子、及び端末の識別子に対応するサブチャネル情報を含む。本発明の実施形態で提供される方法において、アクセスポイントがＯＦＤＭＡ物理層シグナリングに従って各端末に対してサブチャネルを割り振る方式は、アクセスポイントがより多くの端末に対してサブチャネルを示すことを可能にし、すなわち、アクセスポイントがサブチャネルを示す端末の数は制限されない。【選択図】図１
2020182238.tif 000002
【特許請求の範囲】
【請求項１】
データ伝送インジケーション方法であって、
アクセスポイントにより、直交周波数分割多元接続（ＯＦＤＭＡ）物理層シグナリングを端末に送信するステップであって、前記ＯＦＤＭＡ物理層シグナリングは、前記端末に対して割り振られたサブチャネルを前記端末に示すために使用され、それにより、前記端末は前記ＯＦＤＭＡ物理層シグナリングに従って前記端末に対応する前記サブチャネルを判定し、前記ＯＦＤＭＡ物理層シグナリングは、前記端末の識別子、及び前記端末の前記識別子に対応するサブチャネル情報を含む、ステップを含む方法。
【請求項２】
前記端末の前記識別子は、１つ又は複数の端末グループの識別子であり、各端末グループは、少なくとも１つの端末を含み、前記サブチャネル情報は、アップリンクサブチャネル又はダウンリンクサブチャネル又はアップリンク及びダウンリンク双方向サブチャネルを含み、その場合に、前記端末に対して割り振られたサブチャネルを前記端末に示すために使用されている前記ＯＦＤＭＡ物理層シグナリングは、
各端末グループに、前記割り振られたサブチャネルがアップリンクサブチャネル又はダウンリンクサブチャネル又はアップリンク及びダウンリンク双方向サブチャネルであることを示すために使用されている前記ＯＦＤＭＡ物理層シグナリングを含み、前記端末グループ及び前記サブチャネルは一対一の対応関係にある請求項１に記載の方法。
【請求項３】
アクセスポイントにより、直交周波数分割多元接続（ＯＦＤＭＡ）物理層シグナリングを端末に送信する前記ステップは、
前記アクセスポイントにより、直交周波数分割多重化（ＯＦＤＭ）プリアンブルを前記端末に送信するステップであって、前記ＯＦＤＭプリアンブルは、前記ＯＦＤＭＡ物理層シグナリングを運ぶ、ステップ、又は
前記アクセスポイントにより、ヌルデータパケットアナウンスメント（ＮＤＰＡ）フレームを前記端末に送信するステップであって、前記ＮＤＰＡフレームは、前記ＯＦＤＭＡ物理層シグナリングを運ぶ、ステップを含む請求項１又は２に記載の方法。
【請求項４】
前記ＯＦＤＭＡ物理層シグナリングは、ダウンリンクＯＦＤＭＡデータ情報を受信するために前記端末に割り振られたサブチャネルを前記端末に示すために使用され、その場合に、アクセスポイントにより、直交周波数分割多元接続（ＯＦＤＭＡ）物理層シグナリングを端末に送信する前記ステップの後に、当該方法は、
前記アクセスポイントにより、ＯＦＤＭＡモードにおいて前記端末に対応する前記サブチャネル上でダウンリンクＯＦＤＭＡデータ情報を送信するステップであって、前記ダウンリンクＯＦＤＭＡデータ情報は、ＯＦＤＭＡプリアンブル及びＯＦＤＭＡデータを含む請求項１から３のいずれか一項に記載の方法。
【請求項５】
前記ＯＦＤＭＡ物理層シグナリング又は前記ダウンリンクＯＦＤＭＡデータ情報は、ＯＦＤＭＡ確認応答（ＡＣＫ）要求又はＯＦＤＭＡブロック確認応答（ＢＡ）要求を運び、前記ＯＦＤＭＡ  ＡＣＫ要求又は前記ＯＦＤＭＡ  ＢＡ要求は、前記ＯＦＤＭＡモードにおいてＡＣＫ応答又はＢＡ応答を前記アクセスポイントに送信するように前記端末に指示するために使用され、その場合に、前記ＯＦＤＭＡ物理層シグナリングは、前記端末に対応し、前記ＡＣＫ応答又は前記ＢＡ応答が前記アクセスポイントに送信されるとともに、前記端末に対して割り振られた前記サブチャネルを示すためにさらに使用され、その場合に、前記アクセスポイントにより、ＯＦＤＭＡモードにおいて前記端末に対応する前記サブチャネル上でダウンリンクＯＦＤＭＡデータ情報を送信する前記ステップの後に、当該方法は、
前記アクセスポイントにより、前記ＯＦＤＭＡモードにおいて前記端末に対応する前記サブチャネル上で前記端末によって送信された前記ＡＣＫ応答又は前記ＢＡ応答を受信するステップをさらに含む請求項４に記載の方法。
【請求項６】
前記ＯＦＤＭＡ物理層シグナリングは、前記端末に対応し、前記ＡＣＫ応答又は前記ＢＡ応答が前記アクセスポイントに送信されるとともに、前記端末に対して割り振られた前記サブチャネルを示すために使用され、その場合に、前記アクセスポイントにより、前記端末に対応する前記サブチャネル上でダウンリンクＯＦＤＭＡデータ情報を送信する前記ステップの後に、当該方法は、
前記アクセスポイントにより、ＡＣＫ要求フレーム又はＢＡ要求フレームを前記端末に送信するステップであって、前記ＡＣＫ要求フレーム又は前記ＢＡ要求フレームは専用情報ビットを含み、前記専用情報ビットは、前記ＯＦＤＭＡモードにおいて前記ＡＣＫ応答又は前記ＢＡ応答を前記アクセスポイントに送信するように前記端末に指示するために使用される、ステップと、
前記アクセスポイントにより、前記ＯＦＤＭＡモードにおいて前記対応するサブチャネル上で前記端末によって送信された前記ＡＣＫ応答又は前記ＢＡ応答を受信するステップとをさらに含む請求項５に記載の方法。
【請求項７】
前記ＯＦＤＭＡ物理層シグナリングは、前記端末に対応し、前記ＡＣＫ応答又は前記ＢＡ応答が前記アクセスポイントに送信されるとともに、前記端末に対して割り振られた前記サブチャネルを前記端末に示すために使用され、その場合に、アクセスポイントにより、直交周波数分割多元接続（ＯＦＤＭＡ）物理層シグナリングを端末に送信する前記ステップは、
前記アクセスポイントにより、ＭＵ−ＭＩＭＯモードにおいてＭＵ−ＭＩＭＯデータ情報を前記端末に送信するステップと、
前記アクセスポイントにより、ＡＣＫ要求フレーム又はＢＡ要求フレームを前記端末に送信するステップであって、前記ＡＣＫ要求フレーム又は前記ＢＡ要求フレームは専用情報ビットを含み、前記専用情報ビットは、ＯＦＤＭＡモードにおいて前記ＡＣＫ応答又は前記ＢＡ応答を前記アクセスポイントに送信するように前記端末に指示するために使用される、ステップとを含み、
前記ＯＦＤＭＡ物理層シグナリングは、前記ＭＵ−ＭＩＭＯデータ情報、前記ＡＣＫ要求フレーム、及び前記ＢＡ要求フレームのうちの少なくとも１つで運ばれ、
その場合に、アクセスポイントにより、直交周波数分割多元接続（ＯＦＤＭＡ）物理層シグナリングを端末に送信するステップの後に、当該方法は、
前記アクセスポイントにより、前記ＯＦＤＭＡモードにおいて前記端末に対応する前記サブチャネル上で前記端末によって送信された前記ＡＣＫ応答又は前記ＢＡ応答を受信するステップをさらに含む請求項５に記載の方法。
【請求項８】
前記ＯＦＤＭＡ物理層シグナリングは、前記端末に対応し、前記ＡＣＫ応答又は前記ＢＡ応答が前記アクセスポイントに送信されるとともに、前記端末に対して割り振られた前記サブチャネルを前記端末に示すために使用され、アクセスポイントにより、直交周波数分割多元接続（ＯＦＤＭＡ）物理層シグナリングを端末に送信する前記ステップの後に、当該方法は、
前記アクセスポイントにより、ＯＦＤＭＡ＋ＭＵ−ＭＩＭＯモードにおいて前記端末に対応するサブチャネル上でＯＦＤＭＡ＋ＭＵ−ＭＩＭＯデータ情報を前記端末に送信するステップと、
前記アクセスポイントにより、ＡＣＫ要求フレーム又はＢＡ要求フレームを前記端末に送信するステップであって、前記ＡＣＫ要求フレーム又は前記ＢＡ要求フレームは専用情報ビットを含み、前記専用情報ビットは、ＯＦＤＭＡモードにおいて前記ＡＣＫ応答又は前記ＢＡ応答を前記アクセスポイントに送信するように前記端末に指示するために使用される、ステップと、
前記アクセスポイントにより、前記ＯＦＤＭＡモードにおいて前記対応するサブチャネル上で前記端末によって送信された前記ＡＣＫ応答又は前記ＢＡ応答を受信するステップとをさらに含む請求項５に記載の方法。
【請求項９】
前記ＯＦＤＭＡ物理層シグナリングは、前記端末に対応し、アップリンクＯＦＤＭＡデータ情報が前記アクセスポイントに送信されるとともに、前記端末に対して割り振られた前記サブチャネルを前記端末に示すために使用され、その場合に、アクセスポイントにより、直交周波数分割多元接続（ＯＦＤＭＡ）物理層シグナリングを端末に送信する前記ステップの前に、当該方法は、
前記アクセスポイントにより、前記端末によって送信されたアップリンク伝送フレームを受信するステップをさらに含み、
その場合に、アクセスポイントにより、直交周波数分割多元接続（ＯＦＤＭＡ）物理層シグナリングを端末に送信する前記ステップの後に、当該方法は、
前記アクセスポイントにより、ＯＦＤＭＡモードにおいて前記対応するサブチャネル上で前記端末によって送信された前記アップリンクＯＦＤＭＡデータ情報を受信するステップをさらに含む請求項１から３のいずれか一項に記載の方法。
【請求項１０】
前記アップリンクＯＦＤＭＡデータ情報は、ＯＦＤＭＡ  ＡＣＫ要求又はＯＦＤＭＡ  ＢＡ要求を運び、前記ＯＦＤＭＡ  ＡＣＫ要求又は前記ＯＦＤＭＡ  ＢＡ要求は、前記ＯＦＤＭＡモードにおいてＡＣＫ応答又はＢＡ応答を前記端末に送信するように前記アクセスポイントに指示するためにさらに使用され、その場合に、前記アクセスポイントにより、前記対応するサブチャネル上で前記端末によって送信された前記アップリンクＯＦＤＭＡデータ情報を受信する前記ステップの後に、当該方法は、
前記アクセスポイントにより、前記ＯＦＤＭＡモードにおいて前記端末に対応する前記サブチャネル上で前記アップリンクＯＦＤＭＡデータ情報に対応する前記ＡＣＫ応答又は前記ＢＡ応答を送信するステップをさらに含む請求項９に記載の方法。
【請求項１１】
アクセスポイントであって、
直交周波数分割多元接続（ＯＦＤＭＡ）物理層シグナリングを端末に送信するように構成された送信モジュールであって、前記ＯＦＤＭＡ物理層シグナリングは、前記端末に対して割り振られたサブチャネルを前記端末に示すために使用され、それにより、前記端末は前記ＯＦＤＭＡ物理層シグナリングに従って前記端末に対応する前記サブチャネルを判定し、前記ＯＦＤＭＡ物理層シグナリングは、前記端末の識別子、及び前記端末の前記識別子に対応するサブチャネル情報を含む、送信モジュールを備えるアクセスポイント。
【請求項１２】
前記端末の前記識別子は、１つ又は複数の端末グループの識別子であり、各端末グループは、少なくとも１つの端末を含み、前記サブチャネル情報は、アップリンクサブチャネル又はダウンリンクサブチャネル又はアップリンク及びダウンリンク双方向サブチャネルを含み、その場合に、前記端末に対して割り振られたサブチャネルを前記端末に示すために使用されている前記ＯＦＤＭＡ物理層シグナリングは、
各端末グループに、前記割り振られたサブチャネルがアップリンクサブチャネル又はダウンリンクサブチャネル又はアップリンク及びダウンリンク双方向サブチャネルであることを示すために使用されている前記ＯＦＤＭＡ物理層シグナリングを含み、前記端末グループ及び前記サブチャネルは一対一の対応関係にある請求項１１に記載のアクセスポイント。
【請求項１３】
前記送信モジュールは、直交周波数分割多重化（ＯＦＤＭ）プリアンブルを前記端末に送信し、前記ＯＦＤＭプリアンブルは、前記ＯＦＤＭＡ物理層シグナリングを運ぶ、ように構成されるか、又はヌルデータパケットアナウンスメント（ＮＤＰＡ）フレームを前記端末に送信し、前記ＮＤＰＡフレームは、前記ＯＦＤＭＡ物理層シグナリングを運ぶ、ように構成される請求項１１又は１２に記載のアクセスポイント。
【請求項１４】
前記ＯＦＤＭＡ物理層シグナリングは、ダウンリンクＯＦＤＭＡデータ情報を受信するために前記端末に割り振られたサブチャネルを前記端末に示すために使用され、その場合に、前記送信モジュールは、前記直交周波数分割多元接続（ＯＦＤＭＡ）物理層シグナリングが前記端末に送信された後に、ＯＦＤＭＡモードにおいて前記端末に対応する前記サブチャネル上でダウンリンクＯＦＤＭＡデータ情報を送信し、前記ダウンリンクＯＦＤＭＡデータ情報は、ＯＦＤＭＡプリアンブル及びＯＦＤＭＡデータを含む、ようにさらに構成される請求項１１から１３のいずれか一項に記載のアクセスポイント。
【請求項１５】
前記ＯＦＤＭＡ物理層シグナリング又は前記ダウンリンクＯＦＤＭＡデータ情報は、ＯＦＤＭＡ確認応答（ＡＣＫ）要求又はＯＦＤＭＡブロック確認応答（ＢＡ）要求を運び、前記ＯＦＤＭＡ  ＡＣＫ要求又は前記ＯＦＤＭＡ  ＢＡ要求は、前記ＯＦＤＭＡモードにおいてＡＣＫ応答又はＢＡ応答を前記アクセスポイントに送信するように前記端末に指示するために使用され、その場合に、前記ＯＦＤＭＡ物理層シグナリングは、前記端末に対応し、前記ＡＣＫ応答又は前記ＢＡ応答が前記アクセスポイントに送信されるとともに、前記端末に対して割り振られた前記サブチャネルを示すためにさらに使用され、その場合に、当該アクセスポイントは、
前記送信モジュールが前記ＯＦＤＭＡモードにおいて前記端末に対応する前記サブチャネル上で前記ダウンリンクＯＦＤＭＡデータ情報を送信した後に、前記ＯＦＤＭＡモードにおいて前記端末に対応する前記サブチャネル上で前記端末によって送信された前記ＡＣＫ応答又は前記ＢＡ応答を受信するように構成された受信モジュールをさらに備える請求項１４に記載のアクセスポイント。
【請求項１６】
前記ＯＦＤＭＡ物理層シグナリングは、前記端末に対応し、前記ＡＣＫ応答又は前記ＢＡ応答が前記アクセスポイントに送信されるとともに、前記端末に対して割り振られた前記サブチャネルを示すために使用され、その場合に、前記送信モジュールは、前記ダウンリンクＯＦＤＭＡデータ情報が前記端末に対応する前記サブチャネル上で送信された後に、ＡＣＫ要求フレーム又はＢＡ要求フレームを前記端末に送信し、前記ＡＣＫ要求フレーム又は前記ＢＡ要求フレームは専用情報ビットを含み、前記専用情報ビットは、前記ＯＦＤＭＡモードにおいて前記ＡＣＫ応答又は前記ＢＡ応答を前記アクセスポイントに送信するように前記端末に指示するために使用される、ようにさらに構成され、
前記受信モジュールは、前記ＯＦＤＭＡモードにおいて前記対応するサブチャネル上で前記端末によって送信された前記ＡＣＫ応答又は前記ＢＡ応答を受信するようにさらに構成される請求項１５に記載のアクセスポイント。
【請求項１７】
前記ＯＦＤＭＡ物理層シグナリングは、前記端末に対応し、前記ＡＣＫ応答又は前記ＢＡ応答が前記アクセスポイントに送信されるとともに、前記端末に対して割り振られた前記サブチャネルを前記端末に示すために使用され、その場合に、前記送信モジュールは、ＭＵ−ＭＩＭＯモードにおいてＭＵ−ＭＩＭＯデータ情報を前記端末に送信し、そしてＡＣＫ要求フレーム又はＢＡ要求フレームを前記端末に送信し、前記ＡＣＫ要求フレーム又は前記ＢＡ要求フレームは専用情報ビットを含み、前記専用情報ビットは、前記ＯＦＤＭＡモードにおいて前記ＡＣＫ応答又は前記ＢＡ応答を前記アクセスポイントに送信するように前記端末に指示するために使用される、ように構成され、
前記ＯＦＤＭＡ物理層シグナリングは、前記ＭＵ−ＭＩＭＯデータ情報、前記ＡＣＫ要求フレーム、及び前記ＢＡ要求フレームのうちの少なくとも１つで運ばれ、
その場合に、前記受信モジュールは、前記送信モジュールが直交周波数分割多元接続（ＯＦＤＭＡ）物理層シグナリングを前記端末に送信した後に、前記ＯＦＤＭＡモードにおいて前記端末に対応する前記サブチャネル上で前記端末によって送信された前記ＡＣＫ応答又は前記ＢＡ応答を受信するようにさらに構成される請求項１５に記載のアクセスポイント。
【請求項１８】
前記ＯＦＤＭＡ物理層シグナリングは、前記端末に対応し、前記ＡＣＫ応答又は前記ＢＡ応答が前記アクセスポイントに送信されるとともに、前記端末に対して割り振られた前記サブチャネルを前記端末に示すために使用され、その場合に、前記送信モジュールは、前記直交周波数分割多元接続（ＯＦＤＭＡ）物理層シグナリングが前記端末に送信された後に、ＯＦＤＭＡ＋ＭＵ−ＭＩＭＯモードにおいて前記端末に対応する前記サブチャネル上でＯＦＤＭＡ＋ＭＵ−ＭＩＭＯデータ情報を前記端末に送信するとともに、ＡＣＫ要求フレーム又はＢＡ要求フレームを前記端末に送信し、前記ＡＣＫ要求フレーム又は前記ＢＡ要求フレームは専用情報ビットを含み、前記専用情報ビットは、ＯＦＤＭＡモードにおいて前記ＡＣＫ応答又は前記ＢＡ応答を前記アクセスポイントに送信するように前記端末に指示するために使用される、ようにさらに構成され、
その場合に、前記受信モジュールは、前記ＯＦＤＭＡモードにおいて前記対応するサブチャネル上で前記端末によって送信された前記ＡＣＫ応答又は前記ＢＡ応答を受信するようにさらに構成される請求項１５に記載のアクセスポイント。
【請求項１９】
前記ＯＦＤＭＡ物理層シグナリングは、前記端末に対応し、アップリンクＯＦＤＭＡデータ情報が前記アクセスポイントに送信されるとともに、前記端末に対して割り振られた前記サブチャネルを前記端末に示すために使用され、
その場合に、前記受信モジュールは、前記送信モジュールが直交周波数分割多元接続（ＯＦＤＭＡ）物理層シグナリングを前記端末に送信する前に、前記端末によって送信されたアップリンク伝送フレームを受信し、前記送信モジュールが前記直交周波数分割多元接続（ＯＦＤＭＡ）物理層シグナリングを前記端末に送信した後に、ＯＦＤＭＡモードにおいて前記対応するサブチャネル上で前記端末によって送信された前記アップリンクＯＦＤＭＡデータ情報を受信するようにさらに構成される請求項１５に記載のアクセスポイント。
【請求項２０】
前記アップリンクＯＦＤＭＡデータ情報は、ＯＦＤＭＡ  ＡＣＫ要求又はＯＦＤＭＡ  ＢＡ要求を運び、前記ＯＦＤＭＡ  ＡＣＫ要求又は前記ＯＦＤＭＡ  ＢＡ要求は、前記ＯＦＤＭＡモードにおいてＡＣＫ応答又はＢＡ応答を前記端末に送信するように前記アクセスポイントに指示するためにさらに使用され、その場合に、前記送信モジュールは、前記受信モジュールが前記対応するサブチャネル上で前記端末によって送信された前記アップリンクＯＦＤＭＡデータ情報を受信した後に、前記ＯＦＤＭＡモードにおいて前記端末に対応する前記サブチャネル上で前記アップリンクＯＦＤＭＡデータ情報に対応する前記ＡＣＫ応答又は前記ＢＡ応答を送信するようにさらに構成される請求項１９に記載のアクセスポイント。
【発明の詳細な説明】
【技術分野】
【０００１】
本発明は、通信技術の分野に関するものであり、具体的には、データ伝送インジケーション方法、アクセスポイント、及び端末に関するものである。
【背景技術】
【０００２】
直交周波数分割多重化（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、以下略してＯＦＤＭ）は、現在の無線通信の基本伝送方式であり、ここで、サブキャリアの直交性によって許される範囲内で、サブキャリア間隔は最小になるように圧縮され、それによって、平行であり、かつ互いに干渉しない複数の伝送路を形成し、システムの周波数利用効率を改善する。前述のＯＦＤＭの特徴は、直交周波数分割多元接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ、以下略してＯＦＤＭＡ）において使用され、互いに干渉しないＯＦＤＭにおけるサブキャリアが複数のユーザに割り振られ、マルチユーザアクセス又はデータ伝送を実施する。ＯＦＤＭＡモードにおいてデータを送信することは、実際には、送信端が、複数の受信端のデータを、受信端に対応するサブチャネルを使用することによって、サブチャネルに関連付けられている受信端に同期的に送信することである（本明細書におけるサブチャネルは、１つのサブキャリアを含み得るか、又は複数のサブキャリアを含み得る）。
【０００３】
従来技術では、ＯＦＤＭＡモードにおける伝送は、伝送を実行するために２０ＭＨｚの帯域幅のみサポートすることができ、２０ＭＨｚは６４個のサブキャリアに分割されるものとしてよく、ここで、４８個のサブキャリアは、ユーザデータの伝送に使用される。従来のＯＦＤＭＡ技術では、シグナリング部分（シグナリング部分のフォーマットは、２０ＭＨｚの帯域幅にのみ適用可能である）は、データフォーマット内の物理層プリアンブルの後に追加されるとともに、シグナリング部分は、各サブキャリアに対して割り振られたユーザを示すために使用され、ここで、１つのサブキャリアは１つのユーザ識別子（Ｉｄｅｎｔｉｔｙ、以下略してＩＤ）にのみ対応することができる。送信端は、異なるサブキャリア上で異なるユーザのデータを同期的に送信し、それに対応して、ユーザは、対応するサブキャリア上で、送信端によって送信されたデータを受信する。
【０００４】
しかしながら、ユーザの数が４８を超える場合、２０ＭＨｚの帯域幅の制限があるため、従来技術では、４８ユーザ以外の残りのユーザについては、残りのユーザが送信端のデータを受信するときにインジケーションが実行されることができない。
【発明の概要】
【０００５】
本発明は、４８ユーザ以外の残りのユーザについては、残りのユーザが送信端のデータを受信するときにインジケーションが実行されることができない、という従来技術における問題を解決するために使用される、データ伝送インジケーション方法、アクセスポイント、及び端末を提供する。
【０００６】
第１の態様によれば、本発明は、データ伝送インジケーション方法であって、
アクセスポイントにより、直交周波数分割多元接続ＯＦＤＭＡ物理層シグナリングを端末に送信するステップであって、ＯＦＤＭＡ物理層シグナリングは、端末に対して割り振られたサブチャネルを端末に示すために使用され、それにより、端末はＯＦＤＭＡ物理層シグナリングに従って端末に対応するサブチャネルを判定し、ＯＦＤＭＡ物理層シグナリングは、端末の識別子、及び端末の識別子に対応するサブチャネル情報を含む、ステップを含む方法を提供する。
【０００７】
第１の態様に関して、第１の態様の第１の可能な実装方式において、端末の識別子は、１つ又は複数の端末グループの識別子であり、各端末グループは、少なくとも１つの端末を含み、サブチャネル情報は、アップリンクサブチャネル又はダウンリンクサブチャネル又はアップリンク及びダウンリンク双方向サブチャネルを含み、その場合に、端末に対して割り振られたサブチャネルを端末に示すために使用されているＯＦＤＭＡ物理層シグナリングは、
各端末グループに、割り振られたサブチャネルがアップリンクサブチャネル又はダウンリンクサブチャネル又はアップリンク及びダウンリンク双方向サブチャネルであることを示すために使用されているＯＦＤＭＡ物理層シグナリングを含み、端末グループ及びサブチャネルは一対一の対応関係にある。
【０００８】
第１の態様の第１の可能な実装方式に関して、第１の態様の第２の可能な実装方式において、アクセスポイントにより、ＯＦＤＭＡ物理層シグナリングを端末に送信するステップの前に、当該方法は、
アクセスポイントにより、端末グループの識別子と端末のアドレスとの間のマッピング関係を端末に送信するステップであって、それにより、端末が配置されている端末グループを端末が学習する、ステップをさらに含む。
【０００９】
第１の態様に関して、第１の態様の第３の可能な実装方式において、端末の識別子は、１つの端末グループの識別子であり、端末グループは、少なくとも２つの端末を含み、その場合に、端末に対して割り振られたサブチャネルを端末に示すために使用されているＯＦＤＭＡ物理層シグナリングは、
端末グループ内の各端末に、割り振られたサブチャネルがアップリンクサブチャネル又はダウンリンクサブチャネル又はアップリンク及びダウンリンク双方向サブチャネルであることを示すために使用されているＯＦＤＭＡ物理層シグナリングを含み、端末グループ内の各端末及びサブチャネルは一対一の対応関係にある。
【００１０】
第１の態様から第１の態様の第３の可能な実装方式までのいずれか１つに関して、第１の態様の第４の可能な実装方式において、アクセスポイントにより、直交周波数分割多元接続ＯＦＤＭＡ物理層シグナリングを端末に送信するステップは、
アクセスポイントにより、直交周波数分割多重化ＯＦＤＭプリアンブルを端末に送信するステップであって、ＯＦＤＭプリアンブルは、ＯＦＤＭＡ物理層シグナリングを運ぶ、ステップ、又は
アクセスポイントにより、ヌルデータパケットアナウンスメントＮＤＰＡフレームを端末に送信するステップであって、ＮＤＰＡフレームは、ＯＦＤＭＡ物理層シグナリングを運ぶ、ステップを含む。
【００１１】
第１の態様から第１の態様の第３の可能な実装方式までのいずれか１つに関して、第１の態様の第５の可能な実装方式において、アクセスポイントにより、直交周波数分割多元接続ＯＦＤＭＡ物理層シグナリングを端末に送信するステップは、
アクセスポイントにより、ＮＤＰＡフレーム及びＯＦＤＭプリアンブルを端末に送信するステップを含み、
ＮＤＰＡフレームは、ＯＦＤＭＡ物理層シグナリングにおける端末の識別子を運び、そしてＯＦＤＭプリアンブルは、端末の識別子に対応するとともに、ＯＦＤＭＡ物理層シグナリング内にあるサブチャネル情報を運ぶか、又は、ＮＤＰＡフレームは、端末の識別子に対応するとともに、ＯＦＤＭＡ物理層シグナリング内にあるサブチャネル情報を運び、そしてＯＦＤＭプリアンブルは、ＯＦＤＭＡ物理層シグナリングにおける端末の識別子を運ぶ。
【００１２】
第１の態様から第１の態様の第５の可能な実装方式までのいずれか１つに関して、第１の態様の第６の可能な実装方式において、ＯＦＤＭＡ物理層シグナリングは、ダウンリンクＯＦＤＭＡデータ情報を受信するために端末に割り振られたサブチャネルを端末に示すために特に使用され、その場合に、アクセスポイントにより、直交周波数分割多元接続ＯＦＤＭＡ物理層シグナリングを端末に送信するステップの後に、当該方法は、
アクセスポイントにより、ＯＦＤＭＡモードにおいて端末に対応するサブチャネル上でダウンリンクＯＦＤＭＡデータ情報を送信するステップであって、ダウンリンクＯＦＤＭＡデータ情報は、ＯＦＤＭＡプリアンブル及びＯＦＤＭＡデータを含み、ＯＦＤＭＡプリアンブルは、スイッチングフィールド及びウルトラハイスループットシグナリング（ｕｌｔｒａ  ｈｉｇｈ  ｔｈｒｏｕｇｈｐｕｔ  ｓｉｇｎａｌｉｎｇ）Ｂ  ＵＨＴ−ＳＩＧ−Ｂを含む、ステップをさらに含む。
【００１３】
第１の態様の第６の可能な実装方式に関して、第１の態様の第７の可能な実装方式において、ＯＦＤＭＡ物理層シグナリング又はダウンリンクＯＦＤＭＡデータ情報は、ＯＦＤＭＡ確認応答ＡＣＫ要求（ＯＦＤＭＡ  ａｃｋｎｏｗｌｅｄｇｅ  ＡＣＫ  ｒｅｑｕｅｓｔ）又はＯＦＤＭＡブロック確認応答ＢＡ要求（ＯＦＤＭＡ  ｂｌｏｃｋ  ａｃｋｎｏｗｌｅｄｇｅ  ＢＡ  ｒｅｑｕｅｓｔ）を運び、ＯＦＤＭＡ  ＡＣＫ要求又はＯＦＤＭＡ  ＢＡ要求は、ＯＦＤＭＡモードにおいてＡＣＫ応答又はＢＡ応答をアクセスポイントに送信するように端末に指示するために使用され、その場合に、ＯＦＤＭＡ物理層シグナリングは、端末に対応し、ＡＣＫ応答又はＢＡ応答がアクセスポイントに送信されるとともに、端末に対して割り振られたサブチャネルを示すためにさらに使用され、その場合に、アクセスポイントにより、ＯＦＤＭＡモードにおいて端末に対応するサブチャネル上でダウンリンクＯＦＤＭＡデータ情報を送信するステップの後に、当該方法は、
アクセスポイントにより、ＯＦＤＭＡモードにおいて端末に対応するサブチャネル上で端末によって送信されたＡＣＫ応答又はＢＡ応答を受信するステップをさらに含む。
【００１４】
第１の態様の第６の可能な実装方式に関して、第１の態様の第８の可能な実装方式において、ＯＦＤＭＡ物理層シグナリングは、端末に対応し、ＡＣＫ応答又はＢＡ応答がアクセスポイントに送信されるとともに、端末に対して割り振られたサブチャネルを示すために使用され、その場合に、アクセスポイントにより、端末に対応するサブチャネル上でダウンリンクＯＦＤＭＡデータ情報を送信するステップの後に、当該方法は、
アクセスポイントにより、ＡＣＫ要求フレーム又はＢＡ要求フレームを端末に送信するステップであって、ＡＣＫ要求フレーム又はＢＡ要求フレームは専用情報ビットを含み、専用情報ビットは、ＯＦＤＭＡモードにおいてＡＣＫ応答又はＢＡ応答をアクセスポイントに送信するように端末に指示するために使用される、ステップと、
アクセスポイントにより、ＯＦＤＭＡモードにおいて対応するサブチャネル上で端末によって送信されたＡＣＫ応答又はＢＡ応答を受信するステップとをさらに含む。
【００１５】
第１の態様から第１の態様の第３の可能な実装方式までのいずれか１つに関して、第１の態様の第９の可能な実装方式において、ＯＦＤＭＡ物理層シグナリングは、ＯＦＤＭＡ  ＡＣＫ要求又はＯＦＤＭＡ  ＢＡ要求を運び、ＯＦＤＭＡ  ＡＣＫ要求又はＯＦＤＭＡ  ＢＡ要求は、ＯＦＤＭＡモードにおいてＡＣＫ応答又はＢＡ応答をアクセスポイントに送信するように端末に指示するために使用され、その場合に、ＯＦＤＭＡ物理層シグナリングは、端末に対応し、ＡＣＫ応答又はＢＡ応答がアクセスポイントに送信されるとともに、端末に対して割り振られたサブチャネルを端末に示すために特に使用され、その場合に、アクセスポイントにより、直交周波数分割多元接続ＯＦＤＭＡ物理層シグナリングを端末に送信するステップは、
アクセスポイントにより、マルチユーザ多入力多出力ＭＵ−ＭＩＭＯモードにおいてマルチユーザ多入力多出力ＭＵ−ＭＩＭＯデータ情報を端末に送信するステップであって、ＭＵ−ＭＩＭＯデータ情報は、ＯＦＤＭＡ物理層シグナリングを運ぶ、ステップを含み、
その場合に、アクセスポイントにより、直交周波数分割多元接続ＯＦＤＭＡ物理層シグナリングを端末に送信するステップの後に、当該方法は、
アクセスポイントにより、ＯＦＤＭＡモードにおいて対応するサブチャネル上で端末によって送信されたＡＣＫ応答又はＢＡ応答を受信するステップをさらに含む。
【００１６】
第１の態様から第１の態様の第３の可能な実装方式までのいずれか１つに関して、第１の態様の第１０の可能な実装方式において、ＯＦＤＭＡ物理層シグナリングは、端末に対応し、ＡＣＫ応答又はＢＡ応答がアクセスポイントに送信されるとともに、端末に対して割り振られたサブチャネルを端末に示すために特に使用され、その場合に、アクセスポイントにより、直交周波数分割多元接続ＯＦＤＭＡ物理層シグナリングを端末に送信するステップは、
アクセスポイントにより、ＭＵ−ＭＩＭＯモードにおいてＭＵ−ＭＩＭＯデータ情報を端末に送信するステップであって、ＭＵ−ＭＩＭＯデータ情報は、ＯＦＤＭＡ物理層シグナリングを運ぶ、ステップと、
アクセスポイントにより、ＡＣＫ要求フレーム又はＢＡ要求フレームを端末に送信するステップであって、ＡＣＫ要求フレーム又はＢＡ要求フレームは専用情報ビットを含み、専用情報ビットは、ＯＦＤＭＡモードにおいてＡＣＫ応答又はＢＡ応答をアクセスポイントに送信するように端末に指示するために使用される、ステップとを含み、
その場合に、アクセスポイントにより、直交周波数分割多元接続ＯＦＤＭＡ物理層シグナリングを端末に送信するステップの後に、当該方法は、
アクセスポイントにより、ＯＦＤＭＡモードにおいて端末に対応するサブチャネル上で端末によって送信されたＡＣＫ応答又はＢＡ応答を受信するステップをさらに含む。
【００１７】
第１の態様から第１の態様の第３の可能な実装方式までのいずれか１つに関して、第１の態様の第１１の可能な実装方式において、ＯＦＤＭＡ物理層シグナリングは、端末に対応し、ＡＣＫ応答又はＢＡ応答がアクセスポイントに送信されるとともに、端末に対して割り振られたサブチャネルを端末に示すために特に使用され、その場合に、アクセスポイントにより、直交周波数分割多元接続ＯＦＤＭＡ物理層シグナリングを端末に送信するステップは、
アクセスポイントにより、ＭＵ−ＭＩＭＯモードにおいてＭＵ−ＭＩＭＯデータ情報を端末に送信するステップと、
アクセスポイントにより、ＡＣＫ要求フレーム又はＢＡ要求フレームを端末に送信するステップであって、ＡＣＫ要求フレーム又はＢＡ要求フレームは専用情報ビットを含み、専用情報ビットは、ＯＦＤＭＡモードにおいてＡＣＫ応答又はＢＡ応答をアクセスポイントに送信するように端末に指示するために使用され、ＡＣＫ要求フレーム又はＢＡ要求フレームは、ＯＦＤＭＡ物理層シグナリングを運ぶ、ステップとを含み、
その場合に、アクセスポイントにより、直交周波数分割多元接続ＯＦＤＭＡ物理層シグナリングを端末に送信するステップの後に、当該方法は、
アクセスポイントにより、ＯＦＤＭＡモードにおいて対応するサブチャネル上で端末によって送信されたＡＣＫ応答又はＢＡ応答を受信するステップをさらに含む。
【００１８】
第１の態様から第１の態様の第３の可能な実装方式までのいずれか１つに関して、第１の態様の第１２の可能な実装方式において、ＯＦＤＭＡ物理層シグナリングは、ＯＦＤＭＡ  ＡＣＫ要求又はＯＦＤＭＡ  ＢＡ要求を運び、ＯＦＤＭＡ  ＡＣＫ要求又はＯＦＤＭＡ  ＢＡ要求は、ＯＦＤＭＡモードにおいてＡＣＫ応答又はＢＡ応答をアクセスポイントに送信するように端末に指示するために使用され、その場合に、ＯＦＤＭＡ物理層シグナリングは、端末に対応し、ＡＣＫ応答又はＢＡ応答がアクセスポイントに送信されるとともに、端末に対して割り振られたサブチャネルを端末に示すために特に使用され、アクセスポイントにより、直交周波数分割多元接続ＯＦＤＭＡ物理層シグナリングを端末に送信するステップの後に、当該方法は、
アクセスポイントにより、ＯＦＤＭＡ＋ＭＵ−ＭＩＭＯモードにおいて端末に対応するサブチャネル上でＯＦＤＭＡ＋ＭＵ−ＭＩＭＯデータ情報を端末に送信するステップと、
アクセスポイントにより、ＯＦＤＭＡモードにおいて対応するサブチャネル上で端末によって送信されたＡＣＫ応答又はＢＡ応答を受信するステップとをさらに含む。
【００１９】
第１の態様から第１の態様の第３の可能な実装方式までのいずれか１つに関して、第１の態様の第１３の可能な実装方式において、ＯＦＤＭＡ物理層シグナリングは、端末に対応し、ＡＣＫ応答又はＢＡ応答がアクセスポイントに送信されるとともに、端末に対して割り振られたサブチャネルを端末に示すために特に使用され、アクセスポイントにより、直交周波数分割多元接続ＯＦＤＭＡ物理層シグナリングを端末に送信するステップの後に、当該方法は、
アクセスポイントにより、ＯＦＤＭＡ＋ＭＵ−ＭＩＭＯモードにおいて端末に対応するサブチャネル上でＯＦＤＭＡ＋ＭＵ−ＭＩＭＯデータ情報を端末に送信するステップと、
アクセスポイントにより、ＡＣＫ要求フレーム又はＢＡ要求フレームを端末に送信するステップであって、ＡＣＫ要求フレーム又はＢＡ要求フレームは専用情報ビットを含み、専用情報ビットは、ＯＦＤＭＡモードにおいてＡＣＫ応答又はＢＡ応答をアクセスポイントに送信するように端末に指示するために使用される、ステップと、
アクセスポイントにより、ＯＦＤＭＡモードにおいて対応するサブチャネル上で端末によって送信されたＡＣＫ応答又はＢＡ応答を受信するステップとをさらに含む。
【００２０】
第１の態様から第１の態様の第５の可能な実装方式までのいずれか１つに関して、第１の態様の第１４の可能な実装方式において、ＯＦＤＭＡ物理層シグナリングは、端末に対応し、アップリンクＯＦＤＭＡデータ情報がアクセスポイントに送信されるとともに、端末に対して割り振られたサブチャネルを端末に示すために特に使用され、その場合に、アクセスポイントにより、直交周波数分割多元接続ＯＦＤＭＡ物理層シグナリングを端末に送信するステップの前に、当該方法は、
アクセスポイントにより、端末によって送信されたアップリンク伝送フレームを受信するステップをさらに含み、
その場合に、アクセスポイントにより、直交周波数分割多元接続ＯＦＤＭＡ物理層シグナリングを端末に送信するステップの後に、当該方法は、
アクセスポイントにより、ＯＦＤＭＡモードにおいて対応するサブチャネル上で端末によって送信されたアップリンクＯＦＤＭＡデータ情報を受信するステップをさらに含む。
【００２１】
第１の態様の第１４の可能な実装方式に関して、第１の態様の第１５の可能な実装方式において、アップリンクＯＦＤＭＡデータ情報は、ＯＦＤＭＡ  ＡＣＫ要求又はＯＦＤＭＡ  ＢＡ要求を運び、ＯＦＤＭＡ  ＡＣＫ要求又はＯＦＤＭＡ  ＢＡ要求は、ＯＦＤＭＡモードにおいてＡＣＫ応答又はＢＡ応答を端末に送信するようにアクセスポイントに指示するためにさらに使用され、その場合に、アクセスポイントにより、対応するサブチャネル上で端末によって送信されたアップリンクＯＦＤＭＡデータ情報を受信するステップの後に、当該方法は、
アクセスポイントにより、ＯＦＤＭＡモードにおいて端末に対応するサブチャネル上でアップリンクＯＦＤＭＡデータ情報に対応するＡＣＫ応答又はＢＡ応答を送信するステップをさらに含む。
【００２２】
第１の態様から第１の態様の第５の可能な実装方式までのいずれか１つに関して、第１の態様の第１６の可能な実装方式において、ＯＦＤＭＡ物理層シグナリングは、端末に対応し、アップリンクＯＦＤＭＡデータ情報がアクセスポイントに送信されるとともに、端末に対して割り振られたサブチャネルを端末に示すために特に使用され、その場合に、アクセスポイントにより、直交周波数分割多元接続ＯＦＤＭＡ物理層シグナリングを端末に送信するステップの後に、当該方法は、
アクセスポイントにより、ＯＦＤＭＡモードにおいて対応するサブチャネル上で端末によって送信されたアップリンクＯＦＤＭＡデータ情報を受信するステップをさらに含む。
【００２３】
第２の態様によれば、本発明は、データ伝送インジケーション方法であって、
端末により、アクセスポイントによって送信された直交周波数分割多元接続ＯＦＤＭＡ物理層シグナリングを受信するステップであって、ＯＦＤＭＡ物理層シグナリングは、端末に対してアクセスポイントによって割り振られたサブチャネルを端末に示すために使用され、ＯＦＤＭＡ物理層シグナリングは、端末の識別子、及び端末の識別子に対応するサブチャネル情報を含む、ステップと、
端末により、ＯＦＤＭＡ物理層シグナリングに従って端末に対応するサブチャネルを判定するステップとを含む方法を提供する。
【００２４】
第２の態様に関して、第２の態様の第１の可能な実装方式において、端末の識別子は、１つ又は複数の端末グループの識別子であり、各端末グループは、少なくとも１つの端末を含み、サブチャネル情報は、アップリンクサブチャネル又はダウンリンクサブチャネル又はアップリンク及びダウンリンク双方向サブチャネルを含み、その場合に、端末に対して割り振られたサブチャネルを端末に示すために使用されているＯＦＤＭＡ物理層シグナリングは、
各端末グループに、割り振られたサブチャネルがアップリンクサブチャネル又はダウンリンクサブチャネル又はアップリンク及びダウンリンク双方向サブチャネルであることを示すために使用されているＯＦＤＭＡ物理層シグナリングを含み、端末グループ及びサブチャネルは一対一の対応関係にある。
【００２５】
第２の態様の第１の可能な実装方式に関して、第２の態様の第２の可能な実装方式において、端末により、アクセスポイントによって送信された直交周波数分割多元接続ＯＦＤＭＡ物理層シグナリングを受信するステップの前に、当該方法は、
端末により、端末グループの識別子と端末のアドレスとの間のマッピング関係を受信するステップであって、マッピング関係はアクセスポイントによって送信される、ステップをさらに含み、
その場合に、端末により、ＯＦＤＭＡ物理層シグナリングに従って端末に対応するサブチャネルを判定するステップは、
端末により、マッピング関係に従って、端末が端末グループ内に配置されていることを判定し、その場合に、端末により、端末グループに対応するサブチャネルが、端末に対応するサブチャネルであることを判定するステップとを含む。
【００２６】
第２の態様に関して、第２の態様の第３の可能な実装方式において、端末の識別子は、１つの端末グループの識別子であり、端末グループは、少なくとも２つの端末を含み、その場合に、端末に対して割り振られたサブチャネルを端末に示すために使用されているＯＦＤＭＡ物理層シグナリングは、
端末グループ内の各端末に、割り振られたサブチャネルがアップリンクサブチャネル又はダウンリンクサブチャネル又はアップリンク及びダウンリンク双方向サブチャネルであることを示すために使用されているＯＦＤＭＡ物理層シグナリングを含み、端末グループ内の各端末及びサブチャネルは一対一の対応関係にある。
【００２７】
第２の態様から第２の態様の第３の可能な実装方式までのいずれか１つに関して、第２の態様の第４の可能な実装方式において、端末により、アクセスポイントによって送信された直交周波数分割多元接続ＯＦＤＭＡ物理層シグナリングを受信するステップは、
端末により、アクセスポイントによって送信された直交周波数分割多重化ＯＦＤＭプリアンブルを受信するステップであって、ＯＦＤＭプリアンブルは、ＯＦＤＭＡ物理層シグナリングを運ぶ、ステップ、又は
端末により、アクセスポイントによって送信されたヌルデータパケットアナウンスメントＮＤＰＡフレームを受信するステップであって、ＮＤＰＡフレームは、ＯＦＤＭＡ物理層シグナリングを運ぶ、ステップを含む。
【００２８】
第２の態様から第２の態様の第３の可能な実装方式までのいずれか１つに関して、第２の態様の第５の可能な実装方式において、端末により、アクセスポイントによって送信された直交周波数分割多元接続ＯＦＤＭＡ物理層シグナリングを受信するステップは、
端末により、アクセスポイントによって送信されたＮＤＰＡフレーム及びＯＦＤＭプリアンブルを受信するステップであって、ＮＤＰＡフレームは、ＯＦＤＭＡ物理層シグナリングにおける端末の識別子を運び、そしてＯＦＤＭプリアンブルは、端末の識別子に対応するとともに、ＯＦＤＭＡ物理層シグナリング内にあるサブチャネル情報を運ぶか、又は、ＮＤＰＡフレームは、端末の識別子に対応するとともに、ＯＦＤＭＡ物理層シグナリング内にあるサブチャネル情報を運び、そしてＯＦＤＭプリアンブルは、ＯＦＤＭＡ物理層シグナリングにおける端末の識別子を運ぶ、ステップをさらに含む。
【００２９】
第２の態様から第２の態様の第５の可能な実装方式までのいずれか１つに関して、第２の態様の第６の可能な実装方式において、ＯＦＤＭＡ物理層シグナリングは、ダウンリンクＯＦＤＭＡデータ情報を受信するためにアクセスポイントによって端末に割り振られたサブチャネルを端末に示すために特に使用され、その場合に、端末により、ＯＦＤＭＡ物理層シグナリングに従って端末に対応するサブチャネルを判定するステップの後に、当該方法は、
端末により端末に対応するサブチャネル上で、アクセスポイントによって送信されたダウンリンクＯＦＤＭＡデータ情報を受信するステップであって、ダウンリンクＯＦＤＭＡデータ情報は、ＯＦＤＭＡプリアンブル及びＯＦＤＭＡデータを含み、ＯＦＤＭＡプリアンブルは、スイッチングフィールド及びウルトラハイスループットシグナリングＢ  ＵＨＴ−ＳＩＧ−Ｂを含む、ステップをさらに含む。
【００３０】
第２の態様の第６の可能な実装方式に関して、第２の態様の第７の可能な実装方式において、端末により端末に対応するサブチャネル上で、アクセスポイントによって送信されたダウンリンクＯＦＤＭＡデータ情報を受信するステップは、
端末により、ＯＦＤＭＡデータに対応するとともに、アクセスポイントによって送信された送信先端末アドレスを受信するステップと、
端末により、端末が送信先端末アドレスと一致するかどうかを判定するステップと、
もし一致すれば、端末により端末に対応するサブチャネル上で、アクセスポイントによって送信されたダウンリンクＯＦＤＭＡデータ情報を受信するステップとを特に含む。
【００３１】
第２の態様の第７の可能な実装方式に関して、第２の態様の第８の可能な実装方式において、ＯＦＤＭＡ物理層シグナリング又はダウンリンクＯＦＤＭＡデータ情報は、ＯＦＤＭＡ確認応答ＡＣＫ要求又はＯＦＤＭＡブロック確認応答ＢＡ要求を運び、ＯＦＤＭＡ  ＡＣＫ要求又はＯＦＤＭＡ  ＢＡ要求は、ＯＦＤＭＡモードにおいてＡＣＫ応答又はＢＡ応答をアクセスポイントに送信するように端末に指示するために使用され、その場合に、ＯＦＤＭＡ物理層シグナリングは、端末に対応し、ＡＣＫ応答又はＢＡ応答がアクセスポイントに送信されるとともに、端末に対して割り振られたサブチャネルを示すためにさらに使用され、その場合に、端末により端末に対応するサブチャネル上で、アクセスポイントによって送信されたダウンリンクＯＦＤＭＡデータ情報を受信するステップの後に、当該方法は、
端末により、ＯＦＤＭＡモードにおいて端末に対応するサブチャネル上でアクセスポイントにＡＣＫ応答又はＢＡ応答を送信するステップをさらに含む。
【００３２】
第２の態様の第７の可能な実装方式に関して、第２の態様の第９の可能な実装方式において、ＯＦＤＭＡ物理層シグナリングは、端末に対応し、ＡＣＫ応答又はＢＡ応答がアクセスポイントに送信されるとともに、端末に対して割り振られたサブチャネルを示すために使用され、その場合に、端末により端末に対応するサブチャネル上で、アクセスポイントによって送信されたダウンリンクＯＦＤＭＡデータ情報を受信するステップの後に、当該方法は、
端末により、アクセスポイントによって送信されたＡＣＫ要求フレーム又はＢＡ要求フレームを受信するステップであって、ＡＣＫ要求フレーム又はＢＡ要求フレームは専用情報ビットを含み、専用情報ビットは、ＯＦＤＭＡモードにおいてＡＣＫ応答又はＢＡ応答をアクセスポイントに送信するように端末に指示するために使用される、ステップと、
端末により、ＯＦＤＭＡモードにおいて端末に対応するサブチャネル上でアクセスポイントにＡＣＫ応答又はＢＡ応答を送信するステップとをさらに含む。
【００３３】
第２の態様から第２の態様の第３の可能な実装方式までのいずれか１つに関して、第２の態様の第１０の可能な実装方式において、ＯＦＤＭＡ物理層シグナリングは、ＯＦＤＭＡ  ＡＣＫ要求又はＯＦＤＭＡ  ＢＡ要求を運び、ＯＦＤＭＡ  ＡＣＫ要求又はＯＦＤＭＡ  ＢＡ要求は、ＯＦＤＭＡモードにおいてＡＣＫ応答又はＢＡ応答をアクセスポイントに送信するように端末に指示するために使用され、その場合に、ＯＦＤＭＡ物理層シグナリングは、端末に対応し、ＡＣＫ応答又はＢＡ応答がアクセスポイントに送信されるとともに、端末に対して割り振られたサブチャネルを端末に示すために特に使用され、その場合に、端末により、アクセスポイントによって送信された直交周波数分割多元接続ＯＦＤＭＡ物理層シグナリングを受信するステップは、
端末により、アクセスポイントによって送信されたマルチユーザ多入力多出力ＭＵ−ＭＩＭＯデータ情報を受信するステップであって、ＭＵ−ＭＩＭＯデータ情報は、ＯＦＤＭＡ物理層シグナリングを運ぶ、ステップを含み、
その場合に、端末により、ＯＦＤＭＡ物理層シグナリングに従って端末に対応するサブチャネルを判定するステップの後に、当該方法は、
端末により、ＯＦＤＭＡモードにおいて端末に対応するサブチャネル上でアクセスポイントにＡＣＫ応答又はＢＡ応答を送信するステップをさらに含む。
【００３４】
第２の態様から第２の態様の第３の可能な実装方式までのいずれか１つに関して、第２の態様の第１１の可能な実装方式において、ＯＦＤＭＡ物理層シグナリングは、端末に対応し、ＡＣＫ応答又はＢＡ応答がアクセスポイントに送信されるとともに、端末に対して割り振られたサブチャネルを端末に示すために特に使用され、その場合に、端末により、アクセスポイントによって送信された直交周波数分割多元接続ＯＦＤＭＡ物理層シグナリングを受信するステップは、
端末により、アクセスポイントによって送信されたＭＵ−ＭＩＭＯデータ情報を受信するステップであって、ＭＵ−ＭＩＭＯデータ情報は、ＯＦＤＭＡ物理層シグナリングを運ぶ、ステップと、
端末により、アクセスポイントによって送信されたＡＣＫ要求フレーム又はＢＡ要求フレームを受信するステップであって、ＡＣＫ要求フレーム又はＢＡ要求フレームは専用情報ビットを含み、専用情報ビットは、ＯＦＤＭＡモードにおいてＡＣＫ応答又はＢＡ応答をアクセスポイントに送信するように端末に指示するために使用される、ステップとを含み、
その場合に、端末により、ＯＦＤＭＡ物理層シグナリングに従って端末に対応するサブチャネルを判定するステップの後に、当該方法は、
端末により、ＯＦＤＭＡモードにおいて端末に対応するサブチャネル上でアクセスポイントにＡＣＫ応答又はＢＡ応答を送信するステップをさらに含む。
【００３５】
第２の態様から第２の態様の第３の可能な実装方式までのいずれか１つに関して、第２の態様の第１２の可能な実装方式において、ＯＦＤＭＡ物理層シグナリングは、端末に対応し、ＡＣＫ応答又はＢＡ応答がアクセスポイントに送信されるとともに、端末に対して割り振られたサブチャネルを端末に示すために特に使用され、その場合に、端末により、アクセスポイントによって送信された直交周波数分割多元接続ＯＦＤＭＡ物理層シグナリングを受信するステップは、
端末により、アクセスポイントによって送信されたＭＵ−ＭＩＭＯデータ情報を受信するステップと、
端末により、アクセスポイントによって送信されたＡＣＫ要求フレーム又はＢＡ要求フレームを受信するステップであって、ＡＣＫ要求フレーム又はＢＡ要求フレームは専用情報ビットを含み、専用情報ビットは、ＯＦＤＭＡモードにおいてＡＣＫ応答又はＢＡ応答をアクセスポイントに送信するように端末に指示するために使用され、ＡＣＫ要求フレーム又はＢＡ要求フレームは、ＯＦＤＭＡ物理層シグナリングを運ぶ、ステップとを含み、
その場合に、端末により、ＯＦＤＭＡ物理層シグナリングに従って端末に対応するサブチャネルを判定するステップの後に、当該方法は、
端末により、ＯＦＤＭＡモードにおいて端末に対応するサブチャネル上でアクセスポイントにＡＣＫ応答又はＢＡ応答を送信するステップをさらに含む。
【００３６】
第２の態様から第２の態様の第３の可能な実装方式までのいずれか１つに関して、第２の態様の第１３の可能な実装方式において、ＯＦＤＭＡ物理層シグナリングは、ＯＦＤＭＡ  ＡＣＫ要求又はＯＦＤＭＡ  ＢＡ要求を運び、ＯＦＤＭＡ  ＡＣＫ要求又はＯＦＤＭＡ  ＢＡ要求は、ＯＦＤＭＡモードにおいてＡＣＫ応答又はＢＡ応答をアクセスポイントに送信するように端末に指示するために使用され、その場合に、ＯＦＤＭＡ物理層シグナリングは、端末に対応し、ＡＣＫ応答又はＢＡ応答がアクセスポイントに送信されるとともに、端末に対して割り振られたサブチャネルを端末に示すために特に使用され、その場合に、端末により、ＯＦＤＭＡ物理層シグナリングに従って端末に対応するサブチャネルを判定するステップの後に、当該方法は、
端末により端末に対応するサブチャネル上で、アクセスポイントによって送信されたＯＦＤＭＡ＋ＭＵ−ＭＩＭＯデータ情報を受信するステップと、
端末により、ＯＦＤＭＡモードにおいて端末に対応するサブチャネル上でアクセスポイントにＡＣＫ応答又はＢＡ応答を送信するステップとをさらに含む。
【００３７】
第２の態様から第２の態様の第３の可能な実装方式までのいずれか１つに関して、第２の態様の第１４の可能な実装方式において、ＯＦＤＭＡ物理層シグナリングは、端末に対応し、ＡＣＫ応答又はＢＡ応答がアクセスポイントに送信されるとともに、端末に対して割り振られたサブチャネルを端末に示すために特に使用され、その場合に、端末により、ＯＦＤＭＡ物理層シグナリングに従って端末に対応するサブチャネルを判定するステップの後に、当該方法は、
端末により端末に対応するサブチャネル上で、アクセスポイントによって送信されたＯＦＤＭＡ＋ＭＵ−ＭＩＭＯデータ情報を受信するステップと、
端末により、アクセスポイントによって送信されたＡＣＫ要求フレーム又はＢＡ要求フレームを受信するステップであって、ＡＣＫ要求フレーム又はＢＡ要求フレームは専用情報ビットを含み、専用情報ビットは、ＯＦＤＭＡモードにおいてＡＣＫ応答又はＢＡ応答をアクセスポイントに送信するように端末に指示するために使用される、ステップと、
端末により、ＯＦＤＭＡモードにおいて端末に対応するサブチャネル上でアクセスポイントにＡＣＫ応答又はＢＡ応答を送信するステップとをさらに含む。
【００３８】
第２の態様から第２の態様の第５の可能な実装方式までのいずれか１つに関して、第２の態様の第１５の可能な実装方式において、ＯＦＤＭＡ物理層シグナリングは、端末に対応し、アップリンクＯＦＤＭＡデータ情報がアクセスポイントに送信されるとともに、端末に対して割り振られたサブチャネルを端末に示すために特に使用され、その場合に、端末により、アクセスポイントによって送信された直交周波数分割多元接続ＯＦＤＭＡ物理層シグナリングを受信するステップの前に、当該方法は、
端末により、アップリンク伝送フレームをアクセスポイントに送信するステップをさらに含み、
その場合に、端末により、ＯＦＤＭＡ物理層シグナリングに従って端末に対応するサブチャネルを判定するステップの後に、当該方法は、
端末により、ＯＦＤＭＡモードにおいて端末に対応するサブチャネル上でアップリンクＯＦＤＭＡデータ情報をアクセスポイントに送信するステップをさらに含む。
【００３９】
第２の態様の第１５の可能な実装方式に関して、第２の態様の第１６の可能な実装方式において、アップリンクＯＦＤＭＡデータ情報は、ＯＦＤＭＡ  ＡＣＫ要求又はＯＦＤＭＡ  ＢＡ要求を運び、ＯＦＤＭＡ  ＡＣＫ要求又はＯＦＤＭＡ  ＢＡ要求は、ＯＦＤＭＡモードにおいてＡＣＫ応答又はＢＡ応答を端末に送信するようにアクセスポイントに指示するためにさらに使用され、その場合に、端末により、端末に対応するサブチャネル上でアップリンクＯＦＤＭＡデータ情報をアクセスポイントに送信するステップの後に、当該方法は、
端末により端末に対応するサブチャネル上で、アップリンクＯＦＤＭＡデータ情報に対応するとともに、アクセスポイントによって送信されたＡＣＫ応答又はＢＡ応答を受信するステップをさらに含む。
【００４０】
第２の態様から第２の態様の第５の可能な実装方式までのいずれか１つに関して、第２の態様の第１７の可能な実装方式において、ＯＦＤＭＡ物理層シグナリングは、端末に対応し、アップリンクＯＦＤＭＡデータ情報がアクセスポイントに送信されるとともに、端末に対して割り振られたサブチャネルを端末に示すために特に使用され、その場合に、端末により、ＯＦＤＭＡ物理層シグナリングに従って端末に対応するサブチャネルを判定するステップの後に、当該方法は、
端末により、ＯＦＤＭＡモードにおいて端末に対応するサブチャネル上でアップリンクＯＦＤＭＡデータ情報をアクセスポイントに送信するステップをさらに含む。
【００４１】
第３の態様によれば、本発明は、アクセスポイントであって、
直交周波数分割多元接続ＯＦＤＭＡ物理層シグナリングを端末に送信するように構成された送信モジュールであって、ＯＦＤＭＡ物理層シグナリングは、端末に対して割り振られたサブチャネルを端末に示すために使用され、それにより、端末はＯＦＤＭＡ物理層シグナリングに従って端末に対応するサブチャネルを判定し、ＯＦＤＭＡ物理層シグナリングは、端末の識別子、及び端末の識別子に対応するサブチャネル情報を含む、送信モジュールを備えるアクセスポイントを提供する。
【００４２】
第３の態様に関して、第３の態様の第１の可能な実装方式において、端末の識別子は、１つ又は複数の端末グループの識別子であり、各端末グループは、少なくとも１つの端末を含み、サブチャネル情報は、アップリンクサブチャネル又はダウンリンクサブチャネル又はアップリンク及びダウンリンク双方向サブチャネルを含み、その場合に、端末に対して割り振られたサブチャネルを端末に示すために使用されているＯＦＤＭＡ物理層シグナリングは、
各端末グループに、割り振られたサブチャネルがアップリンクサブチャネル又はダウンリンクサブチャネル又はアップリンク及びダウンリンク双方向サブチャネルであることを示すために使用されているＯＦＤＭＡ物理層シグナリングを含み、端末グループ及びサブチャネルは一対一の対応関係にある。
【００４３】
第３の態様の第１の可能な実装方式に関して、第３の態様の第２の可能な実装方式において、送信モジュールは、ＯＦＤＭＡ物理層シグナリングが端末に送信される前に、端末グループの識別子と端末のアドレスとの間のマッピング関係を端末に送信し、それにより、端末が配置されている端末グループを端末が学習する、ようにさらに構成される。
【００４４】
第３の態様に関して、第３の態様の第３の可能な実装方式において、端末の識別子は、１つの端末グループの識別子であり、端末グループは、少なくとも２つの端末を含み、その場合に、端末に対して割り振られたサブチャネルを端末に示すために使用されているＯＦＤＭＡ物理層シグナリングは、
端末グループ内の各端末に、割り振られたサブチャネルがアップリンクサブチャネル又はダウンリンクサブチャネル又はアップリンク及びダウンリンク双方向サブチャネルであることを示すために使用されているＯＦＤＭＡ物理層シグナリングを含み、端末グループ内の各端末及びサブチャネルは一対一の対応関係にある。
【００４５】
第３の態様から第３の態様の第３の可能な実装方式までのいずれか１つに関して、第３の態様の第４の可能な実装方式において、送信モジュールは、直交周波数分割多重化ＯＦＤＭプリアンブルを端末に送信し、ＯＦＤＭプリアンブルは、ＯＦＤＭＡ物理層シグナリングを運ぶ、ように特に構成されるか、又はヌルデータパケットアナウンスメントＮＤＰＡフレームを端末に送信し、ＮＤＰＡフレームは、ＯＦＤＭＡ物理層シグナリングを運ぶ、ように特に構成される。
【００４６】
第３の態様から第３の態様の第３の可能な実装方式までのいずれか１つに関して、第３の態様の第５の可能な実装方式において、送信モジュールは、ＮＤＰＡフレーム及びＯＦＤＭプリアンブルを端末に送信し、ＮＤＰＡフレームは、ＯＦＤＭＡ物理層シグナリングにおける端末の識別子を運び、そしてＯＦＤＭプリアンブルは、端末の識別子に対応するとともに、ＯＦＤＭＡ物理層シグナリング内にあるサブチャネル情報を運ぶか、又は、ＮＤＰＡフレームは、端末の識別子に対応するとともに、ＯＦＤＭＡ物理層シグナリング内にあるサブチャネル情報を運び、そしてＯＦＤＭプリアンブルは、ＯＦＤＭＡ物理層シグナリングにおける端末の識別子を運ぶ、ようにさらに構成される。
【００４７】
第３の態様から第３の態様の第５の可能な実装方式までのいずれか１つに関して、第３の態様の第６の可能な実装方式において、ＯＦＤＭＡ物理層シグナリングは、ダウンリンクＯＦＤＭＡデータ情報を受信するために端末に割り振られたサブチャネルを端末に示すために特に使用され、その場合に、送信モジュールは、直交周波数分割多元接続ＯＦＤＭＡ物理層シグナリングが端末に送信された後に、ＯＦＤＭＡモードにおいて端末に対応するサブチャネル上でダウンリンクＯＦＤＭＡデータ情報を送信し、ダウンリンクＯＦＤＭＡデータ情報は、ＯＦＤＭＡプリアンブル及びＯＦＤＭＡデータを含み、ＯＦＤＭＡプリアンブルは、スイッチングフィールド及びウルトラハイスループットシグナリングＢ  ＵＨＴ−ＳＩＧ−Ｂを含む、ようにさらに構成される。
【００４８】
第３の態様の第６の可能な実装方式に関して、第３の態様の第７の可能な実装方式において、ＯＦＤＭＡ物理層シグナリング又はダウンリンクＯＦＤＭＡデータ情報は、ＯＦＤＭＡ確認応答ＡＣＫ要求又はＯＦＤＭＡブロック確認応答ＢＡ要求を運び、ＯＦＤＭＡ  ＡＣＫ要求又はＯＦＤＭＡ  ＢＡ要求は、ＯＦＤＭＡモードにおいてＡＣＫ応答又はＢＡ応答をアクセスポイントに送信するように端末に指示するために使用され、その場合に、ＯＦＤＭＡ物理層シグナリングは、端末に対応し、ＡＣＫ応答又はＢＡ応答がアクセスポイントに送信されるとともに、端末に対して割り振られたサブチャネルを示すためにさらに使用され、その場合に、当該アクセスポイントは、
送信モジュールがＯＦＤＭＡモードにおいて端末に対応するサブチャネル上でダウンリンクＯＦＤＭＡデータ情報を送信した後に、ＯＦＤＭＡモードにおいて端末に対応するサブチャネル上で端末によって送信されたＡＣＫ応答又はＢＡ応答を受信するように構成された受信モジュールをさらに備える。
【００４９】
第３の態様の第６の可能な実装方式に関して、第３の態様の第８の可能な実装方式において、ＯＦＤＭＡ物理層シグナリングは、端末に対応し、ＡＣＫ応答又はＢＡ応答がアクセスポイントに送信されるとともに、端末に対して割り振られたサブチャネルを示すために使用され、その場合に、送信モジュールは、ダウンリンクＯＦＤＭＡデータ情報が端末に対応するサブチャネル上で送信された後に、ＡＣＫ要求フレーム又はＢＡ要求フレームを端末に送信し、ＡＣＫ要求フレーム又はＢＡ要求フレームは専用情報ビットを含み、専用情報ビットは、ＯＦＤＭＡモードにおいてＡＣＫ応答又はＢＡ応答をアクセスポイントに送信するように端末に指示するために使用される、ようにさらに構成され、
受信モジュールは、ＯＦＤＭＡモードにおいて対応するサブチャネル上で端末によって送信されたＡＣＫ応答又はＢＡ応答を受信するようにさらに構成される。
【００５０】
第３の態様から第３の態様の第３の可能な実装方式までのいずれか１つに関して、第３の態様の第９の可能な実装方式において、ＯＦＤＭＡ物理層シグナリングは、ＯＦＤＭＡ  ＡＣＫ要求又はＯＦＤＭＡ  ＢＡ要求を運び、ＯＦＤＭＡ  ＡＣＫ要求又はＯＦＤＭＡ  ＢＡ要求は、ＯＦＤＭＡモードにおいてＡＣＫ応答又はＢＡ応答をアクセスポイントに送信するように端末に指示するために使用され、その場合に、ＯＦＤＭＡ物理層シグナリングは、端末に対応し、ＡＣＫ応答又はＢＡ応答がアクセスポイントに送信されるとともに、端末に対して割り振られたサブチャネルを端末に示すために特に使用され、その場合に、送信モジュールは、マルチユーザ多入力多出力ＭＵ−ＭＩＭＯモードにおいてＭＵ−ＭＩＭＯデータ情報を端末に送信し、ＭＵ−ＭＩＭＯデータ情報は、ＯＦＤＭＡ物理層シグナリングを運ぶ、ように特に構成され、
受信モジュールは、送信モジュールが直交周波数分割多元接続ＯＦＤＭＡ物理層シグナリングを端末に送信した後に、ＯＦＤＭＡモードにおいて対応するサブチャネル上で端末によって送信されたＡＣＫ応答又はＢＡ応答を受信するようにさらに構成される。
【００５１】
第３の態様から第３の態様の第３の可能な実装方式までのいずれか１つに関して、第３の態様の第１０の可能な実装方式において、ＯＦＤＭＡ物理層シグナリングは、端末に対応し、ＡＣＫ応答又はＢＡ応答がアクセスポイントに送信されるとともに、端末に対して割り振られたサブチャネルを端末に示すために特に使用され、その場合に、送信モジュールは、ＭＵ−ＭＩＭＯモードにおいてＭＵ−ＭＩＭＯデータ情報を端末に送信し、ここでＭＵ−ＭＩＭＯデータ情報はＯＦＤＭＡ物理層シグナリングを運び、そしてＡＣＫ要求フレーム又はＢＡ要求フレームを端末に送信し、ＡＣＫ要求フレーム又はＢＡ要求フレームは専用情報ビットを含み、専用情報ビットは、ＯＦＤＭＡモードにおいてＡＣＫ応答又はＢＡ応答をアクセスポイントに送信するように端末に指示するために使用される、ように特に構成され、
その場合に、受信モジュールは、送信モジュールが直交周波数分割多元接続ＯＦＤＭＡ物理層シグナリングを端末に送信した後に、ＯＦＤＭＡモードにおいて端末に対応するサブチャネル上で端末によって送信されたＡＣＫ応答又はＢＡ応答を受信するようにさらに構成される。
【００５２】
第３の態様から第３の態様の第３の可能な実装方式までのいずれか１つに関して、第３の態様の第１１の可能な実装方式において、ＯＦＤＭＡ物理層シグナリングは、端末に対応し、ＡＣＫ応答又はＢＡ応答がアクセスポイントに送信されるとともに、端末に対して割り振られたサブチャネルを端末に示すために特に使用され、その場合に、送信モジュールは、ＭＵ−ＭＩＭＯモードにおいてＭＵ−ＭＩＭＯデータ情報を端末に送信するとともに、ＡＣＫ要求フレーム又はＢＡ要求フレームを端末に送信し、ＡＣＫ要求フレーム又はＢＡ要求フレームは専用情報ビットを含み、専用情報ビットは、ＯＦＤＭＡモードにおいてＡＣＫ応答又はＢＡ応答をアクセスポイントに送信するように端末に指示するために使用され、ＡＣＫ要求フレーム又はＢＡ要求フレームは、ＯＦＤＭＡ物理層シグナリングを運ぶ、ように特に構成され、
その場合に、受信モジュールは、送信モジュールが直交周波数分割多元接続ＯＦＤＭＡ物理層シグナリングを端末に送信した後に、ＯＦＤＭＡモードにおいて対応するサブチャネル上で端末によって送信されたＡＣＫ応答又はＢＡ応答を受信するようにさらに構成される。
【００５３】
第３の態様から第３の態様の第３の可能な実装方式までのいずれか１つに関して、第３の態様の第１２の可能な実装方式において、ＯＦＤＭＡ物理層シグナリングは、ＯＦＤＭＡ  ＡＣＫ要求又はＯＦＤＭＡ  ＢＡ要求を運び、ＯＦＤＭＡ  ＡＣＫ要求又はＯＦＤＭＡ  ＢＡ要求は、ＯＦＤＭＡモードにおいてＡＣＫ応答又はＢＡ応答をアクセスポイントに送信するように端末に指示するために使用され、その場合に、ＯＦＤＭＡ物理層シグナリングは、端末に対応し、ＡＣＫ応答又はＢＡ応答がアクセスポイントに送信されるとともに、端末に対して割り振られたサブチャネルを端末に示すために特に使用され、送信モジュールは、直交周波数分割多元接続ＯＦＤＭＡ物理層シグナリングが端末に送信された後に、ＯＦＤＭＡ＋ＭＵ−ＭＩＭＯモードにおいて端末に対応するサブチャネル上でＯＦＤＭＡ＋ＭＵ−ＭＩＭＯデータ情報を端末に送信するようにさらに構成され、
受信モジュールは、ＯＦＤＭＡモードにおいて対応するサブチャネル上で端末によって送信されたＡＣＫ応答又はＢＡ応答を受信するようにさらに構成される。
【００５４】
第３の態様から第３の態様の第３の可能な実装方式までのいずれか１つに関して、第３の態様の第１３の可能な実装方式において、ＯＦＤＭＡ物理層シグナリングは、端末に対応し、ＡＣＫ応答又はＢＡ応答がアクセスポイントに送信されるとともに、端末に対して割り振られたサブチャネルを端末に示すために特に使用され、その場合に、送信モジュールは、直交周波数分割多元接続ＯＦＤＭＡ物理層シグナリングが端末に送信された後に、ＯＦＤＭＡ＋ＭＵ−ＭＩＭＯモードにおいて端末に対応するサブチャネル上でＯＦＤＭＡ＋ＭＵ−ＭＩＭＯデータ情報を端末に送信するとともに、ＡＣＫ要求フレーム又はＢＡ要求フレームを端末に送信し、ＡＣＫ要求フレーム又はＢＡ要求フレームは専用情報ビットを含み、専用情報ビットは、ＯＦＤＭＡモードにおいてＡＣＫ応答又はＢＡ応答をアクセスポイントに送信するように端末に指示するために使用される、ようにさらに構成され、
その場合に、受信モジュールは、ＯＦＤＭＡモードにおいて対応するサブチャネル上で端末によって送信されたＡＣＫ応答又はＢＡ応答を受信するようにさらに構成される。
【００５５】
第３の態様から第３の態様の第５の可能な実装方式までのいずれか１つに関して、第３の態様の第１４の可能な実装方式において、ＯＦＤＭＡ物理層シグナリングは、端末に対応し、アップリンクＯＦＤＭＡデータ情報がアクセスポイントに送信されるとともに、端末に対して割り振られたサブチャネルを端末に示すために特に使用され、
その場合に、受信モジュールは、送信モジュールが直交周波数分割多元接続ＯＦＤＭＡ物理層シグナリングを端末に送信する前に、端末によって送信されたアップリンク伝送フレームを受信し、送信モジュールが直交周波数分割多元接続ＯＦＤＭＡ物理層シグナリングを端末に送信した後に、ＯＦＤＭＡモードにおいて対応するサブチャネル上で端末によって送信されたアップリンクＯＦＤＭＡデータ情報を受信するようにさらに構成される。
【００５６】
第３の態様の第１４の可能な実装方式に関して、第３の態様の第１５の可能な実装方式において、アップリンクＯＦＤＭＡデータ情報は、ＯＦＤＭＡ  ＡＣＫ要求又はＯＦＤＭＡ  ＢＡ要求を運び、ＯＦＤＭＡ  ＡＣＫ要求又はＯＦＤＭＡ  ＢＡ要求は、ＯＦＤＭＡモードにおいてＡＣＫ応答又はＢＡ応答を端末に送信するようにアクセスポイントに指示するためにさらに使用され、その場合に、送信モジュールは、受信モジュールが対応するサブチャネル上で端末によって送信されたアップリンクＯＦＤＭＡデータ情報を受信した後に、ＯＦＤＭＡモードにおいて端末に対応するサブチャネル上でアップリンクＯＦＤＭＡデータ情報に対応するＡＣＫ応答又はＢＡ応答を送信するようにさらに構成される。
【００５７】
第３の態様から第３の態様の第５の可能な実装方式までのいずれか１つに関して、第３の態様の第１６の可能な実装方式において、ＯＦＤＭＡ物理層シグナリングは、端末に対応し、アップリンクＯＦＤＭＡデータ情報がアクセスポイントに送信されるとともに、端末に対して割り振られたサブチャネルを端末に示すために特に使用され、その場合に、受信モジュールは、送信モジュールが直交周波数分割多元接続ＯＦＤＭＡ物理層シグナリングを端末に送信した後に、ＯＦＤＭＡモードにおいて対応するサブチャネル上で端末によって送信されたアップリンクＯＦＤＭＡデータ情報を受信するようにさらに構成される。
【００５８】
第４の態様によれば、本発明は、端末であって、
アクセスポイントによって送信された直交周波数分割多元接続ＯＦＤＭＡ物理層シグナリングを受信するように構成された受信モジュールであって、ＯＦＤＭＡ物理層シグナリングは、端末に対してアクセスポイントによって割り振られたサブチャネルを端末に示すために使用され、ＯＦＤＭＡ物理層シグナリングは、端末の識別子、及び端末の識別子に対応するサブチャネル情報を含む、受信モジュールと、
ＯＦＤＭＡ物理層シグナリングに従って端末に対応するサブチャネルを判定するように構成された判定モジュールとを備える端末を提供する。
【００５９】
第４の態様に関して、第４の態様の第１の可能な実装方式において、端末の識別子は、１つ又は複数の端末グループの識別子であり、各端末グループは、少なくとも１つの端末を含み、サブチャネル情報は、アップリンクサブチャネル又はダウンリンクサブチャネル又はアップリンク及びダウンリンク双方向サブチャネルを含み、その場合に、端末に対して割り振られたサブチャネルを端末に示すために使用されているＯＦＤＭＡ物理層シグナリングは、
各端末グループに、割り振られたサブチャネルがアップリンクサブチャネル又はダウンリンクサブチャネル又はアップリンク及びダウンリンク双方向サブチャネルであることを示すために使用されているＯＦＤＭＡ物理層シグナリングを含み、端末グループ及びサブチャネルは一対一の対応関係にある。
【００６０】
第４の態様の第１の可能な実装方式に関して、第４の態様の第２の可能な実装方式において、受信モジュールは、アクセスポイントによって送信された直交周波数分割多元接続ＯＦＤＭＡ物理層シグナリングが受信される前に、端末グループの識別子と端末のアドレスとの間のマッピング関係を受信し、マッピング関係はアクセスポイントによって送信される、ようにさらに構成され、その場合に、判定モジュールは、マッピング関係に従って、端末が端末グループ内に配置されていることを判定し、その場合に、端末グループに対応するサブチャネルが、端末に対応するサブチャネルであることを判定するように特に構成される。
【００６１】
第４の態様に関して、第４の態様の第３の可能な実装方式において、端末の識別子は、１つの端末グループの識別子であり、端末グループは、少なくとも２つの端末を含み、その場合に、端末に対して割り振られたサブチャネルを端末に示すために使用されているＯＦＤＭＡ物理層シグナリングは、
端末グループ内の各端末に、割り振られたサブチャネルがアップリンクサブチャネル又はダウンリンクサブチャネル又はアップリンク及びダウンリンク双方向サブチャネルであることを示すために使用されているＯＦＤＭＡ物理層シグナリングを含み、端末グループ内の各端末及びサブチャネルは一対一の対応関係にある。
【００６２】
第４の態様から第４の態様の第３の可能な実装方式までのいずれか１つに関して、第４の態様の第４の可能な実装方式において、受信モジュールは、アクセスポイントによって送信された直交周波数分割多重化ＯＦＤＭプリアンブルを受信し、ＯＦＤＭプリアンブルは、ＯＦＤＭＡ物理層シグナリングを運ぶ、ように特に構成されるか、又はアクセスポイントによって送信されたヌルデータパケットアナウンスメントＮＤＰＡフレームを受信し、ＮＤＰＡフレームは、ＯＦＤＭＡ物理層シグナリングを運ぶ、ように特に構成される。
【００６３】
第４の態様から第４の態様の第３の可能な実装方式までのいずれか１つに関して、第４の態様の第５の可能な実装方式において、受信モジュールは、アクセスポイントによって送信されたＮＤＰＡフレーム及びＯＦＤＭプリアンブルを受信し、ＮＤＰＡフレームは、ＯＦＤＭＡ物理層シグナリングにおける端末の識別子を運び、そしてＯＦＤＭプリアンブルは、端末の識別子に対応するとともに、ＯＦＤＭＡ物理層シグナリング内にあるサブチャネル情報を運ぶ、ようにさらに構成されるか、又はアクセスポイントによって送信されたＮＤＰＡフレーム及びＯＦＤＭプリアンブルを受信し、ＮＤＰＡフレームは、端末の識別子に対応するとともに、ＯＦＤＭＡ物理層シグナリング内にあるサブチャネル情報を運び、そしてＯＦＤＭプリアンブルは、ＯＦＤＭＡ物理層シグナリングにおける端末の識別子を運ぶ、ようにさらに構成される。
【００６４】
第４の態様から第４の態様の第５の可能な実装方式までのいずれか１つに関して、第４の態様の第６の可能な実装方式において、ＯＦＤＭＡ物理層シグナリングは、ダウンリンクＯＦＤＭＡデータ情報を受信するためにアクセスポイントによって端末に割り振られたサブチャネルを端末に示すために特に使用され、その場合に、受信モジュールは、判定モジュールがＯＦＤＭＡ物理層シグナリングに従って端末に対応するサブチャネルを判定した後に、端末に対応するサブチャネル上で、アクセスポイントによって送信されたダウンリンクＯＦＤＭＡデータ情報を受信し、ダウンリンクＯＦＤＭＡデータ情報は、ＯＦＤＭＡプリアンブル及びＯＦＤＭＡデータを含み、ＯＦＤＭＡプリアンブルは、スイッチングフィールド及びウルトラハイスループットシグナリングＢ  ＵＨＴ−ＳＩＧ−Ｂを含む、ようにさらに構成される。
【００６５】
第４の態様の第６の可能な実装方式に関して、第４の態様の第７の可能な実装方式において、受信モジュールは、
ＯＦＤＭＡデータに対応するとともに、アクセスポイントによって送信された送信先端末アドレスを受信するように構成された受信ユニットと、
端末が送信先端末アドレスに一致しているかどうかを判定し、もし一致すれば、端末に対応するサブチャネル上で、アクセスポイントによって送信されたダウンリンクＯＦＤＭＡデータ情報を受信するように受信ユニットに指示するように構成された判定ユニットとを備える。
【００６６】
第４の態様の第７の可能な実装方式に関して、第４の態様の第８の可能な実装方式において、ＯＦＤＭＡ物理層シグナリング又はダウンリンクＯＦＤＭＡデータ情報は、ＯＦＤＭＡ確認応答ＡＣＫ要求又はＯＦＤＭＡブロック確認応答ＢＡ要求を運び、ＯＦＤＭＡ  ＡＣＫ要求又はＯＦＤＭＡ  ＢＡ要求は、ＯＦＤＭＡモードにおいてＡＣＫ応答又はＢＡ応答をアクセスポイントに送信するように端末に指示するために使用され、その場合に、ＯＦＤＭＡ物理層シグナリングは、端末に対応し、ＡＣＫ応答又はＢＡ応答がアクセスポイントに送信されるとともに、端末に対して割り振られたサブチャネルを示すためにさらに使用され、その場合に、当該端末は、
受信モジュールが、端末に対応するサブチャネル上で、アクセスポイントによって送信されたダウンリンクＯＦＤＭＡデータ情報を受信した後に、ＯＦＤＭＡモードにおいて端末に対応するサブチャネル上でアクセスポイントにＡＣＫ応答又はＢＡ応答を送信するように構成された送信モジュールをさらに備える。
【００６７】
第４の態様の第７の可能な実装方式に関して、第４の態様の第９の可能な実装方式において、ＯＦＤＭＡ物理層シグナリングは、端末に対応し、ＡＣＫ応答又はＢＡ応答がアクセスポイントに送信されるとともに、端末に対して割り振られたサブチャネルを示すためにさらに使用され、その場合に、受信モジュールは、アクセスポイントによって送信されたダウンリンクＯＦＤＭＡデータ情報が端末に対応するサブチャネル上で受信された後に、アクセスポイントによって送信されたＡＣＫ要求フレーム又はＢＡ要求フレームを受信し、ＡＣＫ要求フレーム又はＢＡ要求フレームは専用情報ビットを含み、専用情報ビットは、ＯＦＤＭＡモードにおいてＡＣＫ応答又はＢＡ応答をアクセスポイントに送信するように端末に指示するために使用される、ようにさらに構成され、
その場合に、送信モジュールは、ＯＦＤＭＡモードにおいて端末に対応するサブチャネル上でアクセスポイントにＡＣＫ応答又はＢＡ応答を送信するようにさらに構成される。
【００６８】
第４の態様から第４の態様の第３の可能な実装方式までのいずれか１つに関して、第４の態様の第１０の可能な実装方式において、ＯＦＤＭＡ物理層シグナリングは、ＯＦＤＭＡ  ＡＣＫ要求又はＯＦＤＭＡ  ＢＡ要求を運び、ＯＦＤＭＡ  ＡＣＫ要求又はＯＦＤＭＡ  ＢＡ要求は、ＯＦＤＭＡモードにおいてＡＣＫ応答又はＢＡ応答をアクセスポイントに送信するように端末に指示するために使用され、その場合に、ＯＦＤＭＡ物理層シグナリングは、端末に対応し、ＡＣＫ応答又はＢＡ応答がアクセスポイントに送信されるとともに、端末に対して割り振られたサブチャネルを端末に示すために特に使用され、その場合に、受信モジュールは、アクセスポイントによって送信されたマルチユーザ多入力多出力ＭＵ−ＭＩＭＯデータ情報を受信するように特に構成され、
送信モジュールは、判定モジュールがＯＦＤＭＡ物理層シグナリングに従って端末に対応するサブチャネルを判定した後に、ＯＦＤＭＡモードにおいて端末に対応するサブチャネル上でアクセスポイントにＡＣＫ応答又はＢＡ応答を送信するようにさらに構成される。
【００６９】
第４の態様から第４の態様の第３の可能な実装方式までのいずれか１つに関して、第４の態様の第１１の可能な実装方式において、ＯＦＤＭＡ物理層シグナリングは、端末に対応し、ＡＣＫ応答又はＢＡ応答がアクセスポイントに送信されるとともに、端末に対して割り振られたサブチャネルを端末に示すために特に使用され、その場合に、受信モジュールは、アクセスポイントによって送信されたＭＵ−ＭＩＭＯデータ情報を受信し、ここでＭＵ−ＭＩＭＯデータ情報はＯＦＤＭＡ物理層シグナリングを運び、そしてアクセスポイントによって送信されたＡＣＫ要求フレーム又はＢＡ要求フレームを受信し、ＡＣＫ要求フレーム又はＢＡ要求フレームは専用情報ビットを含み、専用情報ビットは、ＯＦＤＭＡモードにおいてＡＣＫ応答又はＢＡ応答をアクセスポイントに送信するように端末に指示するために使用される、ように特に構成され、
その場合に、送信モジュールは、判定モジュールがＯＦＤＭＡ物理層シグナリングに従って端末に対応するサブチャネルを判定した後に、ＯＦＤＭＡモードにおいて端末に対応するサブチャネル上でアクセスポイントにＡＣＫ応答又はＢＡ応答を送信するようにさらに構成される。
【００７０】
第４の態様から第４の態様の第３の可能な実装方式までのいずれか１つに関して、第４の態様の第１２の可能な実装方式において、ＯＦＤＭＡ物理層シグナリングは、端末に対応し、ＡＣＫ応答又はＢＡ応答がアクセスポイントに送信されるとともに、端末に対して割り振られたサブチャネルを端末に示すために特に使用され、その場合に、受信モジュールは、アクセスポイントによって送信されたＭＵ−ＭＩＭＯデータ情報を受信するとともに、アクセスポイントによって送信されたＡＣＫ要求フレーム又はＢＡ要求フレームを受信し、ＡＣＫ要求フレーム又はＢＡ要求フレームは専用情報ビットを含み、専用情報ビットは、ＯＦＤＭＡモードにおいてＡＣＫ応答又はＢＡ応答をアクセスポイントに送信するように端末に指示するために使用され、ＡＣＫ要求フレーム又はＢＡ要求フレームは、ＯＦＤＭＡ物理層シグナリングを運ぶ、ように特に構成され、
その場合に、送信モジュールは、判定モジュールがＯＦＤＭＡ物理層シグナリングに従って端末に対応するサブチャネルを判定した後に、ＯＦＤＭＡモードにおいて端末に対応するサブチャネル上でアクセスポイントにＡＣＫ応答又はＢＡ応答を送信するようにさらに構成される。
【００７１】
第４の態様から第４の態様の第３の可能な実装方式までのいずれか１つに関して、第４の態様の第１３の可能な実装方式において、ＯＦＤＭＡ物理層シグナリングは、ＯＦＤＭＡ  ＡＣＫ要求又はＯＦＤＭＡ  ＢＡ要求を運び、ＯＦＤＭＡ  ＡＣＫ要求又はＯＦＤＭＡ  ＢＡ要求は、ＯＦＤＭＡモードにおいてＡＣＫ応答又はＢＡ応答をアクセスポイントに送信するように端末に指示するために使用され、その場合に、ＯＦＤＭＡ物理層シグナリングは、端末に対応し、ＡＣＫ応答又はＢＡ応答がアクセスポイントに送信されるとともに、端末に対して割り振られたサブチャネルを端末に示すために特に使用され、その場合に、受信モジュールは、判定モジュールがＯＦＤＭＡ物理層シグナリングに従って端末に対応するサブチャネルを判定した後に、端末に対応するサブチャネル上で、アクセスポイントによって送信されたＯＦＤＭＡ＋ＭＵ−ＭＩＭＯデータ情報を受信するようにさらに構成され、
送信モジュールは、ＯＦＤＭＡモードにおいて端末に対応するサブチャネル上でアクセスポイントにＡＣＫ応答又はＢＡ応答を送信するようにさらに構成される。
【００７２】
第４の態様から第４の態様の第３の可能な実装方式までのいずれか１つに関して、第４の態様の第１４の可能な実装方式において、ＯＦＤＭＡ物理層シグナリングは、端末に対応し、ＡＣＫ応答又はＢＡ応答がアクセスポイントに送信されるとともに、端末に対して割り振られたサブチャネルを端末に示すために特に使用され、その場合に、受信モジュールは、判定モジュールがＯＦＤＭＡ物理層シグナリングに従って端末に対応するサブチャネルを判定した後に、端末に対応するサブチャネル上で、アクセスポイントによって送信されたＯＦＤＭＡ＋ＭＵ−ＭＩＭＯデータ情報を受信するとともに、アクセスポイントによって送信されたＡＣＫ要求フレーム又はＢＡ要求フレームを受信し、ＡＣＫ要求フレーム又はＢＡ要求フレームは専用情報ビットを含み、専用情報ビットは、ＯＦＤＭＡモードにおいてＡＣＫ応答又はＢＡ応答をアクセスポイントに送信するように端末に指示するために使用される、ようにさらに構成され、
送信モジュールは、ＯＦＤＭＡモードにおいて端末に対応するサブチャネル上でアクセスポイントにＡＣＫ応答又はＢＡ応答を送信するようにさらに構成される。
【００７３】
第４の態様から第４の態様の第５の可能な実装方式までのいずれか１つに関して、第４の態様の第１５の可能な実装方式において、ＯＦＤＭＡ物理層シグナリングは、端末に対応し、アップリンクＯＦＤＭＡデータ情報がアクセスポイントに送信されるとともに、端末に対して割り振られたサブチャネルを端末に示すために特に使用され、その場合に、送信モジュールは、受信モジュールがアクセスポイントによって送信された直交周波数分割多元接続ＯＦＤＭＡ物理層シグナリングを受信する前に、アップリンク伝送フレームをアクセスポイントに送信するようにさらに構成され、判定モジュールがＯＦＤＭＡ物理層シグナリングに従って端末に対応するサブチャネルを判定した後に、ＯＦＤＭＡモードにおいて端末に対応するサブチャネル上でアップリンクＯＦＤＭＡデータ情報をアクセスポイントに送信するようにさらに構成される。
【００７４】
第４の態様の第１５の可能な実装方式に関して、第４の態様の第１６の可能な実装方式において、アップリンクＯＦＤＭＡデータ情報は、ＯＦＤＭＡ  ＡＣＫ要求又はＯＦＤＭＡ  ＢＡ要求を運び、ＯＦＤＭＡ  ＡＣＫ要求又はＯＦＤＭＡ  ＢＡ要求は、ＯＦＤＭＡモードにおいてＡＣＫ応答又はＢＡ応答を端末に送信するようにアクセスポイントに指示するためにさらに使用され、その場合に、受信モジュールは、送信モジュールがアップリンクＯＦＤＭＡデータ情報をアクセスポイントに送信した後に、端末に対応するサブチャネル上で、アップリンクＯＦＤＭＡデータ情報に対応するとともに、アクセスポイントによって送信されたＡＣＫ応答又はＢＡ応答を受信するようにさらに構成される。
【００７５】
第４の態様から第４の態様の第５の可能な実装方式までのいずれか１つに関して、第４の態様の第１７の可能な実装方式において、ＯＦＤＭＡ物理層シグナリングは、端末に対応し、アップリンクＯＦＤＭＡデータ情報がアクセスポイントに送信されるとともに、端末に対して割り振られたサブチャネルを端末に示すために特に使用され、その場合に、送信モジュールは、判定モジュールがＯＦＤＭＡ物理層シグナリングに従って端末に対応するサブチャネルを判定した後に、ＯＦＤＭＡモードにおいて端末に対応するサブチャネル上でアップリンクＯＦＤＭＡデータ情報をアクセスポイントに送信するようにさらに構成される。
【００７６】
本発明は、データ伝送インジケーション方法、アクセスポイント、及び端末を提供し、ここで、アクセスポイントは、ＯＦＤＭＡ物理層シグナリングを端末に送信し、それにより、各端末は、端末が対応するサブチャネルを学習し、したがって、端末は、端末に対応するサブチャネル上で対応する動作を実行し得る。すなわち、アクセスポイントがＯＦＤＭＡ物理層シグナリングに従って各端末に対してサブチャネルを割り振る方式は、アクセスポイントがより多くの端末に対してサブチャネルを示すことを可能にし、すなわち、アクセスポイントがサブチャネルを示す端末の数は制限されない。
【００７７】
本発明の実施形態における技術的解決策をより明確に説明するために、以下において、実施形態又は従来技術の説明に必要な添付図面を簡単に紹介する。明らかに、以下の説明の添付図面は、本発明のいくつかの実施形態を示しており、当業者であれば、創造的労力を費やすことなくこれらの添付図面から他の図面を導き出すことができる。
【図面の簡単な説明】
【００７８】
【図１】本発明によるデータ伝送インジケーション方法の実施形態２の概略のフローチャートである。
【図２】本発明によるデータ伝送インジケーション方法の実施形態４の概略のフローチャートである。
【図２ａ】本発明によるデータ伝送の概略図１である。
【図２ｂ】本発明によるデータ伝送の概略図２である。
【図２ｃ】本発明によるデータ伝送の概略図３である。
【図２ｄ】本発明によるデータ伝送の概略図４である。
【図３】本発明によるデータ伝送インジケーション方法の実施形態５の概略のフローチャートである。
【図３ａ】本発明によるデータ伝送の概略図５である。
【図３ｂ】本発明によるデータ伝送の概略図６である。
【図４】本発明によるデータ伝送インジケーション方法の実施形態６の概略のフローチャートである。
【図４ａ】本発明によるデータ伝送の概略図７である。
【図４ｂ】本発明によるデータ伝送の概略図８である。
【図５】本発明によるデータ伝送インジケーション方法の実施形態７の概略のフローチャートである。
【図６】本発明によるデータ伝送インジケーション方法の実施形態８の概略のフローチャートである。
【図７】本発明によるデータ伝送インジケーション方法の実施形態９の概略のフローチャートである。
【図８】本発明によるデータ伝送インジケーション方法の実施形態１０の概略のフローチャートである。
【図９】本発明によるデータ伝送インジケーション方法の実施形態１１の概略のフローチャートである。
【図１０】本発明によるデータ伝送インジケーション方法の実施形態１２の概略のフローチャートである。
【図１０ａ】本発明によるデータ伝送の概略図９である。
【図１０ｂ】本発明によるデータ伝送の概略図１０である。
【図１１】本発明によるデータ伝送インジケーション方法の実施形態１３の概略のフローチャートである。
【図１１ａ】本発明によるデータ伝送の概略図１１である。
【図１１ｂ】本発明によるデータ伝送の概略図１２である。
【図１２】本発明によるデータ伝送インジケーション方法の実施形態１４の概略のフローチャートである。
【図１３】本発明によるデータ伝送インジケーション方法の実施形態１５の概略のフローチャートである。
【図１４】本発明によるデータ伝送インジケーション方法の実施形態１７の概略のフローチャートである。
【図１５】本発明によるデータ伝送インジケーション方法の実施形態１８の概略のフローチャートである。
【図１６】本発明によるデータ伝送インジケーション方法の実施形態１９の概略のフローチャートである。
【図１７】本発明によるデータ伝送インジケーション方法の実施形態２０の概略のフローチャートである。
【図１８】本発明によるデータ伝送インジケーション方法の実施形態２１の概略のフローチャートである。
【図１９】本発明によるデータ伝送インジケーション方法の実施形態２２の概略のフローチャートである。
【図２０】本発明によるデータ伝送インジケーション方法の実施形態２３の概略のフローチャートである。
【図２１】本発明によるデータ伝送インジケーション方法の実施形態２４の概略のフローチャートである。
【図２２】本発明によるデータ伝送インジケーション方法の実施形態２５の概略のフローチャートである。
【図２３】本発明によるデータ伝送インジケーション方法の実施形態２６の概略のフローチャートである。
【図２４】本発明によるアクセスポイントの実施形態２の概略の構造図である。
【図２５】本発明による端末の実施形態１の概略の構造図である。
【図２６】本発明による端末の実施形態２の概略の構造図である。
【図２７】本発明による端末の実施形態３の概略の構造図である。
【図２８】アクセスポイントがＯＦＤＭＡモードにおいてダウンリンクデータ情報を端末に送信するＩＤＦＴ実装のブロック図である。
【図２９】本発明によるアクセスポイントの実施形態４の概略の構造図である。
【図３０】アクセスポイントがＯＦＤＭＡ物理層シグナリングを使用することによってアップリンクＯＦＤＭＡデータ情報の伝送を実施するブロック図である。
【図３１】本発明による端末の実施形態４の概略の構造図である。
【図３２】本発明による端末の実施形態５の概略の構造図である。
【発明を実施するための形態】
【００７９】
本発明の実施形態の目的、技術的解決策、及び利点をよりわかりやすくするために、以下では、本発明の実施形態の添付図面を参照しつつ本発明の実施形態における技術的解決策を明確に説明する。明らかに、説明されている実施形態は、本発明の実施形態の一部であってすべてではない。創造的労力を費やすことなく本発明の実施形態に基づいて当業者が得る他のすべての実施形態は、本発明の保護の範囲内に収まるものとする。
【００８０】
本出願に関わる端末、すなわち、ユーザ機器は、無線端末又は有線端末であってよい。無線端末は、ユーザに音声及び／若しくはデータ接続性を提供するデバイス、無線接続機能を有するハンドヘルドデバイス、又は無線モデムに接続される別の処理デバイスを指すものとしてよい。無線端末は、無線アクセスネットワーク（ＲＡＮ、Ｒａｄｉｏ  Ａｃｃｅｓｓ  Ｎｅｔｗｏｒｋなど）を使用することによって１つ又は複数のコアネットワークと通信し得る。無線端末は、携帯電話（「セルラ」電話とも称される）などの携帯端末、又は携帯端末を備えるコンピュータであってよく、例えば、無線アクセスネットワークと言語及び／若しくはデータを交換する、ポータブル、ポケットサイズ、ハンドヘルド、コンピュータ内蔵型、又は車載型モバイル装置であってよい。例えば、それは、パーソナル通信サービス（ＰＣＳ、Ｐｅｒｓｏｎａｌ  Ｃｏｍｍｕｎｉｃａｔｉｏｎ  Ｓｅｒｖｉｃｅ）電話、コードレス電話機、セッション開始プロトコル（ＳＩＰ）電話、無線ローカルループ（ＷＬＬ、Ｗｉｒｅｌｅｓｓ  Ｌｏｃａｌ  Ｌｏｏｐ）局、又は携帯情報端末（ＰＤＡ、Ｐｅｒｓｏｎａｌ  Ｄｉｇｉｔａｌ  Ａｓｓｉｓｔａｎｔ）などのデバイスであってよい。無線端末は、システム、加入者ユニット（Ｓｕｂｓｃｒｉｂｅｒ  Ｕｎｉｔ）、加入者局（Ｓｕｂｓｃｒｉｂｅｒ  Ｓｔａｔｉｏｎ）、移動局（Ｍｏｂｉｌｅ  Ｓｔａｔｉｏｎ）、携帯端末（Ｍｏｂｉｌｅ）、リモート局（Ｒｅｍｏｔｅ  Ｓｔａｔｉｏｎ）、アクセスポイント（Ａｃｃｅｓｓ  Ｐｏｉｎｔ）、リモート端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）、ユーザデバイス（Ｕｓｅｒ  Ｄｅｖｉｃｅ）、又はユーザ機器（Ｕｓｅｒ  Ｅｑｕｉｐｍｅｎｔ）とも称され得る。
【００８１】
本出願に関わるアクセスポイント（基地局など）は、ＷＬＡＮのアクセスポイント（Ａｃｃｅｓｓ  Ｐｏｉｎｔ）であり得るか、又は１つ若しくは複数のセクタを使用することによってアクセスネットワーク内のエアーインターフェース上で無線端末と通信するデバイスを指すものとしてよい。基地局は、受信された無線フレーム及びＩＰパケットを相互に変換し、無線端末とアクセスネットワークの残り部分との間でルータとしての機能を果たし、ここで、アクセスネットワークの残り部分は、インターネットプロトコル（ＩＰ）ネットワークを含み得る。基地局は、同様に、エアーインターフェースの属性管理を調整し得る。例えば、基地局は、ＧＳＭ又はＣＤＭＡにおける基地局（ＢＴＳ、Ｂａｓｅ  Ｔｒａｎｓｃｅｉｖｅｒ  Ｓｔａｔｉｏｎ）であり、同様に、ＷＣＤＭＡにおける基地局（ＮｏｄｅＢ）であり、さらに、ＬＴＥにおける発展型ＮｏｄｅＢ（ＮｏｄｅＢ、ｅＮＢ、又はｅ−ＮｏｄｅＢ、ｅｖｏｌｖｅｄ  Ｎｏｄｅ  Ｂ）であってよく、これは本出願では限定されない。
【００８２】
本発明の実施形態１は、データ伝送インジケーション方法を提供する。実施形態に関わる方法は、アクセスポイントが、ＯＦＤＭＡ物理層シグナリングを使用することによって、端末が対応するサブチャネルを示す特定のプロセスである。方法は、アクセスポイントにより、ＯＦＤＭＡ物理層シグナリングを端末に送信することであって、ここで、ＯＦＤＭＡ物理層シグナリングは、端末に対して割り振られたサブチャネルを端末に示すために使用され、それにより、端末はＯＦＤＭＡ物理層シグナリングに従って端末に対応するサブチャネルを判定し、ここで、ＯＦＤＭＡ物理層シグナリングは、端末の識別子、及び端末の識別子に対応するサブチャネル情報を含む、送信することを含む。
【００８３】
本発明のこの実施形態では、１つ又は複数の端末があり得ることに留意されたい。アクセスポイントは、各端末に対して同じ動作を実行し、したがって、本発明のこの実施形態における端末を使用することによって説明が行われる。
【００８４】
特に、アクセスポイントは、ＯＦＤＭモードにおいてＯＦＤＭＡ物理層シグナリングを端末に送信し、すなわち、アクセスポイントは、ＯＦＤＭＡ物理層シグナリングをアクセスポイントのカバーエリア内の端末に送信し得るが、しかしアクセスポイントのカバーエリア内の別の端末は、同様に、ＯＦＤＭＡ物理層シグナリングを取得し、正しく復調するためにリッスンすることができる。本発明のこの実施形態におけるＯＦＤＭＡ物理層シグナリングは、端末の識別子、及び端末の識別子に対応するサブチャネル情報を含み、端末に対して割り振られたサブチャネルを端末に示すために使用され、それにより、各端末は端末に対応するサブチャネルを学習し、そのサブチャネル上で対応する動作を実行し、例えば、端末に対応するサブチャネル上で、端末に属するとともに、アクセスポイントによって送信されたデータを受信し得るか、又は端末に対応するサブチャネル上で、対応する応答情報若しくはアップリンクデータ情報をアクセスポイントに送信し得る。前述のＯＦＤＭＡ物理層シグナリングにおける端末の識別子は、単一の端末グループの識別子であってよいか、又は複数の端末グループの識別子であってよく、端末グループは、複数の端末を含み得る。
【００８５】
サブチャネルのチャネル帯域幅は、本発明では限定されず、アクセスポイントは、端末の帯域幅要求条件に従ってサブチャネルの帯域幅を判定する。さらに、示されているサブチャネルは、複数の形態で提示されるものとしてよく、これはサブチャネルの中心周波数及び帯域幅であり得るか、又は開始周波数帯域のチャネル数及び帯域幅であり得るか、又は開始周波数帯域から終了周波数帯域までのチャネル数範囲であり得、これは本発明では限定されない。
【００８６】
この実施形態に関わるＯＦＤＭＡ物理層シグナリングによって端末に対して示されるサブチャネルは、１つの端末に対応し得るか、又は複数の端末に対応し得る。例えば、複数の端末は、１つのグループにグループ化されるものとしてよく、ＯＦＤＭＡ物理層シグナリングは、サブチャネルをこのグループに対して割り振り、その場合に、グループ内のすべての端末は、サブチャネルを使用し得る。
【００８７】
従来技術におけるシグナリング部分のフォーマットは、２０ＭＨｚの帯域幅のみをサポートすることができ、ユーザは、４８個のサブキャリアにおける各サブキャリアに対して割り振られ、２０ＭＨｚよりも大きい帯域幅が使用され得るときには、従来技術は、その帯域幅をサポートするための対応する拡張解決策を有していない。しかしながら、本発明のこの実施形態におけるＯＦＤＭＡ物理層シグナリングは、より大きい帯域幅をサポートすることができ、そして多数の端末について、割り振られるサブチャネルを、複数の端末に対して割り振るとともに示すことができ、ここで、サブチャネルは、１つ又は複数のサブキャリアを含む。したがって、本発明のこの実施形態及び従来技術に対する主題は異なり（従来技術では、主題はサブキャリアに対してユーザを割り振ることであり、本発明のこの実施形態では、主題はユーザに対してサブチャネル又はサブキャリアを割り振ることである）、従来技術は、サブキャリアの制限があるため４８個の端末に対するインジケーションしか実行できず、ＯＦＤＭＡ物理層シグナリングによって端末に対するサブチャネルを示すことは、帯域幅によって制限され得ず、サブチャネルは、より大きな帯域幅においてより多くの端末（４８よりも多いユーザ）に対して割り振られ得る。確かに、本発明のこの実施形態は、４８個より少ない量の端末に対して、それでもサブチャネルを割り振ることができる。
【００８８】
本発明のこの実施形態において提供されるデータ伝送インジケーション方法において、アクセスポイントは、ＯＦＤＭＡ物理層シグナリングを端末に送信し、それにより、各端末は端末が対応するサブチャネルを学習し、したがって、端末は、端末に対応するサブチャネル上で対応する動作を実行し得る。すなわち、アクセスポイントがＯＦＤＭＡ物理層シグナリングに従って各端末に対してサブチャネルを割り振る方式は、アクセスポイントがより多くの端末に対してサブチャネルを示すことを可能にし、すなわち、アクセスポイントがサブチャネルを示す端末の数は制限されない。
【００８９】
図１は、本発明によるデータ伝送インジケーション方法の実施形態２の概略のフローチャートである。この実施形態に関わるこの方法は、サブチャネルが、ＯＦＤＭＡ物理層シグナリングを使用することによって端末に示される実現可能な実装方式である。さらに、実施形態１に基づき、端末の識別子は、１つ又は複数の端末グループの識別子であってよく、各端末グループは、少なくとも１つの端末を含み、サブチャネル情報は、アップリンクサブチャネル又はダウンリンクサブチャネル又はアップリンク及びダウンリンク双方向サブチャネルを含む。方法は以下を含む。
【００９０】
Ｓ１０１：アクセスポイントは、端末グループの識別子と端末のアドレスとの間のマッピング関係を端末に送信し、それにより、端末が配置されている端末グループを端末が学習する。
【００９１】
特に、端末は、端末が属する端末グループを知る必要があり、その場合に、アクセスポイントが端末グループに対してサブチャネルを割り振るときのみ、端末に対応するサブチャネルを知ることができる。したがって、アクセスポイントは、端末グループの識別子と端末のアドレスとの間のマッピング関係を各端末に送信する必要があり、それにより、端末が配置されている端末グループを各端末が学習する。端末がグルーピング管理フレーム形態で端末グループの識別子と各端末のアドレスとの間のマッピング関係を通知される単純な方式については、テーブル１への参照がなされてよく、これは特に次のとおりである。
【００９２】
【表１】
2020182238.tif 000003
【００９３】
テーブル１に示されている端末グルーピング管理フレームを使用することによって、端末が配置されている端末グループの識別子を端末が学習し得る。
【００９４】
Ｓ１０２：アクセスポイントは、ＯＦＤＭＡ物理層シグナリングを端末に送信し、それにより、端末は、ＯＦＤＭＡ物理層シグナリングに従って端末に対応するサブチャネルを判定し、ここで、ＯＦＤＭＡ物理層シグナリングは、端末の識別子、及び端末の識別子に対応するサブチャネル情報を含み、ＯＦＤＭＡ物理層シグナリングは、各端末グループに、割り振られたサブチャネルがアップリンクサブチャネル又はダウンリンクサブチャネル又はアップリンク及びダウンリンク双方向サブチャネルであることを示すために使用される。
【００９５】
適宜、ＯＦＤＭＡ物理層シグナリングは、専用インジケーションビットを使用することによって、端末に対して割り振られたサブチャネルがアップリンクサブチャネル又はダウンリンクサブチャネル又はアップリンク及びダウンリンク双方向サブチャネルであることを示し得る。すなわち、前述のＯＦＤＭＡ物理層シグナリングは、端末グループのための割り振られたサブチャネルを示し得るだけでなく、端末グループに、割り振られたサブチャネルが、アップリンクサブチャネル又はダウンリンクサブチャネル又はアップリンク及びダウンリンク双方向サブチャネルであることも示し得る。
【００９６】
特に、端末の識別子は、１つ又は複数の端末グループの識別子であり、ＯＦＤＭＡ物理層シグナリングは、各端末グループに対して割り振られたサブチャネルを１つ又は複数の端末グループに示すために使用され、ここで、端末グループ及びサブチャネルは一対一の対応関係にある。
【００９７】
前述のＯＦＤＭＡ物理層シグナリングのインジケーションに含まれる関係するフィールドは、以下のテーブル２に示されているフォーマットであるものとしてよい。テーブル２におけるグループ番号は、現在の複数の端末のグルーピング識別子を示すために使用され、端末は、局（Ｓｔａｔｉｏｎ、以下略してＳＴＡ）であってよい。テーブル２に示されているフィールドは、サブチャネルが各端末グループに対して割り振られていることを示すものとしてよく、ここでの各端末グループは、少なくとも１つの端末を含み得る。例えば、端末グループ１は、ＳＴＡ１及びＳＴＡ２を含み、端末グループ２は、ＳＴＡ３からＳＴＡ５を含み、グループｎは、ＳＴＡ  ｋからＳＴＡ  ｎを含む。このインジケーション方法によれば、ＳＴＡ１及びＳＴＡ２は両方ともサブチャネル１上で動作し、ＳＴＡ３からＳＴＡ５はサブチャネル２上で動作し、そしてＳＴＡ  ｋからＳＴＡ  ｎはすべて、サブチャネルｎ上で動作する。このインジケーションを使用することによって、端末は、端末に対応するサブチャネルを学習することができ、アクセスポイントは、同様に、各割り振られたサブチャネル上で端末グループ内の端末を柔軟にスケジュールすることができる。それに加えて、端末グループは共通要素を有することもでき、例えば、端末グループ１は、ＳＴＡ１からＳＴＡ３を含み、そして端末グループ２は、ＳＴＡ２からＳＴＡ５を含み得る。ここにおいて、ＳＴＡ２及びＳＴＡ３は両方とも端末グループ１及び端末グループ２の中にある。この方式で、アクセスポイントは、インジケーションの効果的な範囲内で、ＳＴＡに対するすべてのサブチャネルを柔軟に割り振り、それにより、アクセスポイントによる端末のスケジューリングの柔軟性をさらに改善する。
【００９８】
【表２】
2020182238.tif 000004
【００９９】
別の場合には、サブチャネルにおいて、ＯＦＤＭＡモードにおけるサブキャリア間の間隔がＯＦＤＭモードにおけるサブキャリア間の間隔と異なる場合、及び、特別な場合として、ＯＦＤＭモードにおけるサブキャリア間の間隔が、ＯＦＤＭＡモードにおけるサブキャリア間の間隔の整数倍（Ｋ倍）である場合、複数の端末の動作しているサブチャネル上の効果的なインジケーションは、ＯＦＤＭＡモードにおけるサブキャリアが単純にグループ化される方式で実施され得る。各２０ＭＨｚ（すなわち、単位サブチャネル帯域幅）におけるＯＦＤＭモードのサブキャリアの量は６４であり、その場合に、ＯＦＤＭＡモードにおけるサブキャリアの量は６４＊Ｋ（＊は積記号）であり、したがって、アクセスポイントは、サブチャネル内の６４＊Ｋ個のサブキャリアを端末グループ内の端末に割り振るものとしてよく（テーブル３を参照）、すなわち、各端末は、いくつかの（１つ又は複数の）サブキャリアに対応する。すなわち、テーブル３は、サブチャネルが関係する限り、実際にはテーブル２を詳述しており、ここで、サブキャリアｋｎは、ＯＦＤＭＡモードにおけるサブキャリア識別子であり得る（すなわち、ｋＮ＝６４＊Ｋであり、ｋｎは１からｋＮまでの任意の整数であり得る）か、又はＯＦＤＭモードにおけるサブキャリア識別子であり得る（すなわち、ｋＮ＝６４である）。従来技術では、サブキャリア間の間隔に関する詳細化をサポートすることができず、したがって、２０ＭＨｚではより多くのユーザに対するインジケーションを実行することができないことに留意されたい。
【０１００】
サブキャリアｋｎがＯＦＤＭＡモードにおけるサブキャリア識別子である場合には、この実施形態の方法のインジケーション単位粒度は、ＯＦＤＭＡの各サブキャリアに特有であり（すなわち、サブキャリアは端末に対応し得る）、サブキャリアｋｎがＯＦＤＭモードにおけるサブキャリア識別子である場合には、この実施形態の方法のインジケーション単位粒度は、ＯＦＤＭＡのＫ個のサブキャリアである。したがって、本発明の方法の実施形態は、単位帯域幅（例えば、単位帯域幅は２０ＭＨｚである）に対するサブキャリア間のより狭い間隔を使用することによってサブチャネルを分割し、分割されたサブチャネルが単純にグループ化される方式で複数の端末の動作サブチャネル上で効果的なインジケーションを実施することができる。
【０１０１】
それに加えて、Ｋ＝４のときには、各６４個の連続したＯＦＤＭＡサブキャリアは、チャネル単位（５ＭＨｚ）を占有し、この場合、実施形態１及び実施形態２におけるチャネル番号は、同様に、インジケーション方式として使用され続けるものとしてよい。
【０１０２】
【表３】
2020182238.tif 000005
【０１０３】
本発明のこの実施形態において提供されるデータ伝送インジケーション方法において、アクセスポイントは、端末の識別子、及び端末の識別子に対応するサブチャネル情報を運ぶとともに含んでいるＯＦＤＭＡ物理層シグナリングを端末に送信し、アクセスポイントは、端末グループの識別子と各端末のアドレスとの間のマッピング関係を各端末にさらに送信し、それにより、端末が配置されている端末グループを各端末が学習し、そして端末に対応するサブチャネルをさらに学習し、それによって、そのサブチャネル上で対応する動作を実行する。すなわち、アクセスポイントがＯＦＤＭＡ物理層シグナリングに従って各端末に対してサブチャネルを割り振る方式は、アクセスポイントがより多くの端末に対してサブチャネルを示すことを可能にし、すなわち、アクセスポイントがサブチャネルを示す端末の数は制限されない。
【０１０４】
本発明の実施形態３は、データ伝送インジケーション方法を提供する。この実施形態に関わるこの方法は、アクセスポイントが、ＯＦＤＭＡ物理層シグナリングを使用することによって端末に対するサブチャネルを示す別の実現可能な実装方式である。実施形態１に基づき、ＯＦＤＭＡ物理層シグナリングは、端末の識別子、及び端末の識別子に対応するサブチャネル情報を含むものとしてよく、端末の識別子は、単一の端末グループの識別子であり、端末グループは、少なくとも２つの端末を含み、そしてＯＦＤＭＡ物理層シグナリングは、端末グループ内の各端末に、割り振られたサブチャネルがアップリンクサブチャネル又はダウンリンクサブチャネル又はアップリンク及びダウンリンク双方向サブチャネルであることを示すために使用される。
【０１０５】
適宜、ＯＦＤＭＡ物理層シグナリングは、専用インジケーションビットを使用することによって、端末に対して割り振られたサブチャネルがアップリンクサブチャネル又はダウンリンクサブチャネル又はアップリンク及びダウンリンク双方向サブチャネルであることを示し得る。端末グループ内の端末及びサブチャネルは一対一の対応関係にある。すなわち、前述のＯＦＤＭＡ物理層シグナリングは、端末グループ内の各端末のための割り振られたサブチャネルを示し得るだけでなく、端末グループ内の各端末に、割り振られたサブチャネルが、アップリンクサブチャネル又はダウンリンクサブチャネル又はアップリンク及びダウンリンク双方向サブチャネルであることも示し得る。
【０１０６】
特に、前述のＯＦＤＭＡ物理層シグナリングのインジケーションに含まれる関係するフィールドは、以下のテーブル４に示されているフォーマットであるものとしてよい。テーブル４におけるグループ番号は、現在の端末グループのグルーピング識別子を示すために使用され、グループ番号に続くサブチャネルは、そしてグループ番号に対応する端末グループ内のＳＴＡは、別々に一対一の対応関係にあり、すなわち、アクセスポイントは、サブチャネルを端末グループ内の端末に順に割り振る。すなわち、そのグループ番号に対応するグループ内のＳＴＡは順にＳＴＡ１からＳＴＡｎであり、その場合に、フォーマットに従って、ＳＴＡ１はサブチャネル１に対応し、ＳＴＡ２はサブチャネル２に対応し、以下同様に、ＳＴＡｎはサブチャネルｎに対応する。
【０１０７】
ＯＦＤＭモードにおけるサブチャネル内のサブキャリア間の間隔がＯＦＤＭＡモードにおける間隔と異なる前述の場合において、グループ内の各ＳＴＡによって割り振られたサブチャネルは、チャネル番号又は同様のものを使用するだけの方式で示され得るだけでなく、テーブル４’に示されているように、同様に、サブキャリア範囲を使用する方式で示され得る。
【０１０８】
【表４】
2020182238.tif 000006
【０１０９】
【表５】
2020182238.tif 000007
【０１１０】
すなわち、前述の端末グループ内の各端末は、異なるサブチャネルに対応し、そしてＯＦＤＭＡ物理層シグナリングは、より大きい帯域幅（２０ＭＨｚの帯域幅に制限されない）をサポートし得るので、サブチャネルは、より多くの端末に示され得る。
【０１１１】
本発明のこの実施形態において提供されるデータ伝送インジケーション方法において、アクセスポイントは、ＯＦＤＭＡ物理層シグナリングを端末に送信し、それにより、各端末は端末が対応するサブチャネルを学習し、したがって、端末は、端末に対応するサブチャネル上で対応する動作を実行し得る。すなわち、アクセスポイントがＯＦＤＭＡ物理層シグナリングに従って各端末に対してサブチャネルを割り振る方式は、アクセスポイントがより多くの端末に対してサブチャネルを示すことを可能にする。
【０１１２】
図２は、本発明によるデータ伝送インジケーション方法の実施形態４の概略のフローチャートである。この実施形態に関わるこの方法は、ＯＦＤＭＡ物理層シグナリングを運ぶＯＦＤＭプリアンブルが端末に送信されるプロセスであり、それにより、端末は、ＯＦＤＭＡ物理層シグナリングに従って端末に対応するサブチャネルを学習し、そして端末に対応するサブチャネル上で、アクセスポイントによって送信されたダウンリンクＯＦＤＭＡデータ情報を受信する。方法は以下を含む。
【０１１３】
Ｓ２０１：アクセスポイントは、ＯＦＤＭプリアンブルを端末に送信し、ここで、ＯＦＤＭプリアンブルは、ＯＦＤＭＡ物理層シグナリングを運ぶ。
【０１１４】
特に、アクセスポイントは、ＯＦＤＭモードにおけるＯＦＤＭプリアンブルをアクセスポイントのカバーエリア内の任意の端末に送信し、ここで、ＯＦＤＭプリアンブルは、ショートトレーニングフィールド（Ｓｈｏｒｔ  Ｔｒａｉｎｉｎｇ  Ｆｉｅｌｄ、以下略してＳＴＦ）、ロングトレーニングフィールド（Ｌｏｎｇ  Ｔｒａｉｎｉｎｇ  Ｆｉｅｌｄ、以下略してＬＴＦ）、レガシーシグナリング（Ｌｅｇａｃｙ  Ｓｉｇｎａｌｉｎｇ、以下略してＬ−ＳＩＧ）、及びウルトラハイスループットシグナリングＡ（Ｕｌｔｒａ  Ｈｉｇｈ  Ｔｈｒｏｕｇｈｐｕｔ  Ｓｉｇｎａｌｉｎｇ  Ａ、以下略してＵＨＴ−ＳＩＧ−Ａ）を含み、ＵＨＴ−ＳＩＧ−Ａは、ＯＦＤＭＡ物理層シグナリングを運ぶ。ＯＦＤＭモードは以下のとおりであることに留意されたい。アクセスポイントは、ＯＦＤＭプリアンブルを端末に送信するが、しかしこの場合、アクセスポイントは、ＯＦＤＭプリアンブルが送信される先の特定の端末を知らず、したがって、アクセスポイントは、ＯＦＤＭプリアンブルを任意の端末に送信し、すべてのアクティブ（ａｃｔｉｖｅ）端末は、ＯＦＤＭプリアンブルをリッスンするとともに受信し、その場合にＯＦＤＭＡ物理層シグナリングを取得し、それによって端末に対応するチャネルを学習する。
【０１１５】
ＯＦＤＭＡ物理層シグナリングが本発明のこの実施形態におけるサブチャネルを示す方式について、実施形態１から実施形態３における説明への参照がなされてよく、本発明のこの実施形態において詳細はここで再び説明されないことに留意されたい。
【０１１６】
Ｓ２０２：アクセスポイントは、ＯＦＤＭＡモードにおいて端末に対応するサブチャネル上でダウンリンクＯＦＤＭＡデータ情報を送信し、ここで、ダウンリンクＯＦＤＭＡデータ情報は、ＯＦＤＭＡプリアンブル及びＯＦＤＭＡデータ（Ｄａｔａ  Ｓｙｍｂｏｌ）を含み、ＯＦＤＭＡプリアンブルは、スイッチングフィールド（Ｓｗｉｔｃｈｉｎｇ  Ｆｉｅｌｄ）、及びウルトラハイスループットシグナリングＢ（Ｕｌｔｒａ  Ｈｉｇｈ  Ｔｈｒｏｕｇｈｐｕｔ  Ｓｉｇｎａｌｉｎｇ  Ｂ、以下略してＵＨＴ−ＳＩＧ−Ｂ）を含む。
【０１１７】
特に、アクセスポイントは、ＯＦＤＭＡモードにおいて端末に対応するサブチャネル上でダウンリンクＯＦＤＭＡデータ情報を送信し、すなわち、アクセスポイントは、端末に対応するそれぞれのサブチャネル上でダウンリンクＯＦＤＭＡデータ情報を同時に複数の端末に送信することができ、したがって、シグナリングオーバヘッドは低減され、マルチユーザダイバシティ利得がもたらされ得る。それに加えて、端末に対応するサブチャネルは、基本サービスセット（Ｂａｓｉｃ  Ｓｅｒｖｉｃｅ  Ｓｅｔ、以下略してＢＳＳ）の一次チャネルをさらに含むものとしてよく、ここで、一次チャネルは、制御シグナリング及び管理シグナリングを交換するためにアクセスポイント及び端末によって使用され、すなわち、一次チャネル上でＯＦＤＭＡ物理層シグナリングを完全に送信した後、アクセスポイントは、一次チャネルを解放し得るか、又は一次チャネルを別のサブチャネルと一緒に使用することによってダウンリンクＯＦＤＭＡデータ情報を端末に送信し得る。
【０１１８】
ＯＦＤＭプリアンブル及びダウンリンクＯＦＤＭＡデータ情報のデータ伝送フレームフォーマットについては、以下のテーブル５への参照がなされてよい。さらに、一緒に送信されるときに、ＯＦＤＭＡ物理層シグナリング及びＯＦＤＭＡデータは両方ともテーブル５におけるフォーマットを使用することができ、ＯＦＤＭＡ物理層シグナリングのみが個別に送信される場合に、ＯＦＤＭプリアンブルのみが送信される。
【０１１９】
【表６】
2020182238.tif 000008
【０１２０】
ＯＦＤＭＡモードにおいて送信される内容は、各端末について互いから独立していること、すなわち、端末に対応するそれぞれのサブチャネル上のＳｗｉｔｃｈｉｎｇ  Ｆｉｅｌｄｓ、ＵＨＴ−ＳＩＧ−Ｂ、及びＯＦＤＭＡデータはすべて互いから独立していることに留意されたい。前述のＳｗｉｔｃｈｉｎｇ  Ｆｉｅｌｄは、ウルトラハイスループットショートトレーニングフィールド（Ｕｌｔｒａ  Ｈｉｇｈ  Ｔｈｒｏｕｇｈｐｕｔ  Ｓｈｏｒｔ  Ｔｒａｉｎｉｎｇ  Ｆｉｅｌｄ、以下略してＵＨＴ−ＳＴＦ）及びウルトラハイスループットロングトレーニングフィールド（Ｕｌｔｒａ  Ｈｉｇｈ  Ｔｈｒｏｕｇｈｐｕｔ  Ｌｏｎｇ  Ｔｒａｉｎｉｎｇ  Ｆｉｅｌｄ、以下略してＵＨＴ−ＬＴＦ）を含み得る。ＯＦＤＭＡモードにおいては、ＵＨＴ−ＳＴＦは、ＯＦＤＭＡ物理層シグナリングによって示されるサブチャネル又はすべてのチャネルの自動利得制御（Ａｕｔｏｍａｔｉｃ  Ｇａｉｎ  Ｃｏｎｔｒｏｌ、以下略してＡＧＣ）又はチャネル同期を完了させるために端末によって使用される。ＵＨＴ−ＬＴＦは、サブチャネル又はすべてのチャネル上でチャネル推定を完了させるために端末によって使用される。ＵＨＴ−ＳＩＧ−Ａにおける物理層シグナリングが端末グループに対するチャネル割り振りのみを実行する場合、ＵＨＴ−ＳＩＧ−Ｂは、サブチャネル内のサブチャネルに対応する端末グループ内の端末に対してさらなるインジケーションを実行するために送信端によって使用され得る。
【０１２１】
ＯＦＤＭＡ＋ＭＵ−ＭＩＭＯモードにおいて、ＵＨＴ−ＳＴＦが、ＯＦＤＭＡ物理層シグナリングによって示されるサブチャネル又はすべてのチャネル、及び対応する時空間ストリーム（ｓｐａｃｅ−ｔｉｍｅ  ｓｔｒｅａｍｓ）上でＡＧＣ又はチャネル同期を実行するために端末によって使用される場合、ＵＨＴ−ＬＴＦは、ＯＦＤＭＡ物理層シグナリングによって示されるサブチャネル又はすべてのチャネル、及び対応する時空間ストリームのサブチャネル上でチャネル推定を実行するために端末によって使用される。さらに、ＭＵ−ＭＩＭＯの時空間ストリーム割り振り情報は、ＵＨＴ−ＳＩＧ−Ａで運ばれ得るか、又はＵＨＴ−ＳＩＧ−Ｂで運ばれ得る。
【０１２２】
それに加えて、アクセスポイントは、ＯＦＤＭモードにおいて一次チャネル上でＯＦＤＭプリアンブルを送信し得るか（図２ａにおける例を参照）、又は反復方式により複数のサブチャネル上でＯＦＤＭプリアンブルを送信し得る（図２ｂにおける例を参照）。その場合に、アクセスポイントは、ＯＦＤＭＡモードに切り替えられ、前述の示されたサブチャネル上でＯＦＤＭＡプリアンブル及びＯＦＤＭＡデータを端末に送信する。その一方で、ＯＦＤＭのサブキャリア間の間隔がＯＦＤＭＡの間隔と異なる場合（単位チャネルが２０ＭＨｚである例が使用される）には、アクセスポイントにより、ＯＦＤＭプリアンブル及びダウンリンクＯＦＤＭＡデータ情報を送信することについては、図２ｃにおける例への参照がなされてよく、すなわち、この単位チャネル（図中の一次チャネルである）は複数のサブキャリアに分割され、１つ又は複数のサブキャリアは端末に対応する。ＯＦＤＭのサブキャリア間の間隔がＯＦＤＭＡの間隔と異なり、そして帯域幅が複数の単位チャネルの帯域幅の総和である場合には、アクセスポイントにより、ＯＦＤＭプリアンブル及びダウンリンクＯＦＤＭＡデータ情報を送信することについては、図２ｄにおける例への参照がなされてよい。
【０１２３】
それに対応して、端末は、アイドル状態において及びＯＦＤＭモードにおいてＯＦＤＭプリアンブルを検出するとともに受信し、ＯＦＤＭモードにおいてＯＦＤＭプリアンブルを受信した後（ＯＦＤＭプリアンブルは、一次チャネル上で受信され得るか、又は複数のサブチャネル上で受信され得る）、端末は、ＯＦＤＭ方式でＵＨＴ−ＳＩＧ−ＡにおけるＯＦＤＭＡ物理層シグナリングを読み取るとともに、ＯＦＤＭＡ物理層シグナリングによって示されるサブチャネルに切り替えられ、ＡＧＣを再び調節し、対応するサブチャネルのチャネル状態情報に関する推定を完了し、そして対応するサブチャネル上でダウンリンクＯＦＤＭＡデータ情報を復調し、端末に属するＯＦＤＭＡプリアンブル及びＯＦＤＭＡデータを取得する。
【０１２４】
端末の別の受信方法は、端末が、アイドル状態において及びＯＦＤＭモードにおいてＯＦＤＭプリアンブルを検出するとともに受信し、ＯＦＤＭモードにおいてＯＦＤＭプリアンブルを受信した後（ＯＦＤＭプリアンブルは、一次チャネル上で受信され得るか、又は複数のサブチャネル上で受信され得る）、端末は、ＯＦＤＭ方式でＵＨＴ−ＳＩＧ−ＡにおけるＯＦＤＭＡ物理層シグナリングを読み取るとともに、アクセスポイントがデータを送信するこのときに占有されている帯域幅全体に切り替えられ、ＡＧＣを再び調節し、ＯＦＤＭＡ物理層シグナリングによって示されるサブチャネルのチャネル状態情報に関する推定又は帯域幅全体のチャネル状態情報に関する推定を完了し、そして対応するサブチャネル上でダウンリンクＯＦＤＭＡデータ情報を復調し、端末に属するＯＦＤＭＡプリアンブル及びＯＦＤＭＡデータを取得することである。
【０１２５】
本発明のこの実施形態において提供されるデータ伝送インジケーション方法において、アクセスポイントは、ＯＦＤＭＡ物理層シグナリングを運ぶＯＦＤＭプリアンブルを端末に送信し、それにより端末はＯＦＤＭプリアンブルからＯＦＤＭＡ物理層シグナリングを取得し、それによって、ＯＦＤＭＡ物理層シグナリングに従って、端末が端末に対応するダウンリンクＯＦＤＭＡデータ情報を受信すべきであるサブチャネルを学習し得る。すなわち、アクセスポイントがＯＦＤＭＡ物理層シグナリングに従って各端末に対してサブチャネルを割り振る方式は、端末がアクセスポイントのデータを受信するときに、アクセスポイントがより多くの端末に対するインジケーションを実行することを可能にし、すなわち、アクセスポイントがサブチャネルを示す端末の数は制限されない。
【０１２６】
図３は、本発明によるデータ伝送インジケーション方法の実施形態５の概略のフローチャートである。この実施形態に関わる方法は、アクセスポイントがＯＦＤＭＡ物理層シグナリングを運ぶヌルデータパケットアナウンスメント（Ｎｕｌｌ  Ｄａｔａ  Ｐａｃｋｅｔ  Ａｎｎｏｕｎｃｅｍｅｎｔ、以下略してＮＤＰＡ）を端末に送信するプロセスであり、それにより、端末は、ＮＤＰＡフレームからＯＦＤＭＡ物理層シグナリングを取得し、したがって、端末は、ＯＦＤＭＡ物理層シグナリングに従って端末に対応するサブチャネルを学習し、そして端末に対応するサブチャネル上で、アクセスポイントによって送信されたダウンリンクＯＦＤＭＡデータ情報を受信する。方法は以下を含む。
【０１２７】
Ｓ３０１：アクセスポイントは、ＮＤＰＡフレームを端末に送信し、ここで、ＮＤＰＡフレームは、前述のＯＦＤＭＡ物理層シグナリングを運ぶ。
【０１２８】
特に、排他的なＮＤＰＡフレームは、本発明のこの実施形態において、ＯＦＤＭＡ物理層シグナリングを運ぶために使用され、そしてＯＦＤＭＡ物理層シグナリングが伝送されるときにもたらされるオーバヘッドを低減するために使用される。本発明のこの実施形態におけるＮＤＰＡフレームのフォーマットは、特に以下のテーブル６に示されている。
【０１２９】
【表７】
2020182238.tif 000009
【０１３０】
アクセスポイントは、ＯＦＤＭモードにおいてＮＤＰＡフレームをアクセスポイントのカバーエリア内の端末に送信するものとしてよく、そしてサブチャネル（一次チャネルなど）上でＮＤＰＡフレームを送信するものとしてよいか（図３ａにおける例を参照）、又は複数のサブチャネル上でＮＤＰＡフレームを送信するものとしてよく（図３ｂにおける例を参照）、そして他のすべての端末は、ＮＤＰＡフレームを取得するためにリッスンし得ることに留意されたい。その場合に、アクセスポイントは、ＯＦＤＭモードにおいてＯＦＤＭプリアンブルを送信する必要がさらにある。前述のＯＦＤＭＡ物理層シグナリングは、ＮＤＰＡフレームで運ばれ得るか、又はＮＤＰＡフレームとＯＦＤＭプリアンブルの両方で運ばれ得るが、しかし一般的には、シグナリングのオーバヘッドを低減するためにＮＤＰＡフレームでのみ運ばれる。適宜、ＮＤＰＡフレームがＯＦＤＭＡ物理層シグナリングを運ぶときに、ＯＦＤＭプリアンブルは、端末グループ内の特定の端末識別子をさらに示し得る。
【０１３１】
ＯＦＤＭＡ物理層シグナリングが本発明のこの実施形態におけるサブチャネルを示す方式について、実施形態１から実施形態３における説明への参照がなされてよく、本発明のこの実施形態において詳細はここで再び説明されないことに留意されたい。
【０１３２】
Ｓ３０２：アクセスポイントは、ＯＦＤＭＡモードにおいて端末に対応するサブチャネル上でダウンリンクＯＦＤＭＡデータ情報を送信し、ここで、ダウンリンクＯＦＤＭＡデータ情報は、ＯＦＤＭＡプリアンブル及びＯＦＤＭＡデータを含み、ＯＦＤＭＡプリアンブルは、スイッチングフィールド（Ｓｗｉｔｃｈｉｎｇ  Ｆｉｅｌｄ）及びＵＨＴ−ＳＩＧ−Ｂを含む。
【０１３３】
特に、アクセスポイントは、ＯＦＤＭＡモードにおいてダウンリンクＯＦＤＭＡデータ情報を送信し、すなわち、アクセスポイントは、端末に対応するそれぞれのサブチャネル上でダウンリンクＯＦＤＭＡデータ情報を同時に複数の端末に送信することができ、したがって、対応する時間周波数リソースは十分に使用され得る。
【０１３４】
それに対応して、端末は、アイドル状態においてＯＦＤＭ方式でＮＤＰＡフレームを検出するとともに受信し、ＯＦＤＭ方式でＯＦＤＭＡ物理層シグナリングを読み取り、その場合に、端末は、同様に、ＯＦＤＭ方式でＯＦＤＭプリアンブルを受信し、ＯＦＤＭＡ物理層シグナリングによって示されるサブチャネルを使用することによってＯＦＤＭＡモードに切り替えられ、そしてサブチャネル上で、ＯＦＤＭＡモードにおいてアクセスポイントによって送信されたＯＦＤＭＡプリアンブル及びＯＦＤＭＡデータを受信する。
【０１３５】
本発明のこの実施形態において提供されるデータ伝送インジケーション方法において、アクセスポイントは、ＯＦＤＭＡ物理層シグナリングを運ぶＮＤＰＡフレームを端末に送信し、それにより端末はＮＤＰＡフレームからＯＦＤＭＡ物理層シグナリングを取得し、それによって、ＯＦＤＭＡ物理層シグナリングに従って、端末が端末に対応するダウンリンクＯＦＤＭＡデータ情報を受信すべきであるサブチャネルを学習するものとしてよく、それにより、対応するサブチャネル上で、アクセスポイントによって送信されたダウンリンクＯＦＤＭＡデータ情報を受信する。すなわち、アクセスポイントがＯＦＤＭＡ物理層シグナリングに従って各端末に対してサブチャネルを割り振る方式は、端末がアクセスポイントのデータを受信するときに、アクセスポイントがより多くの端末に対するインジケーションを実行することを可能にし、すなわち、アクセスポイントがサブチャネルを示す端末の数は制限されない。それに加えて、アクセスポイントは、端末に対応するそれぞれのサブチャネル上でダウンリンクＯＦＤＭＡデータ情報を同時に複数の端末に送信することができ、したがって、対応する時間周波数リソースは十分に使用され得る。
【０１３６】
図４は、本発明によるデータ伝送インジケーション方法の実施形態６の概略のフローチャートである。この実施形態に関わる方法は、アクセスポイントがＯＦＤＭＡ物理層シグナリングに含まれる内容を別々に運ぶＮＤＰＡフレーム及びＯＦＤＭプリアンブルを端末に送信するプロセスであり、それにより、端末は、ＮＤＰＡフレーム及びＯＦＤＭプリアンブルからＯＦＤＭＡ物理層シグナリングを取得し、したがって、端末は、ＯＦＤＭＡ物理層シグナリングに従って端末に対応するサブチャネルを学習し、そして端末に対応するサブチャネル上で、アクセスポイントによって送信されたダウンリンクＯＦＤＭＡデータ情報を受信する。方法は以下を含む。
【０１３７】
Ｓ４０１：アクセスポイントは、ＮＤＰＡフレーム及びＯＦＤＭプリアンブルを端末に送信する。
【０１３８】
特に、ＮＤＰＡフレーム及びＯＦＤＭプリアンブルは、２つの連携方式でＯＦＤＭＡ物理層シグナリングを運び得る。これらの方式は以下のように独立している。
【０１３９】
第１の方式：アクセスポイントは、ＮＤＰＡフレーム及びＯＦＤＭプリアンブルを端末に送信し、ここで、ＮＤＰＡフレームは、前述のＯＦＤＭＡ物理層シグナリングにおける端末の識別子を運び、そしてＯＦＤＭプリアンブルは、端末の識別子に対応するとともに、前述のＯＦＤＭＡ物理層シグナリング内にあるサブチャネル情報を運ぶ。本明細書の端末の識別子は、実施形態２において１つ又は複数の端末グループの識別子であってよく、サブチャネルと端末グループとは一対一の対応関係にあり、そしてさらに実施形態３において単一の端末グループの識別子であってよく、サブチャネルとグループ内の端末とは一対一の対応関係にある。
【０１４０】
第２の方式：アクセスポイントは、ＮＤＰＡフレーム及びＯＦＤＭプリアンブルを端末に送信し、ここで、ＮＤＰＡフレームは、端末の識別子に対応するとともに、前述のＯＦＤＭＡ物理層シグナリング内にあるサブチャネル情報を運び、そしてＯＦＤＭプリアンブルは、前述のＯＦＤＭＡ物理層シグナリングにおける端末の識別子を運ぶ。本明細書の端末の識別子は、実施形態２において１つ又は複数の端末グループの識別子であってよく、サブチャネルと端末グループとは一対一の対応関係にあり、そしてさらに実施形態３において単一の端末グループの識別子であってよく、サブチャネルとグループ内の端末とは一対一の対応関係にある。
【０１４１】
すなわち、ＮＤＰＡフレーム及びＯＦＤＭプリアンブルは、ＯＦＤＭＡ物理層シグナリングを示すために互いに連携し得る。テーブル５におけるユーザグループ情報フィールドは、端末の識別子を含むものとしてよく、そして端末の識別子に対応するサブチャネル情報をさらに含むものとしてよい。それに加えて、テーブル５の制御情報フィールドは、現在示されている端末又は端末グループのサブチャネル情報の有効な時間の長さをさらに示すものとしてよく、それにより、端末は、時間の長さに従って、端末若しくは端末グループのサブチャネル情報のインジケーションが有効又は期限切れであるかを判定することができ、期限切れでない場合、端末は、現在のサブチャネルを使用してデータを受信及び送信し続けることができる。
【０１４２】
ＮＤＰＡフレームが、端末の識別子、及び端末の識別子に対応するサブチャネル情報を運ぶ（すなわち、完全なＯＦＤＭＡ物理層シグナリングを運ぶ）場合、ＯＦＤＭプリアンブルは、再び、端末の識別子、若しくは端末の識別子に対応するサブチャネル情報を運び得ないか（ＯＦＤＭプリアンブルは、同様に、ＯＦＤＭＡ物理層シグナリングを運ぶことができ、前述の実施形態において具体的説明がすでになされており、詳細はここで再び説明されない）、又はＮＤＰＡフレームが端末の識別子のみを運ぶ場合、ＯＦＤＭプリアンブルは、端末の識別子に対応するとともに、ＮＤＰＡフレーム内にあるサブチャネル情報をさらに運ぶ必要があるか、又はＮＤＰＡフレームがサブチャネル情報のみを運ぶ場合、ＯＦＤＭプリアンブルは、サブチャネル情報に対応するとともに、ＮＤＰＡフレーム内にある、端末の識別子をさらに運ぶ必要がある。
【０１４３】
ＯＦＤＭＡ物理層シグナリングが本発明のこの実施形態におけるサブチャネルを示す方式について、実施形態１から実施形態３における説明への参照がなされてよく、本発明のこの実施形態において詳細はここで再び説明されないことに留意されたい。
【０１４４】
Ｓ４０２：アクセスポイントは、ＯＦＤＭＡモードにおいて端末に対応するサブチャネル上でダウンリンクＯＦＤＭＡデータ情報を送信し、ここで、ダウンリンクＯＦＤＭＡデータ情報は、ＯＦＤＭＡプリアンブル及びＯＦＤＭＡデータを含み、ＯＦＤＭＡプリアンブルは、スイッチングフィールド（Ｓｗｉｔｃｈｉｎｇ  Ｆｉｅｌｄ）及びＵＨＴ−ＳＩＧ−Ｂを含む。
【０１４５】
特に、アクセスポイントは、ＯＦＤＭＡモードにおいてダウンリンクＯＦＤＭＡデータ情報を送信し、すなわち、アクセスポイントは、端末に対応するそれぞれのサブチャネル上でダウンリンクＯＦＤＭＡデータ情報を同時に複数の端末に送信することができ、したがって、対応する時間周波数リソースは十分に使用され得る。
【０１４６】
それに対応して、端末は、アイドル状態においてＯＦＤＭ方式でＮＤＰＡフレームを受信し、ＯＦＤＭ方式でＮＤＰＡフレームにおいて運ばれるＯＦＤＭＡ物理層シグナリングの一部を読み取り、その場合に、端末は、同様に、ＯＦＤＭ方式でＯＦＤＭプリアンブルを受信し、次に、ＯＦＤＭＡ物理層シグナリングに対して補足されるとともに、ＯＦＤＭプリアンブル内にある、内容のその部分を読み取り、次に、ＮＤＰＡフレームとＯＦＤＭプリアンブルとを組み合わせることによって得られたＯＦＤＭＡ物理層シグナリングによって示されるサブチャネルに従って、ＯＦＤＭＡモードに切り替えられ、端末に対応するサブチャネル上でＯＦＤＭＡプリアンブル及び端末のＯＦＤＭＡデータを読み取り／復調する。
【０１４７】
本発明のこの実施形態において提供されるデータ伝送インジケーション方法において、アクセスポイントは、ＯＦＤＭＡ物理層シグナリングを運ぶＮＤＰＡフレーム及びＯＦＤＭプリアンブルを端末に送信し、それにより各端末は、ＮＤＰＡフレーム及びＯＦＤＭプリアンブルを使用することによって、端末が端末に対応するダウンリンクＯＦＤＭＡデータ情報を受信すべきであるサブチャネルを学習するものとしてよく、それにより、アクセスポイントによって送信されたダウンリンクＯＦＤＭＡデータ情報を受信する。すなわち、アクセスポイントがＯＦＤＭＡ物理層シグナリングに従って各端末に対してサブチャネルを割り振る方式は、端末がアクセスポイントのデータを受信するときに、アクセスポイントがより多くの端末に対するインジケーションを実行することを可能にし、すなわち、アクセスポイントがサブチャネルを示す端末の数は制限されない。それに加えて、アクセスポイントは、端末に対応するそれぞれのサブチャネル上でダウンリンクＯＦＤＭＡデータ情報を同時に複数の端末に送信することができ、したがって、対応する時間周波数リソースは十分に使用され得る。
【０１４８】
さらに、図２から図４に示されている実施形態に基づき、本発明の実施形態の実現可能な実装方式として、この実施形態に関わる方法は、ダウンリンクＯＦＤＭＡデータ情報を端末に送信した後に、アクセスポイントが対応するサブチャネル上で端末によって送信されたＡＣＫ応答又はＢＡ応答を受信するプロセスである。適宜、前述のＯＦＤＭＡ物理層シグナリング又はＯＦＤＭＡデータは、ＯＦＤＭＡ確認応答（Ａｃｋｎｏｗｌｅｄｇｅ、以下略してＡＣＫ）要求又はＯＦＤＭＡブロック確認応答（Ｂｌｏｃｋ  ＡＣＫ、以下略してＢＡ）要求を運び、ＯＦＤＭＡ  ＡＣＫ要求又はＯＦＤＭＡ  ＢＡ要求は、ＯＦＤＭＡモードにおいてＡＣＫ応答又はＢＡ応答をアクセスポイントに送信するように端末に指示するために使用され、その場合に、前述のＯＦＤＭＡ物理層シグナリングは、端末に対応し、ＡＣＫ応答又はＢＡ応答がアクセスポイントに送信されるとともに、端末に対して割り振られたサブチャネルを示すためにさらに使用される。Ｓ２０２又はＳ３０２又はＳ４０２の後に、Ｓ１０の動作が実行され得る。
【０１４９】
Ｓ１０：アクセスポイントは、ＯＦＤＭＡモードにおいて端末に対応するサブチャネル上で端末によって送信されたＡＣＫ応答又はＢＡ応答を受信する。
【０１５０】
特に、アクセスポイントによって送信されたダウンリンクＯＦＤＭＡデータ情報が各端末によって正しく受信されたことを示すために、各端末は、ＡＣＫ応答又はＢＡ応答によってアクセスポイントに応答する必要がある。アクセスポイントがＯＦＤＭＡ  ＡＣＫ要求又はＯＦＤＭＡ  ＢＡ要求をＯＦＤＭＡデータ又はＯＦＤＭＡ物理層シグナリングに追加する場合（図４ａを参照すると、アクセスポイントがＯＦＤＭＡ  ＡＣＫ要求を追加する例が使用されている）、アクセスポイントのＯＦＤＭＡ物理層シグナリングのインジケーションに従って端末に対応するサブチャネル上でダウンリンクＯＦＤＭＡデータ情報を受信した後に、端末は、ＯＦＤＭＡ物理層シグナリングによって示されるサブチャネル上でＯＦＤＭＡモードにおいてＡＣＫ又はＢＡ応答によって直接応答し得る。ＡＣＫ応答はＯＦＤＭＡ  ＡＣＫ要求に対応し、ＢＡ応答はＯＦＤＭＡ  ＢＡ要求に対応する。その場合に、アクセスポイントは、それぞれの対応するサブチャネル上で端末によって送信されたＡＣＫ応答又はＢＡ応答を受信する。すなわち、複数の端末が端末に対応するサブチャネル上で応答を同時にアクセスポイントに送信することが有効化され、対応する時間周波数リソースは十分に使用される。
【０１５１】
本発明のこの実施形態において提供されるデータ伝送インジケーション方法において、端末は、ＯＦＤＭＡ物理層シグナリングによって示されるサブチャネル上で、アクセスポイントによって送信されたダウンリンクＯＦＤＭＡデータ情報を受信し、そして複数の端末は、対応するサブチャネル上でＡＣＫ応答又はＢＡ応答を同時にアクセスポイントに送信することができ、すなわち、アクセスポイントがＯＦＤＭＡ物理層シグナリングに従って各端末に対してサブチャネルを割り振る方式は、端末がＡＣＫ応答又はＢＡ応答をアクセスポイントに送信するときに、アクセスポイントがより多くの端末に対するインジケーションを実行することを可能にし、すなわち、アクセスポイントがサブチャネルを示す端末の数は制限されず、したがって、複数の端末のＡＣＫ応答又はＢＡ応答は並行してアクセスポイントに伝送され、対応する時間周波数リソースは十分に使用される。
【０１５２】
さらに、図２から図４に示されている実施形態に基づき、本発明の実施形態の別の実現可能な実装方式として、この実施形態に関わる方法は、ＯＦＤＭＡ物理層シグナリング及びダウンリンクＯＦＤＭＡデータ情報を端末に送信した後に、アクセスポイントが単一のＡＣＫ要求フレーム又はＢＡ要求フレームを端末に送信するプロセスであり、それにより、端末はＯＦＤＭＡ物理層シグナリングによって示されるサブチャネル上でＡＣＫ応答又はＢＡ応答をアクセスポイントに送信することができる。
【０１５３】
前述のＯＦＤＭＡ物理層シグナリングは、端末に対応し、ＡＣＫ応答又はＢＡ応答がアクセスポイントに送信されるとともに、端末に対して割り振られたサブチャネルを示すためにさらに使用されるものとしてよい。Ｓ２０２又はＳ３０２又はＳ４０２の後に、次のステップが実行され得る。
【０１５４】
Ｓ２０：アクセスポイントは、ＡＣＫ要求フレーム又はＢＡ要求フレームを端末に送信し、ここで、ＡＣＫ要求フレーム又はＢＡ要求フレームは専用情報ビットを含み、専用情報ビットは、ＯＦＤＭＡモードにおいてＡＣＫ応答又はＢＡ応答をアクセスポイントに送信するように端末に指示するために使用される。
【０１５５】
特に、ダウンリンクＯＦＤＭＡデータ情報を端末に送信した後に、アクセスポイントは、単一のＡＣＫ要求フレーム又はＢＡ要求フレームを端末にさらに送信するものとしてよく（図４ｂを参照すると、ＢＡ要求フレームが個別に送信される例が使用されている）、ここで、ＡＣＫ要求フレーム又はＢＡ要求フレームは専用情報ビットを含み、専用情報ビットは、ＯＦＤＭＡモードにおいてＡＣＫ応答又はＢＡ応答をアクセスポイントに送信するように端末に指示するために使用される。適宜、ＡＣＫ要求フレーム又はＢＡ要求フレームは、ＯＦＤＭＡ物理層シグナリングを運び得るか、又はＯＦＤＭＡ物理層シグナリングを運び得ない。端末は、ＯＦＤＭＡ物理層シグナリングに従って、端末がＡＣＫ応答又はＢＡ応答をアクセスポイントに送信するサブチャネルを判定する。ＡＣＫ要求フレーム又はＢＡ要求フレームがＯＦＤＭＡ物理層シグナリングを運ばない場合、端末は、アクセスポイントがダウンリンクＯＦＤＭＡデータ情報を送信するときの各端末に対応するサブチャネル上でＡＣＫ応答又はＢＡ応答によって応答し、すなわち、端末は、端末がダウンリンクＯＦＤＭＡデータ情報を受信するサブチャネルを、端末がＡＣＫ応答又はＢＡ応答によって応答するサブチャネルとして使用し得る。
【０１５６】
専用情報ビットの表現は、ＡＣＫ要求フレーム又はＢＡ要求フレームを、ＯＦＤＭＡモードにおいてＡＣＫ応答又はＢＡ応答をアクセスポイントに送信するように端末に指示するために使用されるフレームタイプ（すなわち、従来のＡＣＫ要求フレーム又はＢＡ要求フレームと異なる新しいフレームタイプ）として識別することであってよい。別の専用情報ビットの表現は、同様に、以下のとおりであるものとしてよく、ＡＣＫ要求フレーム又はＢＡ要求フレームのフレームタイプが変更されていない場合には、専用情報ビットはＯＦＤＭＡモードにおいてＡＣＫ応答又はＢＡ応答をアクセスポイントに送信するように端末に指示するために直接使用される。
【０１５７】
それに加えて、ＯＦＤＭプリアンブルと同様に、ＡＣＫ要求フレーム若しくはＢＡ要求フレームは、一次チャネル上でのみ送信され得るか、又は二重伝送（Ｄｕｐｌｉｃａｔｅｄ  Ｔｒａｎｓｍｉｓｓｉｏｎ）方式ですべてのサブチャネル上で送信され得る。
【０１５８】
Ｓ２１：アクセスポイントは、ＯＦＤＭＡモードにおいて対応するサブチャネル上で端末によって送信されたＡＣＫ応答又はＢＡ応答を受信する。
【０１５９】
特に、ＯＦＤＭＡ物理層シグナリングに従って、端末がＡＣＫ応答又はＢＡ応答をアクセスポイントに送信するサブチャネルを学習した後に、端末は、ＯＦＤＭＡモードにおいて対応するサブチャネル上でＡＣＫ応答又はＢＡ応答をアクセスポイントに送信する。すなわち、すべての端末が、それぞれの対応するサブチャネル上でＡＣＫ応答又はＢＡ応答を同時にアクセスポイントに送信することができ、すなわち、複数の端末のＡＣＫ応答又はＢＡ応答は並行して伝送され得るとともに、対応する時間周波数リソースは十分に使用される。
【０１６０】
適宜、端末のサブチャネルが、複数の単位チャネル（単位が２０ＭＨｚであるチャネルなど）である場合、端末は、二重伝送方式によりこれらの複数の単位チャネル上でＡＣＫ応答若しくはＢＡ応答を送信し得るか、又は非二重伝送方式によりＡＣＫ応答若しくはＢＡ応答を送信し得る。
【０１６１】
本発明のこの実施形態において提供されるデータ伝送インジケーション方法において、ＡＣＫ応答又はＢＡ応答がアクセスポイントに送信されるサブチャネルは、アクセスポイントによって送信されたＯＦＤＭＡ物理層シグナリングを使用することによって端末に示される。すなわち、アクセスポイントがＯＦＤＭＡ物理層シグナリングに従って各端末に対してサブチャネルを割り振る方式は、端末がＡＣＫ応答又はＢＡ応答をアクセスポイントに送信するときに、アクセスポイントがより多くの端末に対するインジケーションを実行することを可能にし、すなわち、アクセスポイントがサブチャネルを示す端末の数は制限されず、したがって、複数の端末のＡＣＫ応答又はＢＡ応答は並行してアクセスポイントに伝送され、対応する時間周波数リソースは十分に使用される。
【０１６２】
図５は、本発明によるデータ伝送インジケーション方法の実施形態７の概略のフローチャートである。この実施形態に関わる方法は、アクセスポイントがＯＦＤＭＡ物理層シグナリングを運ぶマルチユーザ多入力多出力（Ｍｕｌｔｉ−Ｕｓｅｒ  Ｍｕｌｔｉｐｌｅ−Ｉｎｐｕｔ  Ｍｕｌｔｉｐｌｅ−Ｏｕｔｐｕｔ、以下略してＭＵ−ＭＩＭＯ）データ情報を端末に送信するプロセスであり、ＯＦＤＭＡ  ＡＣＫ要求又はＯＦＤＭＡ  ＢＡ要求は、ＯＦＤＭＡ物理層シグナリングで運ばれ、それにより、端末は、ＯＦＤＭＡモードにおいて端末に対応するサブチャネル上でＡＣＫ応答又はＢＡ応答によって応答する。図５に示されているように、方法は以下を含む。
【０１６３】
Ｓ５０１：アクセスポイントは、ＭＵ−ＭＩＭＯモードにおいてＭＵ−ＭＩＭＯデータ情報を端末に送信し、ここで、ＭＵ−ＭＩＭＯデータ情報は、ＯＦＤＭＡ物理層シグナリングを運ぶ。
【０１６４】
特に、前述のＭＵ−ＭＩＭＯデータ情報で運ばれるＯＦＤＭＡ物理層シグナリングは、ＯＦＤＭＡモードにおいてＡＣＫ応答又はＢＡ応答をアクセスポイントに送信するように端末に指示するために使用されるＯＦＤＭＡ  ＡＣＫ要求又はＯＦＤＭＡ  ＢＡ要求を含み、すなわち、アクセスポイントは、端末が対応するＭＵ−ＭＩＭＯデータ情報を取得した後にＡＣＫ応答又はＢＡ応答によって応答することを端末に要求する。ＯＦＤＭＡ物理層シグナリングは、端末に対応し、ＡＣＫ応答又はＢＡ応答がアクセスポイントに送信されるとともに、端末に対して割り振られたサブチャネルを端末に示すために使用される。
【０１６５】
Ｓ５０２：アクセスポイントは、ＯＦＤＭＡモードにおいて対応するサブチャネル上で端末によって送信されたＡＣＫ応答又はＢＡ応答を受信する。
【０１６６】
特に、ＯＦＤＭＡ物理層シグナリングに従って、ＡＣＫ応答又はＢＡ応答がアクセスポイントに送信されるサブチャネルを判定した後に、端末は、ＯＦＤＭＡモードにおいて対応するサブチャネル上でＡＣＫ応答又はＢＡ応答をアクセスポイントに送信する。すなわち、すべての端末が、それぞれの対応するサブチャネル上でＡＣＫ応答又はＢＡ応答を同時にアクセスポイントに送信することができ、すなわち、複数の端末のＡＣＫ応答又はＢＡ応答は並行して伝送され得るとともに、その場合に、対応する時間周波数リソースは十分に使用され得る。
【０１６７】
本発明のこの実施形態において提供されるデータ伝送インジケーション方法において、アクセスポイントは、ＯＦＤＭＡ物理層シグナリングを、端末に送信されるＭＵ−ＭＩＭＯデータ情報に追加し、ここで、ＯＦＤＭＡ物理層シグナリングは、ＡＣＫ応答又はＢＡ応答をアクセスポイントに送信するとともに、端末に割り振られたサブチャネルを端末に示すために使用され、それにより、複数の端末が、対応するサブチャネル上でＡＣＫ応答又はＢＡ応答を同時にアクセスポイントに送信することができ、すなわち、アクセスポイントがＯＦＤＭＡ物理層シグナリングに従って各端末に対してサブチャネルを割り振る方式は、端末がＡＣＫ応答又はＢＡ応答をアクセスポイントに送信するときに、アクセスポイントがより多くの端末に対するインジケーションを実行することを可能にし、すなわち、アクセスポイントがサブチャネルを示す端末の数は制限されず、したがって、複数の端末のＡＣＫ応答又はＢＡ応答は並行してアクセスポイントに伝送され、対応する時間周波数リソースは十分に使用される。
【０１６８】
図６は、本発明によるデータ伝送インジケーション方法の実施形態８の概略のフローチャートである。この実施形態に関わる方法は、アクセスポイントがＯＦＤＭＡ物理層シグナリングを運ぶＭＵ−ＭＩＭＯデータ情報を端末に送信し、ＡＣＫ要求フレーム又はＢＡ要求フレームを端末に送信するプロセスであり、それにより、端末は、ＯＦＤＭＡモードにおいて端末に対応するサブチャネル上でＡＣＫ応答又はＢＡ応答によって応答する。図６に示されているように、方法は以下を含む。
【０１６９】
Ｓ６０１：アクセスポイントは、ＭＵ−ＭＩＭＯモードにおいてＭＵ−ＭＩＭＯデータ情報を端末に送信し、ここで、ＭＵ−ＭＩＭＯデータ情報は、ＯＦＤＭＡ物理層シグナリングを運ぶ。
【０１７０】
特に、ＯＦＤＭＡ物理層シグナリングは、ＡＣＫ応答又はＢＡ応答がアクセスポイントに送信されるとともに、端末に対して割り振られたサブチャネルを端末に示すために使用される。
【０１７１】
Ｓ６０２：アクセスポイントは、ＡＣＫ要求フレーム又はＢＡ要求フレームを端末に送信し、ここで、ＡＣＫ要求フレーム又はＢＡ要求フレームは専用情報ビットを含み、専用情報ビットは、ＯＦＤＭＡモードにおいてＡＣＫ応答又はＢＡ応答をアクセスポイントに送信するように端末に指示するために使用される。
【０１７２】
特に、アクセスポイントによって端末に送信されたＡＣＫ要求フレーム又はＢＡ要求フレームは、アクセスポイントが、ＭＵ−ＭＩＭＯデータ情報が首尾よく伝送されたかどうかを学習するために、端末が対応するＭＵ−ＭＩＭＯデータ情報を取得した後に、ＯＦＤＭＡモードにおいてＡＣＫ応答又はＢＡ応答によってアクセスポイントに応答することを端末に要求するという目的を有する。
【０１７３】
Ｓ６０３：アクセスポイントは、ＯＦＤＭＡモードにおいて対応するサブチャネル上で端末によって送信されたＡＣＫ応答又はＢＡ応答を受信する。
【０１７４】
特に、ＯＦＤＭＡ物理層シグナリングに従って、ＡＣＫ応答又はＢＡ応答がアクセスポイントに送信されるサブチャネルを判定した後に、端末は、ＯＦＤＭＡモードにおいて対応するサブチャネル上でＡＣＫ応答又はＢＡ応答をアクセスポイントに送信する。すなわち、すべての端末が、それぞれの対応するサブチャネル上でＡＣＫ応答又はＢＡ応答を同時にアクセスポイントに送信することができ、すなわち、複数の端末のＡＣＫ応答又はＢＡ応答は並行して伝送され得るとともに、その場合に、対応する時間周波数リソースは十分に使用され得る。
【０１７５】
本発明のこの実施形態において提供されるデータ伝送インジケーション方法において、アクセスポイントは、ＯＦＤＭＡ物理層シグナリングを、端末に送信されるＭＵ−ＭＩＭＯデータ情報に追加し、ここで、ＯＦＤＭＡ物理層シグナリングは、ＡＣＫ応答又はＢＡ応答をアクセスポイントに送信するとともに、端末に割り振られたサブチャネルを端末に示すために使用され、それにより、複数の端末が、対応するサブチャネル上でＡＣＫ応答又はＢＡ応答を同時にアクセスポイントに送信することができ、すなわち、アクセスポイントがＯＦＤＭＡ物理層シグナリングに従って各端末に対してサブチャネルを割り振る方式は、端末がＡＣＫ応答又はＢＡ応答をアクセスポイントに送信するときに、アクセスポイントがより多くの端末に対するインジケーションを実行することを可能にし、すなわち、アクセスポイントがサブチャネルを示す端末の数は制限されず、したがって、複数の端末のＡＣＫ応答又はＢＡ応答は並行してアクセスポイントに伝送され、対応する時間周波数リソースは十分に使用される。
【０１７６】
図７は、本発明によるデータ伝送インジケーション方法の実施形態９の概略のフローチャートである。この実施形態に関わる方法は、アクセスポイントがＯＦＤＭＡ物理層シグナリングを運ぶＡＣＫ要求フレーム又はＢＡ要求フレームを端末に送信するプロセスであり、それにより、端末は、ＯＦＤＭＡモードにおいて端末に対応するサブチャネル上でＡＣＫ応答又はＢＡ応答によって応答する。図７に示されているように、方法は以下を含む。
【０１７７】
Ｓ７０１：アクセスポイントは、ＭＵ−ＭＩＭＯモードにおいてＭＵ−ＭＩＭＯデータ情報を端末に送信する。
【０１７８】
Ｓ７０２：アクセスポイントは、ＡＣＫ要求フレーム又はＢＡ要求フレームを端末に送信し、ここで、ＡＣＫ要求フレーム又はＢＡ要求フレームは専用情報ビットを含み、専用情報ビットは、ＯＦＤＭＡモードにおいてＡＣＫ応答又はＢＡ応答をアクセスポイントに送信するように端末に指示するために使用され、ＡＣＫ要求フレーム又はＢＡ要求フレームは、ＯＦＤＭＡ物理層シグナリングを運ぶ。
【０１７９】
特に、アクセスポイントによって端末に送信されたＡＣＫ要求フレーム又はＢＡ要求フレームは、アクセスポイントが、ＭＵ−ＭＩＭＯデータ情報が首尾よく伝送されたかどうかを学習するために、端末が対応するＭＵ−ＭＩＭＯデータ情報を取得した後に、ＯＦＤＭＡモードにおいてＡＣＫ応答又はＢＡ応答によってアクセスポイントに応答することを端末に要求するという目的を有する。ＡＣＫ要求フレーム又はＢＡ要求フレームで運ばれるＯＦＤＭＡ物理層シグナリングは、ＡＣＫ応答又はＢＡ応答がアクセスポイントに送信されるとともに、端末に対して割り振られたサブチャネルを端末に示すために使用される。
【０１８０】
Ｓ７０３：アクセスポイントは、ＯＦＤＭＡモードにおいて対応するサブチャネル上で端末によって送信されたＡＣＫ応答又はＢＡ応答を受信する。
【０１８１】
特に、ＯＦＤＭＡ物理層シグナリングに従って、ＡＣＫ応答又はＢＡ応答がアクセスポイントに送信されるサブチャネルを判定した後に、端末は、ＯＦＤＭＡモードにおいて対応するサブチャネル上でＡＣＫ応答又はＢＡ応答をアクセスポイントに送信する。すなわち、すべての端末が、それぞれの対応するサブチャネル上でＡＣＫ応答又はＢＡ応答を同時にアクセスポイントに送信することができ、すなわち、複数の端末のＡＣＫ応答又はＢＡ応答は並行して伝送され得るとともに、その場合に、対応する時間周波数リソースは十分に使用され得る。
【０１８２】
本発明のこの実施形態において提供されるデータ伝送インジケーション方法において、アクセスポイントは、ＯＦＤＭＡ物理層シグナリングを端末に送信されるＡＣＫ要求フレーム又はＢＡ要求フレームに追加し、ここで、ＯＦＤＭＡ物理層シグナリングは、ＡＣＫ応答又はＢＡ応答をアクセスポイントに送信するとともに、端末に割り振られたサブチャネルを端末に示すために使用され、それにより、複数の端末が、対応するサブチャネル上でＡＣＫ応答又はＢＡ応答を同時にアクセスポイントに送信することができ、すなわち、アクセスポイントがＯＦＤＭＡ物理層シグナリングに従って各端末に対してサブチャネルを割り振る方式は、端末がＡＣＫ応答又はＢＡ応答をアクセスポイントに送信するときに、アクセスポイントがより多くの端末に対するインジケーションを実行することを可能にし、すなわち、アクセスポイントがサブチャネルを示す端末の数は制限されず、したがって、複数の端末のＡＣＫ応答又はＢＡ応答は並行してアクセスポイントに伝送され、対応する時間周波数リソースは十分に使用される。
【０１８３】
図８は、本発明によるデータ伝送インジケーション方法の実施形態１０の概略のフローチャートである。この実施形態に関わる方法は、アクセスポイントがＯＦＤＭＡ  ＡＣＫ要求又はＯＦＤＭＡ  ＢＡ要求を運ぶＯＦＤＭＡ物理層シグナリングを端末に送信するプロセスであり、それにより、端末は、ＯＦＤＭＡモードにおいて端末に対応するサブチャネル上でＡＣＫ応答又はＢＡ応答によって応答する。図８に示されているように、方法は以下を含む。
【０１８４】
Ｓ８０１：アクセスポイントは、直交周波数分割多元接続ＯＦＤＭＡ物理層シグナリングを端末に送信する。
【０１８５】
特に、ＯＦＤＭＡ物理層シグナリングは、ＯＦＤＭＡ  ＡＣＫ要求又はＯＦＤＭＡ  ＢＡ要求を運び、ＯＦＤＭＡ  ＡＣＫ要求又はＯＦＤＭＡ  ＢＡ要求は、ＯＦＤＭＡモードにおいてＡＣＫ応答又はＢＡ応答をアクセスポイントに送信するように端末に指示するために使用され、すなわち、アクセスポイントは、端末が対応するＯＦＤＭＡ＋ＭＵ−ＭＩＭＯデータ情報を取得した後にＡＣＫ応答又はＢＡ応答によってアクセスポイントに応答することを端末に要求し、それにより、後に続くＯＦＤＭＡ＋ＭＵ−ＭＩＭＯデータ情報が首尾よく伝送されたかどうかを学習する。ＯＦＤＭＡ物理層シグナリングは、ＡＣＫ応答又はＢＡ応答がアクセスポイントに送信されるとともに、端末に対して割り振られた対応するサブチャネルを端末に示すために使用される。
【０１８６】
Ｓ８０２：アクセスポイントは、ＯＦＤＭＡ＋ＭＵ−ＭＩＭＯモードにおいて端末に対応するサブチャネル上でＯＦＤＭＡ＋ＭＵ−ＭＩＭＯデータ情報を端末に送信する。
【０１８７】
適宜、ＯＦＤＭＡ＋ＭＵ−ＭＩＭＯデータ情報は、ＯＦＤＭＡ物理層シグナリングを運び得るか、又はＯＦＤＭＡ物理層シグナリングを運び得ない。
【０１８８】
Ｓ８０３：アクセスポイントは、ＯＦＤＭＡモードにおいて対応するサブチャネル上で端末によって送信されたＡＣＫ応答又はＢＡ応答を受信する。
【０１８９】
特に、ＯＦＤＭＡ物理層シグナリングに従って、ＡＣＫ応答又はＢＡ応答がアクセスポイントに送信されるサブチャネルを判定した後に、端末は、ＯＦＤＭＡ又はＯＦＤＭＡ＋ＭＵ−ＭＩＭＯモードにおいて対応するサブチャネル上でＡＣＫ応答又はＢＡ応答をアクセスポイントに送信する（この場合、アクセスポイントは、ＯＦＤＭＡ物理層シグナリングにおけるサブチャネルの割り振りを示す必要があるだけでなく、各サブチャネルにおけるＭＵ−ＭＩＭＯ時空間ストリームの割り振り状況をさらに示す必要もある）。すなわち、すべての端末が、それぞれの対応するサブチャネル上でＡＣＫ応答又はＢＡ応答を同時にアクセスポイントに送信することができ、すなわち、複数の端末のＡＣＫ応答又はＢＡ応答は並行して伝送され得るとともに、その場合に、対応する時間周波数リソースは十分に使用され得る。
【０１９０】
本発明のこの実施形態において提供されるデータ伝送インジケーション方法において、アクセスポイントは、ＯＦＤＭＡ物理層シグナリングを端末に送信し、ここで、ＯＦＤＭＡ物理層シグナリングは、ＡＣＫ応答又はＢＡ応答をアクセスポイントに送信するとともに、端末に割り振られたサブチャネルを端末に示すために使用され、それにより、複数の端末が、対応するサブチャネル上でＡＣＫ応答又はＢＡ応答を同時にアクセスポイントに送信することができ、すなわち、アクセスポイントがＯＦＤＭＡ物理層シグナリングに従って各端末に対してサブチャネルを割り振る方式は、端末がＡＣＫ応答又はＢＡ応答をアクセスポイントに送信するときに、アクセスポイントがより多くの端末に対するインジケーションを実行することを可能にし、すなわち、アクセスポイントがサブチャネルを示す端末の数は制限されず、したがって、複数の端末のＡＣＫ応答又はＢＡ応答は並行してアクセスポイントに伝送され、対応する時間周波数リソースは十分に使用される。
【０１９１】
図９は、本発明によるデータ伝送インジケーション方法の実施形態１１の概略のフローチャートである。この実施形態に関わる方法は、アクセスポイントがＯＦＤＭＡ物理層シグナリング、そしてＡＣＫ要求フレーム又はＢＡ要求フレームを端末に送信するプロセスであり、それにより、端末は、ＯＦＤＭＡモードにおいて端末に対応するサブチャネル上でＡＣＫ応答又はＢＡ応答によって応答する。図９に示されているように、方法は以下を含む。
【０１９２】
Ｓ９０１：アクセスポイントは、直交周波数分割多元接続ＯＦＤＭＡ物理層シグナリングを端末に送信する。
【０１９３】
特に、ＯＦＤＭＡ物理層シグナリングは、ＡＣＫ応答又はＢＡ応答がアクセスポイントに送信されるとともに、端末に対して割り振られた対応するサブチャネルを端末に示すために使用される。
【０１９４】
Ｓ９０２：アクセスポイントは、ＯＦＤＭＡ＋ＭＵ−ＭＩＭＯモードにおいて端末に対応するサブチャネル上でＯＦＤＭＡ＋ＭＵ−ＭＩＭＯデータ情報を端末に送信する。
【０１９５】
適宜、ＯＦＤＭＡ＋ＭＵ−ＭＩＭＯデータ情報は、ＯＦＤＭＡ物理層シグナリングを運び得るか、又はＯＦＤＭＡ物理層シグナリングを運び得ない。
【０１９６】
Ｓ９０３：アクセスポイントは、ＡＣＫ要求フレーム又はＢＡ要求フレームを端末に送信し、ここで、ＡＣＫ要求フレーム又はＢＡ要求フレームは専用情報ビットを含み、専用情報ビットは、ＯＦＤＭＡモードにおいてＡＣＫ応答又はＢＡ応答をアクセスポイントに送信するように端末に指示するために使用される。
【０１９７】
適宜、ＡＣＫ要求フレーム又はＢＡ要求フレームは、ＯＦＤＭＡ物理層シグナリングを運び得るか、又はＯＦＤＭＡ物理層シグナリングを運び得ない。さらに、適宜、前述のＯＦＤＭＡ＋ＭＵ−ＭＩＭＯデータ情報がＯＦＤＭＡ物理層シグナリングを運ぶときに、ＡＣＫ要求フレーム若しくはＢＡ要求フレームは、ＯＦＤＭＡ物理層シグナリングを運び得ないか、又は前述のＯＦＤＭＡ＋ＭＵ−ＭＩＭＯデータ情報がＯＦＤＭＡ物理層シグナリングを運ばないときに、ＡＣＫ要求フレーム若しくはＢＡ要求フレームは、ＯＦＤＭＡ物理層シグナリングを運び得る。
【０１９８】
Ｓ９０４：アクセスポイントは、ＯＦＤＭＡモードにおいて対応するサブチャネル上で端末によって送信されたＡＣＫ応答又はＢＡ応答を受信する。
【０１９９】
特に、ＯＦＤＭＡ物理層シグナリングに従って、ＡＣＫ応答又はＢＡ応答がアクセスポイントに送信されるサブチャネルを判定した後に、端末は、ＡＣＫ要求フレーム又はＢＡ要求フレーム内の専用情報ビットに従って、ＯＦＤＭＡ又はＯＦＤＭＡ＋ＭＵ−ＭＩＭＯモードにおいて対応するサブチャネル上でＡＣＫ応答又はＢＡ応答をアクセスポイントに送信することを判定する。すなわち、すべての端末が、それぞれの対応するサブチャネル上でＡＣＫ応答又はＢＡ応答を同時にアクセスポイントに送信することができ、すなわち、複数の端末のＡＣＫ応答又はＢＡ応答は並行して伝送され得るとともに、その場合に、対応する時間周波数リソースは十分に使用され得る。
【０２００】
本発明のこの実施形態において提供されるデータ伝送インジケーション方法において、アクセスポイントは、ＯＦＤＭＡ物理層シグナリングを端末に送信し、ここで、ＯＦＤＭＡ物理層シグナリングは、ＡＣＫ応答又はＢＡ応答をアクセスポイントに送信するとともに、端末に割り振られたサブチャネルを端末に示すために使用され、それにより、複数の端末が、対応するサブチャネル上でＡＣＫ応答又はＢＡ応答を同時にアクセスポイントに送信することができ、すなわち、アクセスポイントがＯＦＤＭＡ物理層シグナリングに従って各端末に対してサブチャネルを割り振る方式は、端末がＡＣＫ応答又はＢＡ応答をアクセスポイントに送信するときに、アクセスポイントがより多くの端末に対するインジケーションを実行することを可能にし、すなわち、アクセスポイントがサブチャネルを示す端末の数は制限されず、したがって、複数の端末のＡＣＫ応答又はＢＡ応答は並行してアクセスポイントに伝送され、対応する時間周波数リソースは十分に使用される。
【０２０１】
図１０は、本発明によるデータ伝送インジケーション方法の実施形態１２の概略のフローチャートである。この実施形態の方法は、端末によって開始されたアップリンクＯＦＤＭＡデータ情報の伝送のプロセスを伴う。この方法は特に以下のステップを含む。
【０２０２】
Ｓ１００１：アクセスポイントは、端末によって送信されたアップリンク伝送フレームを受信する。
【０２０３】
特に、この実施形態に関わる方法は、ＳＴＡによって開始されたアップリンクＯＦＤＭＡデータ情報の伝送の前述のプロセスであり、アップリンク伝送フレームは、ＯＦＤＭＡデータ伝送要求を運ぶ。
【０２０４】
端末は、ＯＦＤＭモードにおいてアップリンク伝送フレームを伝送するものとしてよく、ここで、アップリンク伝送フレームは、特にどのような種類のものであってもよい。端末は、ＯＦＤＭＡデータ伝送要求をアップリンク伝送フレームに追加することができ、ここで、ＯＦＤＭＡデータ伝送要求は、ＯＦＤＭＡモードにおいてその後のデータ伝送を完了することをアクセスポイントに要求するために使用される。
【０２０５】
端末のアップリンク伝送フレームを受信した後、アクセスポイントは、端末のＯＦＤＭＡデータ伝送要求又は現在のネットワーク状況に従って、伝送を実行するために端末をＯＦＤＭＡモードに切り替えるかどうか、例えば、アクセスポイントにおける別の端末からの要求があるかどうかを判断する。アクセスポイントが、端末はＯＦＤＭＡモードに切り替えられる必要があると判定した場合、アクセスポイントは、その後のデータ伝送においてＯＦＤＭＡモードを使用するか、又は、アクセスポイントの判定結果が、端末はＯＦＤＭＡモードに切り替えられないという結果である場合、アクセスポイントは、ＯＦＤＭモードにおいてデータ伝送を実行することを続ける。
【０２０６】
Ｓ１００２：アクセスポイントは、ＯＦＤＭＡ物理層シグナリングを端末に送信する。
【０２０７】
特に、アクセスポイントが、ＯＦＤＭＡデータ伝送要求又は現在のネットワーク状況に従って端末はＯＦＤＭＡモードに切り替えられる必要があると判定し、ＯＦＤＭＡモードにおいてデータ伝送を実行するときに、アクセスポイントは、ＯＦＤＭＡ物理層シグナリングを端末に送信し、ここで、ＯＦＤＭＡ物理層シグナリングは、それぞれの対応するサブチャネル上でアップリンクＯＦＤＭＡデータ情報を送信するように端末に指示するために使用される。
【０２０８】
ＯＦＤＭＡ物理層シグナリングは、前述の実施形態におけるＯＦＤＭプリアンブルで運ばれ得るか、若しくはＮＤＰＡフレームで運ばれ得るか、又は、ＮＤＰＡフレーム及びＯＦＤＭプリアンブルは、ＯＦＤＭＡ物理層シグナリングを運ぶために互いに連携し得ることに留意されたい。特定のプロセスについて、前述の実施形態への参照がなされてよく、詳細はここで再び説明されない。適宜、ＯＦＤＭＡ物理層シグナリングがＯＦＤＭプリアンブルで運ばれる例が使用されており（図１０ａにおける例を参照）、ＯＦＤＭプリアンブル部分は、一次チャネル上でのみ伝送され得るか、又は複数のサブチャネル（一次チャネルを含む）上で伝送されるものとしてよく、図１０ｂにおける例への参照がなされる。
【０２０９】
適宜、Ｓ１００２の後に、アクセスポイントは、前述の端末に対応するそれぞれのサブチャネル上で端末のダウンリンクＯＦＤＭＡデータ情報をさらに送信し得る。ダウンリンクＯＦＤＭＡデータ伝送プロセスについて、前述の実施形態への参照がなされてよく、詳細はここで再び説明されない。
【０２１０】
端末は、ＯＦＤＭＡ物理層シグナリングによって示されるサブチャネルを使用することによって、端末がアップリンクＯＦＤＭＡデータ情報をアクセスポイントに送信するサブチャネルを学習し、すなわち、アクセスポイントが付加的にアップリンクＯＦＤＭＡデータ情報を伝送するように端末に指示するときに生じるシグナリングインジケーションは回避され、システム効率は改善される。
【０２１１】
Ｓ１００３：アクセスポイントは、ＯＦＤＭＡモードにおいて対応するサブチャネル上で端末によって送信されたアップリンクＯＦＤＭＡデータ情報を受信する。
【０２１２】
特に、ＯＦＤＭＡ物理層シグナリングに従って、アップリンクＯＦＤＭＡデータ情報がアクセスポイントに送信されるサブチャネルを判定した後に、端末は、そのサブチャネル上でアップリンクＯＦＤＭＡデータ情報をアクセスポイントに送信する。
【０２１３】
適宜、Ｓ１００２の後、アクセスポイントがダウンリンクＯＦＤＭＡデータ情報を端末にさらに送信する場合、端末が、対応するサブチャネル上で、アクセスポイントによって送信されたダウンリンクＯＦＤＭＡデータ情報を受信し、固定された時間長の間待った後、端末は、端末に関連付けられているアップリンクＯＦＤＭＡデータ情報をサブチャネル上で送信する。
【０２１４】
本発明のこの実施形態において提供されるデータ伝送インジケーション方法において、端末は、アップリンク伝送フレームをアクセスポイントに送信し、それにより、アクセスポイントは、ＯＦＤＭＡ物理層シグナリングを使用することによって、各端末に対して、アップリンクＯＦＤＭＡデータ情報が送信されるサブチャネルを示し、したがって、各端末は、対応するサブチャネル上でデータをアクセスポイントに送信し得る。すなわち、サブチャネルは、アクセスポイントがＯＦＤＭＡ物理層シグナリングを送信する方式で端末に対して割り振られ、それにより、アップリンクＯＦＤＭＡデータ情報がアクセスポイントに送信されるときに、アクセスポイントはより多くの端末に対するインジケーションを実行することができ、アクセスポイントが付加的にアップリンクＯＦＤＭＡデータ情報を伝送するように端末に指示するときに生じるシグナリングインジケーションは回避され、システム効率は改善される。
【０２１５】
さらに、この実施形態に関わる方法は、端末がアップリンクＯＦＤＭＡデータ情報をアクセスポイントに送信するという図１０に示されている前述のシナリオにおいて、端末によって送信されたアップリンクＯＦＤＭＡデータ情報を受信した後に、アクセスポイントが対応するサブチャネル上でＡＣＫ応答又はＢＡ応答を端末に送信するプロセスに向けられている。さらに、Ｓ１００３の後に、方法は以下をさらに含む。
【０２１６】
Ｓ１００４：アクセスポイントは、ＯＦＤＭＡモードにおいて端末に対応するサブチャネル上でアップリンクＯＦＤＭＡデータ情報に対応するＡＣＫ応答又はＢＡ応答を送信する。
【０２１７】
特に、端末は、端末に対応するサブチャネル上でアップリンクＯＦＤＭＡデータ情報をアクセスポイントに送信し、ここで、アップリンクＯＦＤＭＡデータ情報は、ＯＦＤＭＡ  ＡＣＫ要求又はＯＦＤＭＡ  ＢＡ要求を運び、ＯＦＤＭＡ  ＡＣＫ要求又はＯＦＤＭＡ  ＢＡ要求は、ＯＦＤＭＡモードにおいてＡＣＫ応答又はＢＡ応答を端末に送信するようにアクセスポイントに指示し、すなわち、アクセスポイントにアップリンクＯＦＤＭＡデータ情報の伝送状況を端末に対してフィードバックさせるために使用される。
【０２１８】
アクセスポイントは、ＯＦＤＭＡ物理層シグナリングを送信する主体であり、したがって、アクセスポイントは、対応するサブチャネル上で、端末に関連付けられているアップリンクＯＦＤＭＡデータ情報のＡＣＫ応答又はＢＡ応答を、端末に直接送信することができ、それにより、端末は、アップリンクＯＦＤＭＡデータが首尾よく伝送されたかどうかを学習する。
【０２１９】
実施形態１から実施形態３におけるフレームフォーマット及びインジケーション方式は、同様に、アクセスポイントがアップリンクマルチユーザ伝送データ（アップリンクＯＦＤＭＡデータ情報又はアップリンクＭＵ−ＭＩＭＯデータ情報）に対してＯＦＤＭＡモードにおいて並行してＡＣＫ又はＢＡ応答によって端末に応答する場合に適用可能であることに留意されたい。
【０２２０】
本発明のこの実施形態において提供されるデータ伝送インジケーション方法において、ＡＣＫ要求又はＢＡ要求は、端末によってアクセスポイントに送信されるアップリンクＯＦＤＭＡデータ情報で運ばれ、それにより、アクセスポイントは、対応するサブチャネル上でアップリンクＯＦＤＭＡデータ情報に対応するＡＣＫ応答又はＢＡ応答を端末に送信することができる。すなわち、アクセスポイントがＯＦＤＭＡ物理層シグナリングに従って各端末に対してサブチャネルを割り振る方式は、端末がアップリンクＯＦＤＭＡデータをアクセスポイントに送信するときに、アクセスポイントがより多くの端末に対するインジケーションを実行することを可能にし、すなわち、アクセスポイントがサブチャネルを示す端末の数は制限されず、したがって、端末は、アクセスポイントによって送信されたＡＣＫ応答又はＢＡ応答に従って、アップリンクＯＦＤＭＡデータが首尾よく伝送されたかどうかを学習することができる。
【０２２１】
図１１は、本発明によるデータ伝送インジケーション方法の実施形態１３の概略のフローチャートである。この実施形態の方法は、アクセスポイントによって開始されたアップリンクＯＦＤＭＡデータ情報の伝送のプロセスを伴う。この方法は特に以下のステップを含む。
【０２２２】
Ｓ１１０１：アクセスポイントは、ＯＦＤＭＡ物理層シグナリングを端末に送信する。
【０２２３】
特に、ＯＦＤＭＡ物理層シグナリングは、前述の実施形態におけるＯＦＤＭプリアンブルで運ばれ得るか、若しくはＮＤＰＡフレームで運ばれ得るか、又は、ＮＤＰＡフレーム及びＯＦＤＭプリアンブルは、ＯＦＤＭＡ物理層シグナリングを運ぶために互いに連携し得る。特定のプロセスについて、前述の実施形態への参照がなされてよく、詳細はここで再び説明されない。
【０２２４】
ＯＦＤＭＡ物理層シグナリングは、端末に対応し、アップリンクＯＦＤＭＡデータ情報がアクセスポイントに送信されるとともに、端末に対して割り振られたサブチャネルを端末に示すために特に使用される。適宜、本発明のすべての実施形態において、ＯＦＤＭＡ物理層シグナリングは、サブチャネルの割り振りがアップリンクに使用されるか、又はダウンリンクにのみ使用されるか、又はアップリンクとダウンリンクの両方に使用されるかを端末に示すために使用される情報ビットを含み得る。この実施形態では、ＯＦＤＭＡ物理層シグナリング内の情報ビットは、そのサブチャネルがアップリンク伝送に使用されるサブチャネルであることを端末に示す。アクセスポイントがチャネル使用権を取得した場合には、端末は、配信されるＯＦＤＭＡ物理層シグナリングを使用することによって、対応するサブチャネル上でアップリンクＯＦＤＭＡデータ情報をアクセスポイントに送信するように指示される。ＯＦＤＭＡ物理層シグナリングがＯＦＤＭプリアンブルで運ばれる例が使用され、ＯＦＤＭ部分は、複数のサブチャネル上で伝送され得るか（１１ａを参照）、又は一次チャネル上でのみ伝送され得る（１１ｂを参照）。
【０２２５】
Ｓ１１０２：アクセスポイントは、ＯＦＤＭＡモードにおいて対応するサブチャネル上で端末によって送信されたアップリンクＯＦＤＭＡデータ情報を受信する。
【０２２６】
特に、ＯＦＤＭＡ物理層シグナリングに従って、アップリンクＯＦＤＭＡデータ情報がアクセスポイントに送信されるサブチャネルを判定した後に、端末は、そのサブチャネル上でアップリンクＯＦＤＭＡデータ情報をアクセスポイントに送信し、したがって、アクセスポイントは、対応するサブチャネル上で端末によって送信されたアップリンクＯＦＤＭＡデータ情報の複数の断片を受信することができ、対応する時間周波数リソースは十分に使用される。
【０２２７】
本発明のこの実施形態において提供されるデータ伝送インジケーション方法において、アクセスポイントは、ＯＦＤＭＡ物理層シグナリングを使用することによって、端末に対して、アップリンクＯＦＤＭＡデータ情報が送信されるサブチャネルを示し、それにより、各端末は、対応するサブチャネル上でアップリンクデータをアクセスポイントに送信することができ、対応する時間周波数リソースは十分に使用される。さらに、サブチャネルは、アクセスポイントがＯＦＤＭＡ物理層シグナリングを送信する方式で各端末に対して割り振られ、それにより、端末がアップリンクＯＦＤＭＡデータをアクセスポイントに送信するときに、アクセスポイントはより多くの端末に対するインジケーションを実行することができ、すなわち、アクセスポイントがサブチャネルを示す端末の数は制限されない。
【０２２８】
図１２は、本発明によるデータ伝送インジケーション方法の実施形態１４の概略のフローチャートである。図１２に示されているように、方法は以下を含む。
【０２２９】
Ｓ１２０１：端末は、アクセスポイントによって送信されたＯＦＤＭＡ物理層シグナリングを受信し、ここで、ＯＦＤＭＡ物理層シグナリングは、端末に対してアクセスポイントによって割り振られたサブチャネルを端末に示すために使用され、ここで、ＯＦＤＭＡ物理層シグナリングは、端末の識別子、及び端末の識別子に対応するサブチャネル情報を含む。
【０２３０】
特に、端末は、ＯＦＤＭモードにおいてアクセスポイントによって送信されたＯＦＤＭＡ物理層シグナリングを受信し、ここで、本明細書のＯＦＤＭモードは、アクセスポイントが、ＯＦＤＭＡ物理層シグナリングをアクセスポイントのカバーエリア内の端末に送信し得るが、しかしアクセスポイントのカバーエリア内の別の端末は、同様に、ＯＦＤＭＡ物理層シグナリングを取得し、正しく復調するためにリッスンすることができるモードを指す。本発明のこの実施形態におけるＯＦＤＭＡ物理層シグナリングは、端末の識別子、及び端末の識別子に対応するサブチャネル情報を含む。
【０２３１】
サブチャネルのチャネル帯域幅は、本発明では限定されず、アクセスポイントは、端末の帯域幅要求条件に従ってサブチャネルの帯域幅を判定する。さらに、示されているサブチャネルは、複数の形態で提示されるものとしてよく、これはサブチャネルの中心周波数及び帯域幅であり得るか、又は開始周波数帯域のチャネル数及び帯域幅であり得るか、又は開始周波数帯域から終了周波数帯域までのチャネル数範囲であり得、これは本発明では限定されない。
【０２３２】
Ｓ１２０２：端末は、ＯＦＤＭＡ物理層シグナリングに従って端末に対応するサブチャネルを判定する。
【０２３３】
特に、各端末は、ＯＦＤＭＡ物理層シグナリングに含まれる内容に従って端末に対応するサブチャネルを判定し、対応するサブチャネル上で対応する動作を実行することができ、例えば、端末に対応するサブチャネル上で、端末に属するとともに、アクセスポイントによって送信されたデータを受信し得るか、又は端末に対応するサブチャネル上で対応する応答情報若しくはアップリンクデータ情報をアクセスポイントに送信し得る。前述のＯＦＤＭＡ物理層シグナリングにおける端末の識別子は、単一の端末の識別子であってよいか、又は端末グループの識別子であってよく、端末グループは、複数の端末を含み得る。
【０２３４】
端末に対してこの実施形態に関わるＯＦＤＭＡ物理層シグナリングによって示されるサブチャネルは、１つの端末に対応し得るか、又は複数の端末に対応し得る。例えば、複数の端末は、１つのグループにグループ化されるものとしてよく、ＯＦＤＭＡ物理層シグナリングは、サブチャネルをこのグループに対して割り振り、その場合に、グループ内のすべての端末は、サブチャネルを使用し得る。
【０２３５】
従来技術におけるシグナリング部分のフォーマットは、２０ＭＨｚの帯域幅のみをサポートすることができ、ユーザは、４８個のサブキャリアにおける各サブキャリアに対して割り振られ、２０ＭＨｚよりも大きい帯域幅が使用され得るときには、従来技術は、その帯域幅をサポートするための対応する拡張解決策を有していない。しかしながら、本発明のこの実施形態におけるＯＦＤＭＡ物理層シグナリングは、より大きい帯域幅をサポートすることができ、そして多数の端末について、割り振られるサブチャネルを、複数の端末に対して割り振るとともに示すことができ、ここで、サブチャネルは、１つ又は複数のサブキャリアを含む。したがって、本発明のこの実施形態及び従来技術に対する主題は異なり（従来技術では、主題はサブキャリアに対してユーザを割り振ることであり、本発明のこの実施形態では、主題はユーザに対してサブチャネル又はサブキャリアを割り振ることである）、従来技術は、サブキャリアの制限があるため４８個の端末に対するインジケーションしか実行できず、ＯＦＤＭＡ物理層シグナリングによって端末に対するサブチャネルを示すことは、帯域幅によって制限され得ず、サブチャネルは、より大きな帯域幅においてより多くの端末（４８よりも多いユーザ）に対して割り振られ得る。確かに、本発明のこの実施形態は、４８個より少ない量の端末に対して、それでもサブチャネルを割り振ることができる。
【０２３６】
本発明のこの実施形態において提供されるデータ伝送インジケーション方法において、端末は、アクセスポイントによって送信されたＯＦＤＭＡ物理層シグナリングを受信し、そして端末に対応するサブチャネルを判定し、それによって、対応するサブチャネル上で対応する動作を実行する。すなわち、アクセスポイントがＯＦＤＭＡ物理層シグナリングに従って各端末に対してサブチャネルを割り振る方式は、アクセスポイントがより多くの端末に対してサブチャネルを示すことを可能にし、すなわち、アクセスポイントがサブチャネルを示す端末の数は制限されない。
【０２３７】
図１３は、本発明によるデータ伝送インジケーション方法の実施形態１５の概略のフローチャートである。この実施形態に関わるこの方法は、サブチャネルが、ＯＦＤＭＡ物理層シグナリングを使用することによって端末に示される実現可能な実装方式である。さらに、図１２に示されている実施形態に基づき、端末の識別子は、１つ又は複数の端末グループの識別子であってよく、各端末グループは、少なくとも１つの端末を含み、サブチャネル情報は、アップリンクサブチャネル又はダウンリンクサブチャネル又はアップリンク及びダウンリンク双方向サブチャネルを含む。方法は以下を含む。
【０２３８】
Ｓ１３０１：端末は、端末グループの識別子と端末のアドレスとの間のマッピング関係を受信し、ここで、マッピング関係はアクセスポイントによって送信される。
【０２３９】
特に、端末は、端末が属する端末グループを知る必要があり、その場合に、アクセスポイントが端末グループに対してサブチャネルを割り振るときのみ、端末に対応するサブチャネルを知ることができる。したがって、アクセスポイントは、端末グループの識別子と端末のアドレスとの間のマッピング関係を各端末に送信する必要があり、それにより、端末が配置されている端末グループを各端末が学習する。端末がグルーピング管理フレーム形態で端末グループの識別子と各端末のアドレスとの間のマッピング関係を通知される単純な方式については、テーブル１のフォーマット及び関係する説明への参照がなされてよく、本発明のこの実施形態において詳細はここで再び説明されない。
【０２４０】
Ｓ１３０２：端末は、アクセスポイントによって送信されたＯＦＤＭＡ物理層シグナリングを受信し、ここで、ＯＦＤＭＡ物理層シグナリングは、端末の識別子、及び端末の識別子に対応するサブチャネル情報を含み、ＯＦＤＭＡ物理層シグナリングは、各端末グループに、割り振られたサブチャネルがアップリンクサブチャネル又はダウンリンクサブチャネル又はアップリンク及びダウンリンク双方向サブチャネルであることを示すために使用される。
【０２４１】
適宜、ＯＦＤＭＡ物理層シグナリングは、専用インジケーションビットを使用することによって、端末に対して割り振られたサブチャネルがアップリンクサブチャネル又はダウンリンクサブチャネル又はアップリンク及びダウンリンク双方向サブチャネルであることを示し得る。すなわち、ＯＦＤＭＡ物理層シグナリングは、端末グループのための割り振られたサブチャネルを示し得るだけでなく、端末グループに、割り振られたサブチャネルが、アップリンクサブチャネル又はダウンリンクサブチャネル又はアップリンク及びダウンリンク双方向サブチャネルであることも示し得る。
【０２４２】
特に、端末の識別子は、１つ又は複数の端末グループの識別子であり、ＯＦＤＭＡ物理層シグナリングは、各端末グループに対して割り振られたサブチャネルを１つ又は複数の端末グループに示すために使用され、ここで、端末グループ及びサブチャネルは一対一の対応関係にある。
【０２４３】
ＯＦＤＭＡ物理層シグナリングのインジケーションに含まれる関係するフィールドについて、テーブル２及びテーブル３に示されているフォーマット及び関係する説明への参照がなされてよく、本発明のこの実施形態において詳細はここで再び説明されない。
【０２４４】
Ｓ１３０３：端末は、マッピング関係に従って、端末が端末グループ内に配置されていることを判定し、その場合に、端末は、端末グループに対応するサブチャネルが、端末に対応するサブチャネルであることを判定する。
【０２４５】
本発明のこの実施形態において提供されるデータ伝送インジケーション方法において、アクセスポイントは、端末の識別子、及び端末の識別子に対応するサブチャネル情報を運ぶとともに含んでいるＯＦＤＭＡ物理層シグナリングを端末に送信し、アクセスポイントは、端末グループの識別子と各端末のアドレスとの間のマッピング関係を各端末にさらに送信し、それにより、端末が配置されている端末グループを各端末が学習し、そして端末に対応するサブチャネルをさらに学習し、それによって、そのサブチャネル上で対応する動作を実行する。すなわち、アクセスポイントが前述のＯＦＤＭＡ物理層シグナリングに従って各端末に対してサブチャネルを割り振る方式は、アクセスポイントがより多くの端末に対してサブチャネルを示すことを可能にし、すなわち、アクセスポイントがサブチャネルを示す端末の数は制限されない。
【０２４６】
本発明の実施形態１６は、データ伝送インジケーション方法を提供する。この実施形態に関わるこの方法は、アクセスポイントが、ＯＦＤＭＡ物理層シグナリングを使用することによって端末に対するサブチャネルを示す別の実現可能な実装方式である。図１２に示されている実施形態に基づき、ＯＦＤＭＡ物理層シグナリングは、端末の識別子、及び端末の識別子に対応するサブチャネル情報を含むものとしてよく、端末の識別子は、単一の端末グループの識別子であり、端末グループは、少なくとも２つの端末を含み、そしてＯＦＤＭＡ物理層シグナリングは、端末グループ内の各端末に、割り振られたサブチャネルがアップリンクサブチャネル又はダウンリンクサブチャネル又はアップリンク及びダウンリンク双方向サブチャネルであることを示すために使用される。
【０２４７】
適宜、ＯＦＤＭＡ物理層シグナリングは、専用インジケーションビットを使用することによって、端末に対して割り振られたサブチャネルがアップリンクサブチャネル又はダウンリンクサブチャネル又はアップリンク及びダウンリンク双方向サブチャネルであることを示し得る。端末グループ内の端末及びサブチャネルは一対一の対応関係にある。すなわち、前述のＯＦＤＭＡ物理層シグナリングは、端末グループ内の各端末のための割り振られたサブチャネルを示し得るだけでなく、端末グループ内の各端末に、割り振られたサブチャネルが、アップリンクサブチャネル又はダウンリンクサブチャネル又はアップリンク及びダウンリンク双方向サブチャネルであることも示し得る。
【０２４８】
特に、ＯＦＤＭＡ物理層シグナリングのインジケーションに含まれる関係するフィールドについて、テーブル４に示されているフォーマット及び関係する説明への参照がなされてよく、本発明のこの実施形態において詳細はここで再び説明されない。
【０２４９】
テーブル４における前述の端末グループ内の各端末は、異なるサブチャネルに対応し、そしてＯＦＤＭＡ物理層シグナリングは、より大きい帯域幅（２０ＭＨｚの帯域幅に制限されない）をサポートし得るので、サブチャネルは、より多くの端末に示され得る。
【０２５０】
本発明のこの実施形態において提供されるデータ伝送インジケーション方法において、端末は、アクセスポイントによって送信されたＯＦＤＭＡ物理層シグナリングを受信し、そしてＯＦＤＭＡ物理層シグナリングに従って端末が対応するサブチャネルを学習し、それにより、端末は、端末に対応するサブチャネル上で対応する動作を実行し得る。すなわち、アクセスポイントがＯＦＤＭＡ物理層シグナリングに従って各端末に対してサブチャネルを割り振る方式は、アクセスポイントがより多くの端末に対してサブチャネルを示すことを可能にし、すなわち、アクセスポイントがサブチャネルを示す端末の数は制限されない。
【０２５１】
図１４は、本発明によるデータ伝送インジケーション方法の実施形態１７の概略のフローチャートである。この実施形態に関わる方法は、端末がＯＦＤＭプリアンブルで運ばれるＯＦＤＭＡ物理層シグナリングを受信し、ＯＦＤＭＡ物理層シグナリングに従って端末に対応するサブチャネルを学習し、端末に対応するサブチャネル上で、アクセスポイントによって送信されたダウンリンクＯＦＤＭＡデータ情報を受信するプロセスである。方法は以下を含む。
【０２５２】
Ｓ１４０１：端末は、アクセスポイントによって送信されたＯＦＤＭプリアンブルを受信し、ここで、ＯＦＤＭプリアンブルは、ＯＦＤＭＡ物理層シグナリングを運ぶ。
【０２５３】
Ｓ１４０２：端末は、ＯＦＤＭＡ物理層シグナリングに従って端末に対応するサブチャネルを判定する。
【０２５４】
特に、端末は、ＯＦＤＭモードにおいてアクセスポイントによって送信されたＯＦＤＭプリアンブルを受信し、ここで、本明細書におけるＯＦＤＭモードは、アクセスポイントがＯＦＤＭプリアンブルをアクセスポイントのカバーエリア内の任意の端末に送信するモードを指す。ＯＦＤＭプリアンブルは、ＳＴＦ、ＬＴＦ、Ｌ−ＳＩＧ、及びＵＨＴ−ＳＩＧ−Ａを含み、ここで、ＵＨＴ−ＳＩＧ−Ａは、ＯＦＤＭＡ物理層シグナリングを運ぶ。アクセスポイントがＯＦＤＭモードにおいてＯＦＤＭプリアンブルを送信することは、アクセスポイントがＯＦＤＭプリアンブルを端末に送信することを指すが、しかしこの場合、アクセスポイントは、ＯＦＤＭプリアンブルが送信される先の特定の端末を知らず、したがって、アクセスポイントは、ＯＦＤＭプリアンブルを任意の端末に送信し、すべてのアクティブ端末は、ＯＦＤＭプリアンブルをリッスンするとともに受信し、その場合にＯＦＤＭＡ物理層シグナリングを取得し、それによって端末に対応するチャネルを学習することに留意されたい。
【０２５５】
本発明のこの実施形態におけるＯＦＤＭＡ物理層シグナリングに含まれる内容について、実施形態１４から実施形態１６における説明への参照がなされてよく、本発明のこの実施形態において詳細はここで再び説明されないことに留意されたい。
【０２５６】
Ｓ１４０３：端末は、対応するサブチャネル上で、アクセスポイントによって送信されたダウンリンクＯＦＤＭＡデータ情報を受信し、ここで、ダウンリンクＯＦＤＭＡデータ情報は、ＯＦＤＭＡプリアンブル及びＯＦＤＭＡデータを含み、ＯＦＤＭＡプリアンブルは、スイッチングフィールド及びＵＨＴ−ＳＩＧ−Ｂを含む。
【０２５７】
特に、アクセスポイントは、ＯＦＤＭＡモードにおいて端末に対応するサブチャネル上でダウンリンクＯＦＤＭＡデータ情報を送信し、すなわち、アクセスポイントは、端末に対応するそれぞれのサブチャネル上でダウンリンクＯＦＤＭＡデータ情報を同時に複数の端末に送信することができ、したがって、シグナリングオーバヘッドは低減され、マルチユーザダイバシティ利得がもたらされ得る。それに加えて、端末に対応するサブチャネルは、ＢＳＳの一次チャネルをさらに含むものとしてよく、ここで、一次チャネルは、制御シグナリング及び管理シグナリングを交換するためにアクセスポイント及び端末によって使用され、すなわち、一次チャネル上でＯＦＤＭＡ物理層シグナリングを完全に送信した後、アクセスポイントは、一次チャネルを解放し得るか、又は一次チャネルを別のサブチャネルと一緒に使用することによってダウンリンクＯＦＤＭＡデータ情報を端末に送信し得る。
【０２５８】
ＯＦＤＭプリアンブル及びダウンリンクＯＦＤＭＡデータ情報のデータ伝送フレームフォーマットについては、テーブル５に示されているフォーマット及び関係する説明への参照がなされてよく、本発明のこの実施形態において詳細はここで再び説明されない。
【０２５９】
それに加えて、アクセスポイントは、端末グループに対してサブチャネルを割り振る必要があり、実際にも、各端末に対してサブチャネルを割り振るが、しかしアクセスポイントによって毎回送信されるデータは、端末グループ内の特定の端末に対して送信され、したがって、端末は、端末グループ内の端末の実際の端末アドレスを学習する必要がある。したがって、アクセスポイントは、特定の送信先端末アドレスを各サブチャネル上で伝送されるＵＨＴ−ＳＩＧ−Ｂ又は媒体アクセス制御（Ｍｅｄｉａ  Ａｃｃｅｓｓ  Ｃｏｎｔｒｏｌ、以下略してＭＡＣ）層ヘッダに追加する必要がさらにあり、ここで、送信先端末アドレスは、テーブル１からテーブル４におけるグループ番号によって示されている端末グループ内の要素のアドレスであり、端末は、ＵＨＴ−ＳＩＧ−Ｂ又はＭＡＣ層ヘッダ内の送信先端末アドレスを読み取る。
【０２６０】
それに対応して、ＯＦＤＭ方式で受信されたＯＦＤＭプリアンブルを判定した後、端末は、ＵＨＴ−ＳＩＧ−ＡのＯＦＤＭＡ物理層シグナリングを読み取り、そして端末のアドレスに従って、端末がＯＦＤＭＡ物理層シグナリングによって示された端末グループ内にあるかどうかを判定する。端末が端末グループ内にある場合、端末は、ＯＦＤＭＡモードに切り替えられ、端末グループに対応するサブチャネル情報に従って示されたサブチャネルにさらに切り替えられ、ＯＦＤＭＡプリアンブルをさらに受信し、そして受信されたＵＨＴ−ＳＩＧ−Ｂ若しくはＭＡＣ層ヘッダで運ばれる送信先端末アドレスに従って、端末が送信先端末であるかどうかを判定し、そうであれば、端末はその後のＯＦＤＭＡデータを読み取り、又はそうでなければ、端末は読み取りを停止する。端末が端末グループ内にないと判定された場合、端末は、ＯＦＤＭＡモードに切り替えられないことを選択し、ＯＦＤＭ方式でＯＦＤＭＡプリアンブル及びＯＦＤＭＡデータを取得し続け得る。
【０２６１】
前述のステップにおいて、端末が送信先端末であろうとなかろうと関係なく、端末は、データフレームフォーマット（すなわち、ＯＦＤＭプリアンブル、ＯＦＤＭＡプリアンブル、及びＯＦＤＭＡデータを含む）内の時間長を読み取り、伝送に必要な時間を判定し得る。非送信先端末は、時間長に従って端末のネットワークアロケーションベクトル（Ｎｅｔｗｏｒｋ  Ａｌｌｏｃａｔｉｏｎ  Ｖｅｃｔｏｒ、以下略してＮＡＶ）を設定する。ＮＡＶの時間長では、非送信先端末は、端末の電力損失を低減するために、任意のサブチャネルを再びリッスンしないことを選択してもよい。それに加えて、非送信先端末は、同様に、Ｌ−ＳＩＧのｌｅｎｇｔｈに従ってＮＡＶを設定することができ、ここでのｌｅｎｇｔｈは、複数のデータフレームの全長を示すものとしてよく、その全長によって占有される時間を計算するために端末によって使用される。
【０２６２】
本発明のこの実施形態において提供されるデータ伝送インジケーション方法において、端末は、ＯＦＤＭＡ物理層シグナリングを運ぶＯＦＤＭプリアンブルを受信し、そしてＯＦＤＭプリアンブルからＯＦＤＭＡ物理層シグナリングを取得し、それによって、ＯＦＤＭＡ物理層シグナリングに従って、端末が端末に対応するダウンリンクＯＦＤＭＡデータ情報を受信すべきであるサブチャネルを学習する。すなわち、アクセスポイントがＯＦＤＭＡ物理層シグナリングに従って各端末に対してサブチャネルを割り振る方式は、端末がアクセスポイントのデータを受信するときに、アクセスポイントがより多くの端末に対するインジケーションを実行することを可能にし、すなわち、アクセスポイントがサブチャネルを示す端末の数は制限されない。
【０２６３】
図１５は、本発明によるデータ伝送インジケーション方法の実施形態１８の概略のフローチャートである。この実施形態に関わる方法は、端末がＮＤＰＡフレームで運ばれるＯＦＤＭＡ物理層シグナリングを取得し、ＯＦＤＭＡ物理層シグナリングに従って端末に対応するサブチャネルを学習し、端末に対応するサブチャネル上で、アクセスポイントによって送信されたダウンリンクＯＦＤＭＡデータ情報を受信するプロセスである。方法は以下を含む。
【０２６４】
Ｓ１５０１：端末は、アクセスポイントによって送信されたＮＤＰＡフレームを受信し、ここで、ＮＤＰＡフレームは、ＯＦＤＭＡ物理層シグナリングを運ぶ。
【０２６５】
特に、排他的なＮＤＰＡフレームは、本発明のこの実施形態において、ＯＦＤＭＡ物理層シグナリングを運ぶために使用され、そしてＯＦＤＭＡ物理層シグナリングが伝送されるときにもたらされるオーバヘッドを低減するために使用される。本発明のこの実施形態におけるＮＤＰＡフレームのフォーマットについて、テーブル６への参照がなされてよく、本発明のこの実施形態において詳細はここで再び説明されない。
【０２６６】
アクセスポイントは、ＯＦＤＭモードにおいてＮＤＰＡフレームをアクセスポイントのカバーエリア内の端末に送信するものとしてよく、そして一次チャネル上でＮＤＰＡフレームを送信するものとしてよいか、又は複数のサブチャネル上でＮＤＰＡフレームを送信するものとしてよく、他のすべての端末は、ＮＤＰＡフレームを取得するためにリッスンし得ることに留意されたい。その場合に、アクセスポイントは、ＯＦＤＭモードにおいてＯＦＤＭプリアンブルを送信する必要がさらにある。前述のＯＦＤＭＡ物理層シグナリングは、ＮＤＰＡフレームで運ばれ得るか、又はＮＤＰＡフレームとＯＦＤＭプリアンブルの両方で運ばれ得るが、しかし一般的には、シグナリングのオーバヘッドを低減するためにＮＤＰＡフレームでのみ運ばれる。適宜、ＮＤＰＡフレームがＯＦＤＭＡ物理層シグナリングを運ぶときに、ＯＦＤＭプリアンブルは、端末グループ内の特定の端末識別子をさらに示し得る。
【０２６７】
Ｓ１５０２：端末は、ＯＦＤＭＡ物理層シグナリングに従って端末に対応するサブチャネルを判定する。
【０２６８】
本発明のこの実施形態におけるＯＦＤＭＡ物理層シグナリングに含まれる内容について、実施形態１４から実施形態１６における説明への参照がなされてよく、本発明のこの実施形態において詳細はここで再び説明されないことに留意されたい。
【０２６９】
Ｓ１５０３：端末は、対応するサブチャネル上で、アクセスポイントによって送信されたダウンリンクＯＦＤＭＡデータ情報を受信し、ここで、ダウンリンクＯＦＤＭＡデータ情報は、ＯＦＤＭＡプリアンブル及びＯＦＤＭＡデータを含み、ＯＦＤＭＡプリアンブルは、スイッチングフィールド及びＵＨＴ−ＳＩＧ−Ｂを含む。
【０２７０】
特に、アクセスポイントは、ＯＦＤＭＡモードにおいてダウンリンクＯＦＤＭＡデータ情報を送信し、すなわち、アクセスポイントは、端末に対応するそれぞれのサブチャネル上でダウンリンクＯＦＤＭＡデータ情報を同時に複数の端末に送信することができ、したがって、対応する時間周波数リソースは十分に使用され得る。それに加えて、端末に対応するサブチャネルは、ＢＳＳの一次チャネルをさらに含むものとしてよく、ここで、一次チャネルは、制御シグナリング及び管理シグナリングを交換するためにアクセスポイント及び端末によって使用され、すなわち、一次チャネル上でＯＦＤＭＡ物理層シグナリングを完全に送信した後、アクセスポイントは、一次チャネルを解放し得るか、又は一次チャネルを別のサブチャネルと一緒に使用することによってダウンリンクＯＦＤＭＡデータ情報を端末に送信し得る。
【０２７１】
端末は、アイドル状態においてＯＦＤＭ方式でＮＤＰＡフレームを検出するとともに受信し、ＯＦＤＭ方式でＯＦＤＭＡ物理層シグナリングを読み取り、その場合に、端末は、同様に、ＯＦＤＭ方式でＯＦＤＭプリアンブルを受信する。ＯＦＤＭプリアンブル及びダウンリンクＯＦＤＭＡデータ情報のデータ伝送フレームフォーマットについては、テーブル５に示されているフォーマット及び関係する説明への参照がなされてよく、本発明のこの実施形態において詳細はここで再び説明されない。
【０２７２】
それに加えて、アクセスポイントは、端末グループに対してサブチャネルを割り振る必要があり、実際にも、各端末に対してサブチャネルを割り振るが、しかしアクセスポイントによって毎回送信されるデータは、端末グループ内の特定の端末に対して送信され、したがって、端末は、端末グループ内の端末の実際の端末アドレスを学習する必要がある。したがって、アクセスポイントは、特定の送信先端末アドレスを各サブチャネル上で伝送されるＵＨＴ−ＳＩＧ−Ｂ又はＭＡＣ層ヘッダに追加する必要がさらにあり、ここで、送信先端末アドレスは、テーブル１からテーブル４におけるグループ番号によって示されている端末グループ内の要素のアドレスであり、端末は、ＵＨＴ−ＳＩＧ−Ｂ又はＭＡＣ層ヘッダ内の送信先端末アドレスを読み取る。
【０２７３】
それに対応して、ＯＦＤＭ方式で受信されたＯＦＤＭプリアンブルを判定した後、端末は、端末のアドレスに従って、端末がＯＦＤＭＡ物理層シグナリングによって示された端末グループ内にあるかどうかを判定する。端末が端末グループ内にある場合、端末は、ＯＦＤＭＡモードに切り替えられ、端末グループに対応するサブチャネル情報に従って示されたサブチャネルにさらに切り替えられ、ＯＦＤＭＡプリアンブルをさらに受信し、そして受信されたＵＨＴ−ＳＩＧ−Ｂ若しくはＭＡＣ層ヘッダで運ばれる送信先端末アドレスに従って、端末が送信先端末であるかどうかを判定し、そうであれば、端末はその後のＯＦＤＭＡデータを読み取り、又はそうでなければ、端末は読み取りを停止する。端末が端末グループ内にないと判定された場合、端末は、ＯＦＤＭＡモードに切り替えられないことを選択し、ＯＦＤＭ方式でＯＦＤＭＡプリアンブル及びＯＦＤＭＡデータを取得し続け得る。
【０２７４】
前述のステップにおいて、端末が送信先端末であろうとなかろうと関係なく、端末は、データフレームフォーマット（すなわち、ＯＦＤＭプリアンブル、ＯＦＤＭＡプリアンブル、及びＯＦＤＭＡデータを含む）内の時間長を読み取り、伝送に必要な時間を判定し得る。非送信先端末は、時間長に従って端末のＮＡＶを設定する。ＮＡＶの時間長では、非送信先端末は、端末の電力損失を低減するために、任意のサブチャネルを再びリッスンしないことを選択してもよい。それに加えて、非送信先端末は、同様に、Ｌ−ＳＩＧのｌｅｎｇｔｈに従ってＮＡＶを設定することができ、ここでのｌｅｎｇｔｈは、複数のデータフレームの全長を示すものとしてよく、その全長によって占有される時間を計算するために端末によって使用される。
【０２７５】
本発明のこの実施形態において提供されるデータ伝送インジケーション方法において、端末は、ＯＦＤＭＡ物理層シグナリングを運ぶとともに、アクセスポイントによって送信されたＮＤＰＡフレームを受信し、それにより端末はＮＤＰＡフレームからＯＦＤＭＡ物理層シグナリングを取得し、それによって、ＯＦＤＭＡ物理層シグナリングに従って、端末が端末に対応するダウンリンクＯＦＤＭＡデータ情報を受信すべきであるサブチャネルを学習するものとしてよく、それにより、対応するサブチャネル上で、アクセスポイントによって送信されたダウンリンクＯＦＤＭＡデータ情報を受信する。すなわち、アクセスポイントがＯＦＤＭＡ物理層シグナリングに従って各端末に対してサブチャネルを割り振る方式は、端末がアクセスポイントのデータを受信するときに、アクセスポイントがより多くの端末に対するインジケーションを実行することを可能にし、すなわち、アクセスポイントがサブチャネルを示す端末の数は制限されない。
【０２７６】
図１６は、本発明によるデータ伝送インジケーション方法の実施形態１９の概略のフローチャートである。この実施形態に関わる方法は、アクセスポイントがＯＦＤＭＡ物理層シグナリングに含まれる内容を別々に運ぶＮＤＰＡフレーム及びＯＦＤＭプリアンブルを端末に送信するプロセスであり、それにより、端末は、ＮＤＰＡフレーム及びＯＦＤＭプリアンブルからＯＦＤＭＡ物理層シグナリングを取得し、したがって、端末は、ＯＦＤＭＡ物理層シグナリングに従って端末に対応するサブチャネルを学習し、そして端末に対応するサブチャネル上で、アクセスポイントによって送信されたダウンリンクＯＦＤＭＡデータ情報を受信する。方法は以下を含む。
【０２７７】
Ｓ１６０１：端末は、アクセスポイントによって送信されたＮＤＰＡフレーム及びＯＦＤＭプリアンブルを受信する。
【０２７８】
特に、ＮＤＰＡフレーム及びＯＦＤＭプリアンブルは、２つの連携方式でＯＦＤＭＡ物理層シグナリングを運び得る。これらの方式は以下のように独立している。
【０２７９】
第１の方式：端末は、アクセスポイントによって送信されたＮＤＰＡフレーム及びＯＦＤＭプリアンブルを受信し、ここで、ＮＤＰＡフレームは、前述のＯＦＤＭＡ物理層シグナリングにおける端末の識別子を運び、そしてＯＦＤＭプリアンブルは、端末の識別子に対応するとともに、前述のＯＦＤＭＡ物理層シグナリング内にあるサブチャネル情報を運ぶ。本明細書の端末の識別子は、実施形態２において１つ又は複数の端末グループの識別子であってよく、サブチャネルと端末グループとは一対一の対応関係にあり、そしてさらに実施形態３において単一の端末グループの識別子であってよく、サブチャネルとグループ内の端末とは一対一の対応関係にある。
【０２８０】
第２の方式：端末は、アクセスポイントによって送信されたＮＤＰＡフレーム及びＯＦＤＭプリアンブルを受信し、ここで、ＮＤＰＡフレームは、端末の識別子に対応するとともに、前述のＯＦＤＭＡ物理層シグナリング内にあるサブチャネル情報を運び、そしてＯＦＤＭプリアンブルは、前述のＯＦＤＭＡ物理層シグナリングにおける端末の識別子を運ぶ。本明細書の端末の識別子は、実施形態２において１つ又は複数の端末グループの識別子であってよく、サブチャネルと端末グループとは一対一の対応関係にあり、そしてさらに実施形態３において単一の端末グループの識別子であってよく、サブチャネルとグループ内の端末とは一対一の対応関係にある。
【０２８１】
すなわち、ＮＤＰＡフレーム及びＯＦＤＭプリアンブルは、ＯＦＤＭＡ物理層シグナリングを示すために互いに連携し得る。テーブル５におけるユーザグループ情報フィールドは、端末の識別子を含むものとしてよく、そして端末の識別子に対応するサブチャネル情報をさらに含むものとしてよい。それに加えて、テーブル５の制御情報フィールドは、現在示されている端末又は端末グループのサブチャネル情報の有効な時間の長さをさらに示すものとしてよく、それにより、端末は、時間の長さに従って、端末若しくは端末グループのサブチャネル情報のインジケーションが有効又は期限切れであるかを判定することができ、期限切れでない場合、端末は、現在のサブチャネルを使用してデータを受信及び送信し続けることができる。
【０２８２】
ＮＤＰＡフレームが端末の識別子のみを運ぶ場合、ＯＦＤＭプリアンブルは、端末の識別子に対応するとともに、ＮＤＰＡフレーム内にあるサブチャネル情報をさらに運ぶ必要があるか、又はＮＤＰＡフレームがサブチャネル情報のみを運ぶ場合、ＯＦＤＭプリアンブルは、サブチャネル情報に対応するとともに、ＮＤＰＡフレーム内にある、端末の識別子をさらに運ぶ必要がある。
【０２８３】
Ｓ１６０２：端末は、ＯＦＤＭＡ物理層シグナリングに従って端末に対応するサブチャネルを判定する。
【０２８４】
本発明のこの実施形態におけるＯＦＤＭＡ物理層シグナリングに含まれる内容について、実施形態１４から実施形態１６における説明への参照がなされてよく、本発明のこの実施形態において詳細はここで再び説明されないことに留意されたい。
【０２８５】
Ｓ１６０３：端末は、対応するサブチャネル上で、アクセスポイントによって送信されたダウンリンクＯＦＤＭＡデータ情報を受信し、ここで、ダウンリンクＯＦＤＭＡデータ情報は、ＯＦＤＭＡプリアンブル及びＯＦＤＭＡデータを含み、ＯＦＤＭＡプリアンブルは、スイッチングフィールド及びＵＨＴ−ＳＩＧ−Ｂを含む。
【０２８６】
特に、アクセスポイントは、ＯＦＤＭＡモードにおいてダウンリンクＯＦＤＭＡデータ情報を送信し、すなわち、アクセスポイントは、端末に対応するそれぞれのサブチャネル上でダウンリンクＯＦＤＭＡデータ情報を同時に複数の端末に送信することができ、したがって、対応する時間周波数リソースは十分に使用され得る。それに加えて、端末に対応するサブチャネルは、ＢＳＳの一次チャネルをさらに含むものとしてよく、ここで、一次チャネルは、制御シグナリング及び管理シグナリングを交換するためにアクセスポイント及び端末によって使用され、すなわち、一次チャネル上でＯＦＤＭＡ物理層シグナリングを完全に送信した後、アクセスポイントは、一次チャネルを解放し得るか、又は一次チャネルを別のサブチャネルと一緒に使用することによってダウンリンクＯＦＤＭＡデータ情報を端末に送信し得る。
【０２８７】
端末は、アイドル状態においてＯＦＤＭ方式でＮＤＰＡフレームを検出するとともに受信し、ＮＤＰＡフレームで運ばれるＯＦＤＭＡ物理層シグナリングの一部を読み取り、その場合に、端末は、同様に、ＯＦＤＭモードにおいてＯＦＤＭプリアンブルを受信し、次に、ＯＦＤＭＡ物理層シグナリングに対して補足されるとともに、ＯＦＤＭプリアンブル内にある、内容のその部分を読み取る。
【０２８８】
ＯＦＤＭプリアンブル及びダウンリンクＯＦＤＭＡデータ情報のデータ伝送フレームフォーマットについては、テーブル５に示されているフォーマット及び関係する説明への参照がなされてよく、本発明のこの実施形態において詳細はここで再び説明されない。
【０２８９】
それに加えて、アクセスポイントは、端末グループに対してサブチャネルを割り振る必要があり、実際にも、各端末に対してサブチャネルを割り振るが、しかしアクセスポイントによって毎回送信されるデータは、端末グループ内の特定の端末に対して送信され、したがって、端末は、端末グループ内の端末の実際の端末アドレスを学習する必要がある。したがって、アクセスポイントは、特定の送信先端末アドレスを各サブチャネル上で伝送されるＵＨＴ−ＳＩＧ−Ｂ又はＭＡＣ層ヘッダに追加する必要がさらにあり、ここで、送信先端末アドレスは、テーブル１からテーブル４におけるグループ番号によって示されている端末グループ内の要素のアドレスであり、端末は、ＵＨＴ−ＳＩＧ−Ｂ又はＭＡＣ層ヘッダ内の送信先端末アドレスを読み取る。
【０２９０】
それに対応して、ＯＦＤＭモードにおいて受信されたＯＦＤＭプリアンブルを判定した後、端末は、端末のアドレスに従って、端末がＯＦＤＭＡ物理層シグナリングによって示された端末グループ内にあるかどうかを判定する。端末が端末グループ内にある場合、端末は、ＯＦＤＭＡモードに切り替えられ、端末グループに対応するサブチャネル情報に従って示されたサブチャネルにさらに切り替えられ、ＯＦＤＭＡプリアンブルをさらに受信し、そして受信されたＵＨＴ−ＳＩＧ−Ｂ若しくはＭＡＣ層ヘッダで運ばれる送信先端末アドレスに従って、端末が送信先端末であるかどうかを判定し、そうであれば、端末はその後のＯＦＤＭＡデータを読み取り、又はそうでなければ、端末は読み取りを停止する。端末が端末グループ内にないと判定された場合、端末は、ＯＦＤＭＡモードに切り替えられないことを選択し、ＯＦＤＭモードにおいてＯＦＤＭＡプリアンブル及びＯＦＤＭＡデータを取得し続け得る。
【０２９１】
前述のステップにおいて、端末が送信先端末であろうとなかろうと関係なく、端末は、データフレームフォーマット（すなわち、ＯＦＤＭプリアンブル、ＯＦＤＭＡプリアンブル、及びＯＦＤＭＡデータを含む）内の時間長を読み取り、伝送に必要な時間を判定し得る。非送信先端末は、時間長に従って端末のＮＡＶを設定する。ＮＡＶの時間長では、非送信先端末は、端末の電力損失を低減するために、任意のサブチャネルを再びリッスンしないことを選択してもよい。それに加えて、非送信先端末は、同様に、Ｌ−ＳＩＧのｌｅｎｇｔｈに従ってＮＡＶを設定することができ、ここでのｌｅｎｇｔｈは、複数のデータフレームの全長を示すものとしてよく、その全長によって占有される時間を計算するために端末によって使用される。
【０２９２】
本発明のこの実施形態において提供されるデータ伝送インジケーション方法において、端末は、ＯＦＤＭＡ物理層シグナリングを運ぶとともに、アクセスポイントによって送信されたＮＤＰＡフレーム及びＯＦＤＭプリアンブルを受信し、そしてＮＤＰＡフレーム及びＯＦＤＭプリアンブルにおけるＯＦＤＭＡ物理層シグナリングを使用することによって、端末が端末に対応するダウンリンクＯＦＤＭＡデータ情報を受信すべきであるサブチャネルを学習し、それにより、アクセスポイントによって送信されたダウンリンクＯＦＤＭＡデータ情報を受信する。すなわち、アクセスポイントがＯＦＤＭＡ物理層シグナリングに従って各端末に対してサブチャネルを割り振る方式は、端末がアクセスポイントのデータを受信するときに、アクセスポイントがより多くの端末に対するインジケーションを実行することを可能にし、すなわち、アクセスポイントがサブチャネルを示す端末の数は制限されない。
【０２９３】
さらに、図１４から図１６に示されている実施形態に基づき、本発明の実施形態の実現可能な実装方式として、この実装に関わる方法は、アクセスポイントによって送信されたダウンリンクＯＦＤＭＡデータ情報を受信した後に、端末が対応するサブチャネル上でアクセスポイントにＡＣＫ応答又はＢＡ応答を送信するプロセスである。適宜、前述のＯＦＤＭＡ物理層シグナリング又はＯＦＤＭＡデータは、ＯＦＤＭＡ  ＡＣＫ要求又はＯＦＤＭＡ  ＢＡ要求を運び、ＯＦＤＭＡ  ＡＣＫ要求又はＯＦＤＭＡ  ＢＡ要求は、ＯＦＤＭＡモードにおいてＡＣＫ応答又はＢＡ応答をアクセスポイントに送信するように端末に指示するために使用され、その場合に、前述のＯＦＤＭＡ物理層シグナリングは、端末に対応し、ＡＣＫ応答又はＢＡ応答がアクセスポイントに送信されるとともに、端末に対して割り振られたサブチャネルを示すためにさらに使用される。すなわち、Ｓ１４０３又はＳ１５０３又はＳ１６０３の後に、Ｓ２０の動作が実行され得る。
【０２９４】
Ｓ３０：端末は、ＯＦＤＭＡモードにおいて端末に対応するサブチャネル上でアクセスポイントにＡＣＫ応答又はＢＡ応答を送信する。
【０２９５】
特に、アクセスポイントによって送信されたダウンリンクＯＦＤＭＡデータ情報が各端末によって正しく受信されたことを示すために、各端末は、ＡＣＫ応答又はＢＡ応答によってアクセスポイントに応答する必要がある。アクセスポイントがＯＦＤＭＡ  ＡＣＫ要求又はＯＦＤＭＡ  ＢＡ要求をダウンリンクＯＦＤＭＡデータ情報又はＯＦＤＭＡ物理層シグナリングに追加する場合、アクセスポイントのＯＦＤＭＡ物理層シグナリングのインジケーションに従って端末に対応するサブチャネル上でダウンリンクＯＦＤＭＡデータ情報を受信した後に、端末は、ＯＦＤＭＡ物理層シグナリングによって示されるサブチャネル上でＯＦＤＭＡモードにおいてＡＣＫ又はＢＡ応答によって直接応答し得る。ＡＣＫ応答はＯＦＤＭＡ  ＡＣＫ要求に対応し、ＢＡ応答はＯＦＤＭＡ  ＢＡ要求に対応する。その場合に、アクセスポイントは、それぞれの対応するサブチャネル上で端末によって送信されたＡＣＫ応答又はＢＡ応答を受信する。すなわち、複数の端末が端末に対応するサブチャネル上で応答を同時にアクセスポイントに送信することが有効化され、対応する時間周波数リソースは十分に使用される。
【０２９６】
本発明のこの実施形態において提供されるデータ伝送インジケーション方法において、端末は、ＯＦＤＭＡ物理層シグナリングによって示されるサブチャネル上で、アクセスポイントによって送信されたダウンリンクＯＦＤＭＡデータ情報を受信し、そして複数の端末は、対応するサブチャネル上でＡＣＫ応答又はＢＡ応答を同時にアクセスポイントに送信することができ、すなわち、アクセスポイントがＯＦＤＭＡ物理層シグナリングに従って各端末に対してサブチャネルを割り振る方式は、端末がＡＣＫ応答又はＢＡ応答をアクセスポイントに送信するときに、アクセスポイントがより多くの端末に対するインジケーションを実行することを可能にし、すなわち、アクセスポイントがサブチャネルを示す端末の数は制限されず、したがって、複数の端末のＡＣＫ応答又はＢＡ応答は並行してアクセスポイントに伝送され、対応する時間周波数リソースは十分に使用される。
【０２９７】
さらに、図１４から図１６に示されている実施形態に基づき、本発明の実施形態の別の実現可能な実装方式として、この実施形態に関わる方法は、アクセスポイントによって送信されたＯＦＤＭＡ物理層シグナリング及びダウンリンクＯＦＤＭＡデータ情報を受信した後に、端末は、アクセスポイントによって送信された単一のＡＣＫ要求フレーム又はＢＡ要求フレームを受信するプロセスであり、それにより、端末はＯＦＤＭＡ物理層シグナリングによって示されるサブチャネル上でＡＣＫ応答又はＢＡ応答をアクセスポイントに送信することができる。前述のＯＦＤＭＡ物理層シグナリングは、端末に対応し、ＡＣＫ応答又はＢＡ応答がアクセスポイントに送信されるとともに、端末に対して割り振られたサブチャネルを示すためにさらに使用されるものとしてよい。Ｓ２０２又はＳ３０２又はＳ４０２の後に、次のステップが実行され得る。
【０２９８】
Ｓ４０：端末は、アクセスポイントによって送信されたＡＣＫ要求フレーム又はＢＡ要求フレームを受信し、ここで、ＡＣＫ要求フレーム又はＢＡ要求フレームは専用情報ビットを含み、専用情報ビットは、ＯＦＤＭＡモードにおいてＡＣＫ応答又はＢＡ応答をアクセスポイントに送信するように端末に指示するために使用される。
【０２９９】
特に、ダウンリンクＯＦＤＭＡデータ情報を端末に送信した後に、アクセスポイントは、単一のＡＣＫ要求フレーム又はＢＡ要求フレームを端末にさらに送信するものとしてよく（図４ｂを参照すると、ＢＡ要求フレームが個別に送信される例が使用されている）、ここで、ＡＣＫ要求フレーム又はＢＡ要求フレームは専用情報ビットを含み、専用情報ビットは、ＯＦＤＭＡモードにおいてＡＣＫ応答又はＢＡ応答をアクセスポイントに送信するように端末に指示するために使用される。適宜、ＡＣＫ要求フレーム又はＢＡ要求フレームは、ＯＦＤＭＡ物理層シグナリングを運び得るか、又はＯＦＤＭＡ物理層シグナリングを運び得ない。端末は、ＯＦＤＭＡ物理層シグナリングに従って、端末がＡＣＫ応答又はＢＡ応答をアクセスポイントに送信するサブチャネルを判定する。
【０３００】
専用情報ビットの表現は、ＡＣＫ要求フレーム又はＢＡ要求フレームを、ＯＦＤＭＡモードにおいてＡＣＫ応答又はＢＡ応答をアクセスポイントに送信するように端末に指示するために使用されるフレームタイプ（すなわち、従来のＡＣＫ要求フレーム又はＢＡ要求フレームと異なる新しいフレームタイプ）として識別することであってよい。別の専用情報ビットの表現は、同様に、以下のとおりであるものとしてよく、ＡＣＫ要求フレーム又はＢＡ要求フレームのフレームタイプが変更されていない場合には、専用情報ビットはＯＦＤＭＡモードにおいてＡＣＫ応答又はＢＡ応答をアクセスポイントに送信するように端末に指示するために直接使用される。
【０３０１】
それに加えて、ＯＦＤＭプリアンブルと同様に、ＡＣＫ要求フレーム若しくはＢＡ要求フレームは、一次チャネル上でのみ送信され得るか、又は二重伝送（Ｄｕｐｌｉｃａｔｅｄ  Ｔｒａｎｓｍｉｓｓｉｏｎ）方式ですべてのサブチャネル上で送信され得る。
【０３０２】
Ｓ２１：端末は、ＯＦＤＭＡモードにおいて対応するサブチャネル上でアクセスポイントにＡＣＫ応答又はＢＡ応答を送信する。
【０３０３】
特に、ＯＦＤＭＡ物理層シグナリングに従って、端末がＡＣＫ応答又はＢＡ応答をアクセスポイントに送信するサブチャネルを学習した後に、端末は、ＯＦＤＭＡモードにおいて対応するサブチャネル上でＡＣＫ応答又はＢＡ応答をアクセスポイントに送信する。すなわち、すべての端末が、それぞれの対応するサブチャネル上でＡＣＫ応答又はＢＡ応答を同時にアクセスポイントに送信することができ、すなわち、複数の端末のＡＣＫ応答又はＢＡ応答は並行して伝送され得るとともに、対応する時間周波数リソースは十分に使用される。
【０３０４】
適宜、端末のサブチャネルが、複数の単位チャネル（単位が２０ＭＨｚであるチャネルなど）である場合、端末は、二重伝送方式によりこれらの複数の単位チャネル上でＡＣＫ応答若しくはＢＡ応答を送信し得るか、又は非二重伝送方式によりＡＣＫ応答若しくはＢＡ応答を送信し得る。
【０３０５】
本発明のこの実施形態において提供されるデータ伝送インジケーション方法において、端末は、アクセスポイントによって送信されたＯＦＤＭＡ物理層シグナリングを受信し、そしてＯＦＤＭＡ物理層シグナリングに従って、ＡＣＫ応答又はＢＡ応答がアクセスポイントに送信されるサブチャネルを判定する。すなわち、アクセスポイントがＯＦＤＭＡ物理層シグナリングに従って各端末に対してサブチャネルを割り振る方式は、端末がＡＣＫ応答又はＢＡ応答をアクセスポイントに送信するときに、アクセスポイントがより多くの端末に対するインジケーションを実行することを可能にし、すなわち、アクセスポイントがサブチャネルを示す端末の数は制限されず、したがって、複数の端末のＡＣＫ応答又はＢＡ応答は並行してアクセスポイントに伝送され、対応する時間周波数リソースは十分に使用される。
【０３０６】
図１７は、本発明によるデータ伝送インジケーション方法の実施形態２０の概略のフローチャートである。この実施形態に関わる方法は、アクセスポイントがＯＦＤＭＡ物理層シグナリングを運ぶＭＵ−ＭＩＭＯデータ情報を端末に送信し、ＯＦＤＭＡ  ＡＣＫ要求又はＯＦＤＭＡ  ＢＡ要求をＯＦＤＭＡ物理層シグナリングに追加するプロセスであり、それにより、端末は、ＯＦＤＭＡモードにおいて端末に対応するサブチャネル上でＡＣＫ応答又はＢＡ応答によって応答する。図１７に示されているように、方法は以下を含む。
【０３０７】
Ｓ１７０１：端末は、アクセスポイントによって送信されたＭＵ−ＭＩＭＯデータ情報を受信し、ここで、ＭＵ−ＭＩＭＯデータ情報は、ＯＦＤＭＡ物理層シグナリングを運ぶ。
【０３０８】
特に、前述のＭＵ−ＭＩＭＯデータ情報で運ばれるＯＦＤＭＡ物理層シグナリングは、ＯＦＤＭＡモードにおいてＡＣＫ応答又はＢＡ応答をアクセスポイントに送信するように端末に指示するために使用される、ＯＦＤＭＡ  ＡＣＫ要求又はＯＦＤＭＡ  ＢＡ要求をさらに含み、すなわち、アクセスポイントは、端末が対応するＭＵ−ＭＩＭＯデータ情報を取得した後にＡＣＫ応答又はＢＡ応答によって応答することを端末に要求する。ＯＦＤＭＡ物理層シグナリングは、ＡＣＫ応答又はＢＡ応答がアクセスポイントに送信されるとともに、端末に対して割り振られたサブチャネルを端末に示すために使用される。
【０３０９】
Ｓ１７０２：端末は、ＯＦＤＭＡ物理層シグナリングに従って端末に対応するサブチャネルを判定する。
【０３１０】
本発明のこの実施形態におけるＯＦＤＭＡ物理層シグナリングに含まれる内容について、実施形態１４から実施形態１６における説明への参照がなされてよく、本発明のこの実施形態において詳細はここで再び説明されないことに留意されたい。
【０３１１】
Ｓ１７０３：端末は、ＯＦＤＭＡモードにおいて対応するサブチャネル上でアクセスポイントにＡＣＫ応答又はＢＡ応答を送信する。
【０３１２】
特に、ＯＦＤＭＡ物理層シグナリングに従って、ＡＣＫ応答又はＢＡ応答がアクセスポイントに送信されるサブチャネルを判定した後に、端末は、ＯＦＤＭＡモードにおいて対応するサブチャネル上でＡＣＫ応答又はＢＡ応答をアクセスポイントに送信する。すなわち、すべての端末が、それぞれの対応するサブチャネル上でＡＣＫ応答又はＢＡ応答を同時にアクセスポイントに送信することができ、すなわち、複数の端末のＡＣＫ応答又はＢＡ応答は並行して伝送され得るとともに、その場合に、対応する時間周波数リソースは十分に使用され得る。
【０３１３】
本発明のこの実施形態において提供されるデータ伝送インジケーション方法において、端末は、ＯＦＤＭＡ物理層シグナリングを運ぶとともに、アクセスポイントによって送信されたＭＵ−ＭＩＭＯデータ情報を受信し、そしてＯＦＤＭＡ物理層シグナリングに従って、端末がＡＣＫ応答又はＢＡ応答をアクセスポイントに送信するサブチャネルを判定し、それにより、複数の端末が、対応するサブチャネル上でＡＣＫ応答又はＢＡ応答を同時にアクセスポイントに送信することができ、すなわち、アクセスポイントがＯＦＤＭＡ物理層シグナリングに従って各端末に対してサブチャネルを割り振る方式は、端末がＡＣＫ応答又はＢＡ応答をアクセスポイントに送信するときに、アクセスポイントがより多くの端末に対するインジケーションを実行することを可能にし、すなわち、アクセスポイントがサブチャネルを示す端末の数は制限されず、したがって、複数の端末のＡＣＫ応答又はＢＡ応答は並行してアクセスポイントに伝送され、対応する時間周波数リソースは十分に使用される。
【０３１４】
図１８は、本発明によるデータ伝送インジケーション方法の実施形態２１の概略のフローチャートである。この実施形態に関わる方法は、アクセスポイントがＯＦＤＭＡ物理層シグナリングを運ぶＭＵ−ＭＩＭＯデータ情報、及びＡＣＫ要求フレーム又はＢＡ要求フレームを端末に送信するプロセスであり、それにより、端末は、ＯＦＤＭＡモードにおいて端末に対応するサブチャネル上でＡＣＫ応答又はＢＡ応答によって応答する。図１８に示されているように、方法は以下を含む。
【０３１５】
Ｓ１８０１：端末は、アクセスポイントによって送信されたＭＵ−ＭＩＭＯデータ情報を受信し、ここで、ＭＵ−ＭＩＭＯデータ情報は、ＯＦＤＭＡ物理層シグナリングを運ぶ。
【０３１６】
特に、ＯＦＤＭＡ物理層シグナリングは、ＡＣＫ応答又はＢＡ応答がアクセスポイントに送信されるとともに、端末に対して割り振られたサブチャネルを端末に示すために使用される。
【０３１７】
Ｓ１８０２：端末は、アクセスポイントによって送信されたＡＣＫ要求フレーム又はＢＡ要求フレームを受信し、ここで、ＡＣＫ要求フレーム又はＢＡ要求フレームは専用情報ビットを含み、専用情報ビットは、ＯＦＤＭＡモードにおいてＡＣＫ応答又はＢＡ応答をアクセスポイントに送信するように端末に指示するために使用される。
【０３１８】
特に、端末は、アクセスポイントによって送信されたＡＣＫ要求フレーム又はＢＡ要求フレームを受信し、すなわち、アクセスポイントは、端末が対応するＭＵ−ＭＩＭＯデータ情報を取得した後にＯＦＤＭＡモードにおいてＡＣＫ応答又はＢＡ応答によってアクセスポイントに応答することを端末に要求し、それにより、ＭＵ−ＭＩＭＯデータ情報が首尾よく伝送されたかどうかを学習する。
【０３１９】
Ｓ１８０３：端末は、ＯＦＤＭＡ物理層シグナリングに従って端末に対応するサブチャネルを判定する。
【０３２０】
本発明のこの実施形態におけるＯＦＤＭＡ物理層シグナリングに含まれる内容について、実施形態１４から実施形態１６における説明への参照がなされてよく、本発明のこの実施形態において詳細はここで再び説明されないことに留意されたい。
【０３２１】
Ｓ１８０４：端末は、ＯＦＤＭＡモードにおいて対応するサブチャネル上でアクセスポイントにＡＣＫ応答又はＢＡ応答を送信する。
【０３２２】
特に、ＯＦＤＭＡ物理層シグナリングに従って、ＡＣＫ応答又はＢＡ応答がアクセスポイントに送信されるサブチャネルを判定した後に、端末は、ＯＦＤＭＡモードにおいて対応するサブチャネル上でＡＣＫ応答又はＢＡ応答をアクセスポイントに送信する。すなわち、すべての端末が、それぞれの対応するサブチャネル上でＡＣＫ応答又はＢＡ応答を同時にアクセスポイントに送信することができ、すなわち、複数の端末のＡＣＫ応答又はＢＡ応答は並行して伝送され得るとともに、その場合に、対応する時間周波数リソースは十分に使用され得る。
【０３２３】
本発明のこの実施形態において提供されるデータ伝送インジケーション方法において、端末は、ＯＦＤＭＡ物理層シグナリングを運ぶとともに、アクセスポイントによって送信されたＭＵ−ＭＩＭＯデータ情報を受信し、そしてＯＦＤＭＡ物理層シグナリングに従って、ＡＣＫ応答又はＢＡ応答がアクセスポイントに送信されるサブチャネルを判定し、それにより、複数の端末が、対応するサブチャネル上でＡＣＫ応答又はＢＡ応答を同時にアクセスポイントに送信することができ、すなわち、アクセスポイントがＯＦＤＭＡ物理層シグナリングに従って各端末に対してサブチャネルを割り振る方式は、端末がＡＣＫ応答又はＢＡ応答をアクセスポイントに送信するときに、アクセスポイントがより多くの端末に対するインジケーションを実行することを可能にし、すなわち、アクセスポイントがサブチャネルを示す端末の数は制限されず、したがって、複数の端末のＡＣＫ応答又はＢＡ応答は並行してアクセスポイントに伝送され、対応する時間周波数リソースは十分に使用される。
【０３２４】
図１９は、本発明によるデータ伝送インジケーション方法の実施形態２２の概略のフローチャートである。この実施形態に関わる方法は、アクセスポイントがＯＦＤＭＡ物理層シグナリングを運ぶＡＣＫ要求フレーム又はＢＡ要求フレームを端末に送信するプロセスであり、それにより、端末は、ＯＦＤＭＡモードにおいて端末に対応するサブチャネル上でＡＣＫ応答又はＢＡ応答によって応答する。図１９に示されているように、方法は以下を含む。
【０３２５】
Ｓ１９０１：端末は、アクセスポイントによって送信されたＭＵ−ＭＩＭＯデータ情報を受信する。
【０３２６】
Ｓ１９０２：端末は、アクセスポイントによって送信されたＡＣＫ要求フレーム又はＢＡ要求フレームを受信し、ここで、ＡＣＫ要求フレーム又はＢＡ要求フレームは専用情報ビットを含み、専用情報ビットは、ＯＦＤＭＡモードにおいてＡＣＫ応答又はＢＡ応答をアクセスポイントに送信するように端末に指示するために使用され、ＡＣＫ要求フレーム又はＢＡ要求フレームは、ＯＦＤＭＡ物理層シグナリングを運ぶ。
【０３２７】
特に、アクセスポイントによって端末に送信されたＡＣＫ要求フレーム又はＢＡ要求フレームは、アクセスポイントが、端末が対応するＭＵ−ＭＩＭＯデータ情報を取得した後に、ＡＣＫ応答又はＢＡ応答によってアクセスポイントに応答することを端末に要求し、それにより、ＭＵ−ＭＩＭＯデータ情報が首尾よく伝送されたかどうかを学習するという目的を有する。ＡＣＫ要求フレーム又はＢＡ要求フレームで運ばれるＯＦＤＭＡ物理層シグナリングは、ＡＣＫ応答又はＢＡ応答がアクセスポイントに送信されるとともに、端末に対して割り振られたサブチャネルを端末に示すために使用される。
【０３２８】
Ｓ１９０３：端末は、ＯＦＤＭＡ物理層シグナリングに従って端末に対応するサブチャネルを判定する。
【０３２９】
本発明のこの実施形態におけるＯＦＤＭＡ物理層シグナリングに含まれる内容について、実施形態１４から実施形態１６における説明への参照がなされてよく、本発明のこの実施形態において詳細はここで再び説明されないことに留意されたい。
【０３３０】
Ｓ１９０４：端末は、ＯＦＤＭＡモードにおいて端末に対応するサブチャネル上でアクセスポイントにＡＣＫ応答又はＢＡ応答を送信する。
【０３３１】
特に、ＯＦＤＭＡ物理層シグナリングに従って、ＡＣＫ応答又はＢＡ応答がアクセスポイントに送信されるサブチャネルを判定した後に、端末は、ＯＦＤＭＡモードにおいて対応するサブチャネル上でＡＣＫ応答又はＢＡ応答をアクセスポイントに送信する。すなわち、すべての端末が、それぞれの対応するサブチャネル上でＡＣＫ応答又はＢＡ応答を同時にアクセスポイントに送信することができ、すなわち、複数の端末のＡＣＫ応答又はＢＡ応答は並行して伝送され得るとともに、その場合に、対応する時間周波数リソースは十分に使用され得る。
【０３３２】
本発明のこの実施形態において提供されるデータ伝送インジケーション方法において、端末は、ＯＦＤＭＡ物理層シグナリングを運ぶとともに、アクセスポイントによって送信されたＡＣＫ要求フレーム又はＢＡ要求フレームを受信し、そしてＯＦＤＭＡ物理層シグナリングに従って、ＡＣＫ応答又はＢＡ応答がアクセスポイントに送信されるサブチャネルを判定し、それにより、複数の端末が、対応するサブチャネル上でＡＣＫ応答又はＢＡ応答を同時にアクセスポイントに送信することができ、すなわち、アクセスポイントがＯＦＤＭＡ物理層シグナリングに従って各端末に対してサブチャネルを割り振る方式は、端末がＡＣＫ応答又はＢＡ応答をアクセスポイントに送信するときに、アクセスポイントがより多くの端末に対するインジケーションを実行することを可能にし、すなわち、アクセスポイントがサブチャネルを示す端末の数は制限されず、したがって、複数の端末のＡＣＫ応答又はＢＡ応答は並行してアクセスポイントに伝送され、対応する時間周波数リソースは十分に使用される。
【０３３３】
図２０は、本発明によるデータ伝送インジケーション方法の実施形態２３の概略のフローチャートである。この実施形態に関わる方法は、アクセスポイントがＯＦＤＭＡ  ＡＣＫ要求又はＯＦＤＭＡ  ＢＡ要求を運ぶＯＦＤＭＡ物理層シグナリングを端末に送信するプロセスであり、それにより、端末は、ＯＦＤＭＡモードにおいて端末に対応するサブチャネル上でＡＣＫ応答又はＢＡ応答によって応答する。図２０に示されているように、方法は以下を含む。
【０３３４】
Ｓ２００１：端末は、アクセスポイントによって送信されたＯＦＤＭＡ物理層シグナリングを受信する。
【０３３５】
特に、ＯＦＤＭＡ物理層シグナリングは、ＯＦＤＭＡ  ＡＣＫ要求又はＯＦＤＭＡ  ＢＡ要求を運び、ＯＦＤＭＡ  ＡＣＫ要求又はＯＦＤＭＡ  ＢＡ要求は、ＯＦＤＭＡモードにおいてＡＣＫ応答又はＢＡ応答をアクセスポイントに送信するように端末に指示するために使用され、すなわち、アクセスポイントは、端末が対応するＯＦＤＭＡ＋ＭＵ−ＭＩＭＯデータ情報を取得した後にＡＣＫ応答又はＢＡ応答によってアクセスポイントに応答することを端末に要求し、それにより、後に続くＯＦＤＭＡ＋ＭＵ−ＭＩＭＯデータ情報が首尾よく伝送されたかどうかを学習する。ＯＦＤＭＡ物理層シグナリングは、ＡＣＫ応答又はＢＡ応答がアクセスポイントに送信されるとともに、端末に対して割り振られた対応するサブチャネルを端末に示すために使用される。
【０３３６】
Ｓ２００２：端末は、ＯＦＤＭＡ物理層シグナリングに従って端末に対応するサブチャネルを判定する。
【０３３７】
本発明のこの実施形態におけるＯＦＤＭＡ物理層シグナリングについて、実施形態１４から実施形態１６における説明への参照がなされてよく、本発明のこの実施形態において詳細はここで再び説明されないことに留意されたい。
【０３３８】
Ｓ２００３：端末は、対応するサブチャネル上で、アクセスポイントによって送信されたＯＦＤＭＡ＋ＭＵ−ＭＩＭＯデータ情報を受信する。
【０３３９】
適宜、ＯＦＤＭＡ＋ＭＵ−ＭＩＭＯデータ情報は、ＯＦＤＭＡ物理層シグナリングを運び得るか、又はＯＦＤＭＡ物理層シグナリングを運び得ない。
【０３４０】
Ｓ２００４：端末は、ＯＦＤＭＡモードにおいて対応するサブチャネル上でアクセスポイントにＡＣＫ応答又はＢＡ応答を送信する。
【０３４１】
特に、ＯＦＤＭＡ物理層シグナリングに従って、ＡＣＫ応答又はＢＡ応答がアクセスポイントに送信されるサブチャネルを判定した後に、端末は、ＯＦＤＭＡ＋ＭＵ−ＭＩＭＯモードにおいて対応するサブチャネル上でＡＣＫ応答又はＢＡ応答をアクセスポイントに送信する。すなわち、すべての端末が、それぞれの対応するサブチャネル上でＡＣＫ応答又はＢＡ応答を同時にアクセスポイントに送信することができ、すなわち、複数の端末のＡＣＫ応答又はＢＡ応答は並行して伝送され得るとともに、その場合に、対応する時間周波数リソースは十分に使用され得る。
【０３４２】
本発明のこの実施形態において提供されるデータ伝送インジケーション方法において、端末は、アクセスポイントによって送信されたＯＦＤＭＡ物理層シグナリングを受信し、そしてＯＦＤＭＡ物理層シグナリングに従って、ＡＣＫ応答又はＢＡ応答がアクセスポイントに送信されるサブチャネルを判定し、それにより、複数の端末が、対応するサブチャネル上でＡＣＫ応答又はＢＡ応答を同時にアクセスポイントに送信することができ、すなわち、アクセスポイントがＯＦＤＭＡ物理層シグナリングに従って各端末に対してサブチャネルを割り振る方式は、端末がＡＣＫ応答又はＢＡ応答をアクセスポイントに送信するときに、アクセスポイントがより多くの端末に対するインジケーションを実行することを可能にし、すなわち、アクセスポイントがサブチャネルを示す端末の数は制限されず、したがって、複数の端末のＡＣＫ応答又はＢＡ応答は並行してアクセスポイントに伝送され、対応する時間周波数リソースは十分に使用される。
【０３４３】
図２１は、本発明によるデータ伝送インジケーション方法の実施形態２４の概略のフローチャートである。この実施形態に関わる方法は、アクセスポイントがＯＦＤＭＡ物理層シグナリング、そしてＡＣＫ要求フレーム又はＢＡ要求フレームを端末に送信するプロセスであり、それにより、端末は、ＯＦＤＭＡモードにおいて端末に対応するサブチャネル上でＡＣＫ応答又はＢＡ応答によって応答する。図２１に示されているように、方法は以下を含む。
【０３４４】
Ｓ２１０１：端末は、アクセスポイントによって送信されたＯＦＤＭＡ物理層シグナリングを受信する。
【０３４５】
特に、ＯＦＤＭＡ物理層シグナリングは、ＡＣＫ応答又はＢＡ応答がアクセスポイントに送信されるとともに、端末に対して割り振られた対応するサブチャネルを端末に示すために使用される。
【０３４６】
Ｓ２１０２：端末は、ＯＦＤＭＡ物理層シグナリングに従って端末に対応するサブチャネルを判定する。
【０３４７】
本発明のこの実施形態におけるＯＦＤＭＡ物理層シグナリングについて、実施形態１４から実施形態１６における説明への参照がなされてよく、本発明のこの実施形態において詳細はここで再び説明されないことに留意されたい。
【０３４８】
Ｓ２１０３：端末は、対応するサブチャネル上で、アクセスポイントによって送信されたＯＦＤＭＡ＋ＭＵ−ＭＩＭＯデータ情報を受信する。
【０３４９】
適宜、ＯＦＤＭＡ＋ＭＵ−ＭＩＭＯデータ情報は、ＯＦＤＭＡ物理層シグナリングを運び得るか、又はＯＦＤＭＡ物理層シグナリングを運び得ない。
【０３５０】
Ｓ２１０４：アクセスポイントは、ＡＣＫ要求フレーム又はＢＡ要求フレームを端末に送信し、ここで、ＡＣＫ要求フレーム又はＢＡ要求フレームは専用情報ビットを含み、専用情報ビットは、ＯＦＤＭＡモードにおいてＡＣＫ応答又はＢＡ応答をアクセスポイントに送信するように端末に指示するために使用される。
【０３５１】
特に、すなわち、アクセスポイントは、ＡＣＫ要求フレーム又はＢＡ要求フレームを使用することによって、端末が対応するＭＵ−ＭＩＭＯデータ情報を取得した後にＡＣＫ応答又はＢＡ応答によってアクセスポイントに応答することを端末に要求し、それにより、後に続くＯＦＤＭＡ＋ＭＵ−ＭＩＭＯデータ情報が首尾よく伝送されたかどうかを学習する。
【０３５２】
適宜、ＡＣＫ要求フレーム又はＢＡ要求フレームは、ＯＦＤＭＡ物理層シグナリングを運び得るか、又はＯＦＤＭＡ物理層シグナリングを運び得ない。さらに、適宜、前述のＯＦＤＭＡ＋ＭＵ−ＭＩＭＯデータ情報がＯＦＤＭＡ物理層シグナリングを運ぶときに、ＡＣＫ要求フレーム若しくはＢＡ要求フレームは、ＯＦＤＭＡ物理層シグナリングを運び得ないか、又は前述のＯＦＤＭＡ＋ＭＵ−ＭＩＭＯデータ情報がＯＦＤＭＡ物理層シグナリングを運ばないときに、ＡＣＫ要求フレーム若しくはＢＡ要求フレームは、ＯＦＤＭＡ物理層シグナリングを運び得る。
【０３５３】
Ｓ２１０５：端末は、ＯＦＤＭＡモードにおいて対応するサブチャネル上でアクセスポイントにＡＣＫ応答又はＢＡ応答を送信する。
【０３５４】
特に、ＯＦＤＭＡ物理層シグナリングに従って、ＡＣＫ応答又はＢＡ応答がアクセスポイントに送信されるサブチャネルを判定した後に、端末は、ＡＣＫ要求フレーム又はＢＡ要求フレーム内の専用情報ビットに従って、ＯＦＤＭＡ＋ＭＵ−ＭＩＭＯモードにおいて対応するサブチャネル上でＡＣＫ応答又はＢＡ応答をアクセスポイントに送信することを判定する。すなわち、すべての端末が、それぞれの対応するサブチャネル上でＡＣＫ応答又はＢＡ応答を同時にアクセスポイントに送信することができ、すなわち、複数の端末のＡＣＫ応答又はＢＡ応答は並行して伝送され得るとともに、その場合に、対応する時間周波数リソースは十分に使用され得る。
【０３５５】
本発明のこの実施形態において提供されるデータ伝送インジケーション方法において、端末は、アクセスポイントによって送信されたＯＦＤＭＡ物理層シグナリングを受信し、そしてＯＦＤＭＡ物理層シグナリングに従って、ＡＣＫ応答又はＢＡ応答がアクセスポイントに送信されるサブチャネルを判定し、それにより、複数の端末が、対応するサブチャネル上でＡＣＫ応答又はＢＡ応答を同時にアクセスポイントに送信することができ、すなわち、アクセスポイントがＯＦＤＭＡ物理層シグナリングに従って各端末に対してサブチャネルを割り振る方式は、端末がＡＣＫ応答又はＢＡ応答をアクセスポイントに送信するときに、アクセスポイントがより多くの端末に対するインジケーションを実行することを可能にし、すなわち、アクセスポイントがサブチャネルを示す端末の数は制限されず、したがって、複数の端末のＡＣＫ応答又はＢＡ応答は並行してアクセスポイントに伝送され、対応する時間周波数リソースは十分に使用される。
【０３５６】
図２２は、本発明によるデータ伝送インジケーション方法の実施形態２５の概略のフローチャートである。この実施形態の方法は、端末によって開始されたアップリンクＯＦＤＭＡデータ情報の伝送のプロセスを伴う。この方法は特に以下のステップを含む。
【０３５７】
Ｓ２２０１：端末は、アップリンク伝送フレームをアクセスポイントに送信する。
【０３５８】
特に、この実施形態に関わる方法は、ＳＴＡによって開始されたアップリンクＯＦＤＭＡデータ情報の伝送の前述のプロセスであり、アップリンク伝送フレームは、ＯＦＤＭＡデータ伝送要求を運ぶ。
【０３５９】
端末は、ＯＦＤＭモードにおいてアップリンク伝送フレームを伝送するものとしてよく、ここで、アップリンク伝送フレームは、特にどのような種類のものであってもよい。端末は、ＯＦＤＭＡデータ伝送要求をアップリンク伝送フレームに追加することができ、ここで、ＯＦＤＭＡデータ伝送要求は、ＯＦＤＭＡモードにおいてその後のデータ伝送を完了することをアクセスポイントに要求するために使用される。
【０３６０】
端末のアップリンク伝送フレームを受信した後、アクセスポイントは、端末のＯＦＤＭＡデータ伝送要求又は現在のネットワーク状況に従って、伝送を実行するために端末をＯＦＤＭＡモードに切り替えるかどうか、例えば、アクセスポイントにおける別の端末からの要求があるかどうかを判断する。アクセスポイントが、端末はＯＦＤＭＡモードに切り替えられる必要があると判定した場合、アクセスポイントは、その後のデータ伝送においてＯＦＤＭＡモードを使用するか、又は、アクセスポイントの判定結果が、端末はＯＦＤＭＡモードに切り替えられないという結果である場合、アクセスポイントは、ＯＦＤＭモードにおいてデータ伝送を実行することを続ける。
【０３６１】
Ｓ２２０２：端末は、アクセスポイントによって送信されたＯＦＤＭＡ物理層シグナリングを受信する。
【０３６２】
特に、アクセスポイントが、ＯＦＤＭＡデータ伝送要求又は現在のネットワーク状況に従って端末はＯＦＤＭＡモードに切り替えられる必要があると判定し、ＯＦＤＭＡモードにおいてデータ伝送を実行するときに、アクセスポイントは、ＯＦＤＭＡ物理層シグナリングを端末に送信し、ここで、ＯＦＤＭＡ物理層シグナリングは、それぞれの対応するサブチャネル上でアップリンクＯＦＤＭＡデータ情報を送信するように端末に指示するために使用される。
【０３６３】
ＯＦＤＭＡ物理層シグナリングは、前述の実施形態におけるＯＦＤＭプリアンブルで運ばれ得るか、若しくはＮＤＰＡフレームで運ばれ得るか、又は、ＮＤＰＡフレーム及びＯＦＤＭプリアンブルは、ＯＦＤＭＡ物理層シグナリングを運ぶために互いに連携し得ることに留意されたい。特定のプロセスについて、前述の実施形態への参照がなされてよく、詳細はここで再び説明されない。
【０３６４】
適宜、Ｓ２２０２の後に、アクセスポイントは、前述の端末に対応するそれぞれのサブチャネル上で端末のダウンリンクＯＦＤＭＡデータ情報をさらに送信し得る。ダウンリンクＯＦＤＭＡデータ伝送プロセスについて、前述の実施形態への参照がなされてよく、詳細はここで再び説明されない。
【０３６５】
Ｓ２２０３：端末は、ＯＦＤＭＡ物理層シグナリングに従って端末に対応するサブチャネルを判定する。
【０３６６】
特に、端末は、ＯＦＤＭＡ物理層シグナリングによって示されるサブチャネルを使用することによって、端末がアップリンクＯＦＤＭＡデータ情報をアクセスポイントに送信するサブチャネルを学習し、すなわち、アクセスポイントが付加的にアップリンクＯＦＤＭＡデータ情報を伝送するように端末に指示するときに生じるシグナリングインジケーションは回避され、システム効率は改善される。
【０３６７】
Ｓ２２０４：端末は、ＯＦＤＭＡモードにおいて対応するサブチャネル上でアップリンクＯＦＤＭＡデータ情報をアクセスポイントに送信する。
【０３６８】
ＯＦＤＭＡ物理層シグナリングに従って、アップリンクＯＦＤＭＡデータ情報がアクセスポイントに送信されるサブチャネルを判定した後に、端末は、そのサブチャネル上でアップリンクＯＦＤＭＡデータ情報をアクセスポイントに送信する。
【０３６９】
適宜、Ｓ２２０２の後、アクセスポイントがダウンリンクＯＦＤＭＡデータ情報を端末にさらに送信する場合、端末が、対応するサブチャネル上で、アクセスポイントによって送信されたダウンリンクＯＦＤＭＡデータ情報を受信し、固定された時間長の間待った後、端末は、端末に関連付けられているアップリンクＯＦＤＭＡデータ情報をサブチャネル上で送信する。
【０３７０】
本発明のこの実施形態において提供されるデータ伝送インジケーション方法において、端末は、アップリンク伝送フレームをアクセスポイントに送信し、それにより、アクセスポイントは、ＯＦＤＭＡ物理層シグナリングを使用することによって、各端末に対して、アップリンクＯＦＤＭＡデータ情報が送信されるサブチャネルを示し、したがって、各端末は、対応するサブチャネル上でデータをアクセスポイントに送信し得る。すなわち、サブチャネルは、アクセスポイントがＯＦＤＭＡ物理層シグナリングを送信する方式で端末に対して割り振られ、それにより、アップリンクＯＦＤＭＡデータ情報がアクセスポイントに送信されるときに、アクセスポイントはより多くの端末に対するインジケーションを実行することができ、アクセスポイントが付加的にアップリンクＯＦＤＭＡデータ情報を伝送するように端末に指示するときに生じるシグナリングインジケーションは回避され、システム効率は改善される。
【０３７１】
さらに、この実施形態に関わる方法は、端末がアップリンクＯＦＤＭＡデータ情報をアクセスポイントに送信するという図２２に示されている前述のシナリオにおいて、アップリンクＯＦＤＭＡデータ情報をアクセスポイントに送信した後に、端末が対応するサブチャネル上でアクセスポイントによって送信されたＡＣＫ応答又はＢＡ応答を受信するプロセスに向けられている。さらに、Ｓ２２０４の後に、方法は以下をさらに含む。
【０３７２】
Ｓ２２０５：端末は、対応するサブチャネル上で、アップリンクＯＦＤＭＡデータ情報に対応するとともに、アクセスポイントによって送信されたＡＣＫ応答又はＢＡ応答を受信する。
【０３７３】
特に、端末は、端末に対応するサブチャネル上でアップリンクＯＦＤＭＡデータ情報をアクセスポイントに送信し、ここで、アップリンクＯＦＤＭＡデータ情報は、ＯＦＤＭＡ  ＡＣＫ要求又はＯＦＤＭＡ  ＢＡ要求を運び、ＯＦＤＭＡ  ＡＣＫ要求又はＯＦＤＭＡ  ＢＡ要求は、ＯＦＤＭＡモードにおいてＡＣＫ応答又はＢＡ応答を端末に送信するようにアクセスポイントに指示し、すなわち、アクセスポイントにアップリンクＯＦＤＭＡデータ情報の伝送状況を端末に対してフィードバックさせるために使用される。
【０３７４】
アクセスポイントは、ＯＦＤＭＡ物理層シグナリングを送信する主体であり、したがって、アクセスポイントは、対応するサブチャネル上で、端末に関連付けられているアップリンクＯＦＤＭＡデータ情報のＡＣＫ応答又はＢＡ応答を、端末に直接送信することができ、それにより、端末は、アップリンクＯＦＤＭＡデータが首尾よく伝送されたかどうかを学習する。
【０３７５】
本発明のこの実施形態において提供されるデータ伝送インジケーション方法において、ＡＣＫ要求又はＢＡ要求は、端末によってアクセスポイントに送信されるアップリンクＯＦＤＭＡデータ情報で運ばれ、それにより、アクセスポイントは、対応するサブチャネル上でアップリンクＯＦＤＭＡデータ情報に対応するＡＣＫ応答又はＢＡ応答を端末に送信することができる。すなわち、アクセスポイントがＯＦＤＭＡ物理層シグナリングに従って各端末に対してサブチャネルを割り振る方式は、端末がアップリンクＯＦＤＭＡデータをアクセスポイントに送信するときに、アクセスポイントがより多くの端末に対するインジケーションを実行することを可能にし、すなわち、アクセスポイントがサブチャネルを示す端末の数は制限されず、したがって、端末は、アクセスポイントによって送信されたＡＣＫ応答又はＢＡ応答に従って、アップリンクＯＦＤＭＡデータが首尾よく伝送されたかどうかを学習することができる。
【０３７６】
図２３は、本発明によるデータ伝送インジケーション方法の実施形態２６の概略のフローチャートである。この実施形態の方法は、アクセスポイントによって開始されたアップリンクＯＦＤＭＡデータ情報の伝送のプロセスを伴う。この方法は特に以下のステップを含む。
【０３７７】
Ｓ２３０１：端末は、アクセスポイントによって送信されたＯＦＤＭＡ物理層シグナリングを受信する。
【０３７８】
特に、ＯＦＤＭＡ物理層シグナリングは、前述の実施形態におけるＯＦＤＭプリアンブルで運ばれ得るか、若しくはＮＤＰＡフレームで運ばれ得るか、又は、ＮＤＰＡフレーム及びＯＦＤＭプリアンブルは、ＯＦＤＭＡ物理層シグナリングを運ぶために互いに連携し得る。特定のプロセスについて、前述の実施形態への参照がなされてよく、詳細はここで再び説明されない。
【０３７９】
ＯＦＤＭＡ物理層シグナリングは、端末に対応し、アップリンクＯＦＤＭＡデータ情報がアクセスポイントに送信されるとともに、端末に対して割り振られたサブチャネルを端末に示すために特に使用される。適宜、本発明のすべての実施形態において、ＯＦＤＭＡ物理層シグナリングは、サブチャネルの割り振りがアップリンクに使用されるか、又はダウンリンクにのみ使用されるか、又はアップリンクとダウンリンクの両方に使用されるかを端末に示すために使用される情報ビットを含み得る。この実施形態では、ＯＦＤＭＡ物理層シグナリング内の情報ビットは、そのサブチャネルがアップリンク伝送に使用されるサブチャネルであることを端末に示す。アクセスポイントがチャネル使用権を取得した場合には、端末は、配信されるＯＦＤＭＡ物理層シグナリングを使用することによって、対応するサブチャネル上でアップリンクＯＦＤＭＡデータ情報をアクセスポイントに送信するように指示される。
【０３８０】
Ｓ２３０２：端末は、ＯＦＤＭＡ物理層シグナリングに従って端末に対応するサブチャネルを判定する。
【０３８１】
特に、端末は、ＯＦＤＭＡ物理層シグナリングによって示されるサブチャネルを使用することによって、端末がアップリンクＯＦＤＭＡデータ情報をアクセスポイントに送信するサブチャネルを学習し、すなわち、アクセスポイントが付加的にアップリンクＯＦＤＭＡデータ情報を伝送するように端末に指示するときに生じるシグナリングインジケーションは回避され、システム効率は改善される。
【０３８２】
Ｓ２３０３：端末は、ＯＦＤＭＡモードにおいて対応するサブチャネル上でアップリンクＯＦＤＭＡデータ情報をアクセスポイントに送信する。
【０３８３】
特に、ＯＦＤＭＡ物理層シグナリングに従って、アップリンクＯＦＤＭＡデータ情報がアクセスポイントに送信されるサブチャネルを判定した後に、端末は、そのサブチャネル上でアップリンクＯＦＤＭＡデータ情報をアクセスポイントに送信する。
【０３８４】
本発明のこの実施形態において提供されるデータ伝送インジケーション方法において、アクセスポイントは、ＯＦＤＭＡ物理層シグナリングを使用することによって、端末に対して、アップリンクＯＦＤＭＡデータが送信されるサブチャネルを示し、それにより、各端末は、対応するサブチャネル上でデータをアクセスポイントに送信することができる。すなわち、サブチャネルは、アクセスポイントがＯＦＤＭＡ物理層シグナリングを送信する方式で各端末に対して割り振られ、それにより、端末がアップリンクＯＦＤＭＡデータをアクセスポイントに送信するときに、アクセスポイントはより多くの端末に対するインジケーションを実行することができ、すなわち、アクセスポイントがサブチャネルを示す端末の数は制限されない。
【０３８５】
当業者であれば、前述の方法の実施形態のステップの全部又は一部が、関連するハードウェアに指示するプログラムによって実施され得ることを理解するであろう。前述のプログラムは、コンピュータ読み取り可能な記憶媒体に記憶され得る。プログラムが実行されると、方法の実施形態に含まれる前述のステップが実行される。前述の記憶媒体は、ＲＯＭ、ＲＡＭ、磁気ディスク、又は光ディスクなどの、プログラムコードを記憶することができる任意の媒体であってよい。
【０３８６】
本発明のアクセスポイントの実施形態１は、アクセスポイントを提供し、アクセスポイントは、直交周波数分割多元接続ＯＦＤＭＡ物理層シグナリングを端末に送信するように構成された送信モジュール１０を備え、ここで、ＯＦＤＭＡ物理層シグナリングは、端末に対して割り振られたサブチャネルを端末に示すために使用され、それにより、端末はＯＦＤＭＡ物理層シグナリングに従って端末に対応するサブチャネルを判定し、ここで、ＯＦＤＭＡ物理層シグナリングは、端末の識別子、及び端末の識別子に対応するサブチャネル情報を含む。
【０３８７】
本発明のこの実施形態において提供されるアクセスポイントは、前述のデータ伝送インジケーション方法の実施形態の技術的解決方法を実行するものとしてよく、その実装原理及び技術的効果は類似しており、詳細はここで再び説明されない。
【０３８８】
適宜、端末の識別子は、１つ又は複数の端末グループの識別子であり、各端末グループは、少なくとも１つの端末を含み、サブチャネル情報は、アップリンクサブチャネル又はダウンリンクサブチャネル又はアップリンク及びダウンリンク双方向サブチャネルを含み、その場合に、端末に対して割り振られたサブチャネルを端末に示すために使用されているＯＦＤＭＡ物理層シグナリングは、各端末グループに、割り振られたサブチャネルがアップリンクサブチャネル又はダウンリンクサブチャネル又はアップリンク及びダウンリンク双方向サブチャネルであることを示すために使用されているＯＦＤＭＡ物理層シグナリングを含み、ここで、端末グループ及びサブチャネルは一対一の対応関係にあり、その場合に、送信モジュール１０は、ＯＦＤＭＡ物理層シグナリングが端末に送信される前に、端末グループの識別子と端末のアドレスとの間のマッピング関係を端末に送信し、それにより、端末が配置されている端末グループを端末が学習する、ようにさらに構成される。
【０３８９】
適宜、端末の識別子は、１つの端末グループの識別子であり、端末グループは、少なくとも２つの端末を含み、その場合に、ＯＦＤＭＡ物理層シグナリングは、端末グループ内の各端末に、割り振られたサブチャネルがアップリンクサブチャネル又はダウンリンクサブチャネル又はアップリンク及びダウンリンク双方向サブチャネルであることを示すために使用され、ここで、端末グループ内の各端末及びサブチャネルは一対一の対応関係にある。
【０３９０】
本発明のこの実施形態において提供されるアクセスポイントは、前述のデータ伝送インジケーション方法の実施形態の技術的解決方法を実行するものとしてよく、その実装原理及び技術的効果は類似しており、詳細はここで再び説明されない。
【０３９１】
適宜、送信モジュール１０は、直交周波数分割多重化ＯＦＤＭプリアンブルを端末に送信し、ここで、ＯＦＤＭプリアンブルは、ＯＦＤＭＡ物理層シグナリングを運ぶ、ように特に構成される。
【０３９２】
適宜、送信モジュール１０は、ヌルデータパケットアナウンスメントＮＤＰＡフレームを端末に送信し、ここで、ＮＤＰＡフレームは、前述のＯＦＤＭＡ物理層シグナリングを運ぶ、ようにさらに構成される。
【０３９３】
適宜、送信モジュール１０は、ＮＤＰＡフレーム及びＯＦＤＭプリアンブルを端末に送信し、ここで、ＮＤＰＡフレームは、前述のＯＦＤＭＡ物理層シグナリングにおける端末の識別子を運び、そしてＯＦＤＭプリアンブルは、端末の識別子に対応するとともに、前述のＯＦＤＭＡ物理層シグナリング内にあるサブチャネル情報を運ぶ、ようにさらに構成される。
【０３９４】
適宜、送信モジュール１０は、ＮＤＰＡフレーム及びＯＦＤＭプリアンブルを端末に送信し、ここで、ＮＤＰＡフレームは、端末の識別子に対応するとともに、前述のＯＦＤＭＡ物理層シグナリング内にあるサブチャネル情報を運び、そしてＯＦＤＭプリアンブルは、前述のＯＦＤＭＡ物理層シグナリングにおける端末の識別子を運ぶ、ようにさらに構成される。
【０３９５】
本発明のこの実施形態において提供されるアクセスポイントは、前述のデータ伝送インジケーション方法の実施形態の技術的解決方法を実行するものとしてよく、その実装原理及び技術的効果は類似しており、詳細はここで再び説明されない。
【０３９６】
図２４は、本発明によるアクセスポイントの実施形態２の概略の構造図である。さらに、前述の装置の実施形態１に基づき、ＯＦＤＭＡ物理層シグナリングは、ダウンリンクＯＦＤＭＡデータ情報を受信するために端末に割り振られたサブチャネルを端末に示すために特に使用され、その場合に、送信モジュール１０は、直交周波数分割多元接続ＯＦＤＭＡ物理層シグナリングが端末に送信された後に、ＯＦＤＭＡモードにおいて端末に対応するサブチャネル上でダウンリンクＯＦＤＭＡデータ情報を送信し、ここで、ダウンリンクＯＦＤＭＡデータ情報は、ＯＦＤＭＡプリアンブル及びＯＦＤＭＡデータを含み、ＯＦＤＭＡプリアンブルは、スイッチングフィールド及びウルトラハイスループットシグナリングＢ  ＵＨＴ−ＳＩＧ−Ｂを含む、ようにさらに構成される。
【０３９７】
さらに、ＯＦＤＭＡ物理層シグナリング又はダウンリンクＯＦＤＭＡデータ情報は、ＯＦＤＭＡ確認応答ＡＣＫ要求又はＯＦＤＭＡブロック確認応答ＢＡ要求を運び、ＯＦＤＭＡ  ＡＣＫ要求又はＯＦＤＭＡ  ＢＡ要求は、ＯＦＤＭＡモードにおいてＡＣＫ応答又はＢＡ応答をアクセスポイントに送信するように端末に指示するために使用され、その場合に、ＯＦＤＭＡ物理層シグナリングは、端末に対応し、ＡＣＫ応答又はＢＡ応答がアクセスポイントに送信されるとともに、端末に対して割り振られたサブチャネルを示すためにさらに使用される。
【０３９８】
その場合に、前述の装置の実施形態１に基づき、図２４を参照すると、アクセスポイントは、送信モジュール１０がＯＦＤＭＡモードにおいて端末に対応するサブチャネル上でダウンリンクＯＦＤＭＡデータ情報を送信した後に、ＯＦＤＭＡモードにおいて端末に対応するサブチャネル上で端末によって送信されたＡＣＫ応答又はＢＡ応答を受信するように構成された受信モジュール１１をさらに備える。
【０３９９】
本発明のこの実施形態において提供されるアクセスポイントは、前述のデータ伝送インジケーション方法の実施形態の技術的解決方法を実行するものとしてよく、その実装原理及び技術的効果は類似しており、詳細はここで再び説明されない。
【０４００】
図２４を引き続き参照すると、図２４に示されている実施形態に基づき、ＯＦＤＭＡ物理層シグナリングは、端末に対応し、ＡＣＫ応答又はＢＡ応答がアクセスポイントに送信されるとともに、端末に対して割り振られたサブチャネルを示すために使用され、その場合に、送信モジュール１０は、ダウンリンクＯＦＤＭＡデータ情報が端末に対応するサブチャネル上で送信された後に、ＡＣＫ要求フレーム又はＢＡ要求フレームを端末に送信するようにさらに構成され、受信モジュール１１は、ＯＦＤＭＡモードにおいて対応するサブチャネル上で端末によって送信されたＡＣＫ応答又はＢＡ応答を受信するようにさらに構成される。
【０４０１】
本発明のこの実施形態において提供されるアクセスポイントは、前述のデータ伝送インジケーション方法の実施形態の技術的解決方法を実行するものとしてよく、その実装原理及び技術的効果は類似しており、詳細はここで再び説明されない。
【０４０２】
図２４を引き続き参照すると、図２４に示されている実施形態に基づき、ＯＦＤＭＡ物理層シグナリングは、ＯＦＤＭＡ  ＡＣＫ要求又はＯＦＤＭＡ  ＢＡ要求を運び、ＯＦＤＭＡ  ＡＣＫ要求又はＯＦＤＭＡ  ＢＡ要求は、ＯＦＤＭＡモードにおいてＡＣＫ応答又はＢＡ応答をアクセスポイントに送信するように端末に指示するために使用され、その場合に、ＯＦＤＭＡ物理層シグナリングは、端末に対応し、ＡＣＫ応答又はＢＡ応答がアクセスポイントに送信されるとともに、端末に対して割り振られたサブチャネルを端末に示すために特に使用され、その場合に、送信モジュール１０は、マルチユーザ多入力多出力ＭＵ−ＭＩＭＯモードにおいてＭＵ−ＭＩＭＯデータ情報を端末に送信し、ここで、ＭＵ−ＭＩＭＯデータ情報は、ＯＦＤＭＡ物理層シグナリングを運ぶ、ように特に構成され、受信モジュール１１は、送信モジュール１０が直交周波数分割多元接続ＯＦＤＭＡ物理層シグナリングを端末に送信した後に、ＯＦＤＭＡモードにおいて対応するサブチャネル上で端末によって送信されたＡＣＫ応答又はＢＡ応答を受信するようにさらに構成される。
【０４０３】
本発明のこの実施形態において提供されるアクセスポイントは、前述のデータ伝送インジケーション方法の実施形態の技術的解決方法を実行するものとしてよく、その実装原理及び技術的効果は類似しており、詳細はここで再び説明されない。
【０４０４】
図２４を引き続き参照すると、図２４に示されている実施形態に基づき、ＯＦＤＭＡ物理層シグナリングは、端末に対応し、ＡＣＫ応答又はＢＡ応答がアクセスポイントに送信されるとともに、端末に対して割り振られたサブチャネルを端末に示すために特に使用され、その場合に、送信モジュール１０は、ＭＵ−ＭＩＭＯモードにおいてＭＵ−ＭＩＭＯデータ情報を端末に送信し、ここでＭＵ−ＭＩＭＯデータ情報はＯＦＤＭＡ物理層シグナリングを運び、そしてＡＣＫ要求フレーム又はＢＡ要求フレームを端末に送信し、ここで、ＡＣＫ要求フレーム又はＢＡ要求フレームは専用情報ビットを含み、専用情報ビットは、ＯＦＤＭＡモードにおいてＡＣＫ応答又はＢＡ応答をアクセスポイントに送信するように端末に指示するために使用される、ように特に構成され、受信モジュール１１は、送信モジュール１０が直交周波数分割多元接続ＯＦＤＭＡ物理層シグナリングを端末に送信した後に、ＯＦＤＭＡモードにおいて端末に対応するサブチャネル上で端末によって送信されたＡＣＫ応答又はＢＡ応答を受信するようにさらに構成される。
【０４０５】
本発明のこの実施形態において提供されるアクセスポイントは、前述のデータ伝送インジケーション方法の実施形態の技術的解決方法を実行するものとしてよく、その実装原理及び技術的効果は類似しており、詳細はここで再び説明されない。
【０４０６】
図２４を引き続き参照すると、図２４に示されている実施形態に基づき、ＯＦＤＭＡ物理層シグナリングは、端末に対応し、ＡＣＫ応答又はＢＡ応答がアクセスポイントに送信されるとともに、端末に対して割り振られたサブチャネルを端末に示すために特に使用され、その場合に、送信モジュール１０は、ＭＵ−ＭＩＭＯモードにおいてＭＵ−ＭＩＭＯデータ情報を端末に送信するとともに、ＡＣＫ要求フレーム又はＢＡ要求フレームを端末に送信し、ここで、ＡＣＫ要求フレーム又はＢＡ要求フレームは専用情報ビットを含み、専用情報ビットは、ＯＦＤＭＡモードにおいてＡＣＫ応答又はＢＡ応答をアクセスポイントに送信するように端末に指示するために使用され、ＡＣＫ要求フレーム又はＢＡ要求フレームは、ＯＦＤＭＡ物理層シグナリングを運ぶ、ように特に構成され、受信モジュール１１は、送信モジュール１０が直交周波数分割多元接続ＯＦＤＭＡ物理層シグナリングを端末に送信した後に、ＯＦＤＭＡモードにおいて対応するサブチャネル上で端末によって送信されたＡＣＫ応答又はＢＡ応答を受信するようにさらに構成される。
【０４０７】
本発明のこの実施形態において提供されるアクセスポイントは、前述のデータ伝送インジケーション方法の実施形態の技術的解決方法を実行するものとしてよく、その実装原理及び技術的効果は類似しており、詳細はここで再び説明されない。
【０４０８】
図２４を引き続き参照すると、図２４に示されている実施形態に基づき、ＯＦＤＭＡ物理層シグナリングは、ＯＦＤＭＡ  ＡＣＫ要求又はＯＦＤＭＡ  ＢＡ要求を運び、ＯＦＤＭＡ  ＡＣＫ要求又はＯＦＤＭＡ  ＢＡ要求は、ＯＦＤＭＡモードにおいてＡＣＫ応答又はＢＡ応答をアクセスポイントに送信するように端末に指示するために使用され、その場合に、ＯＦＤＭＡ物理層シグナリングは、端末に対応し、ＡＣＫ応答又はＢＡ応答がアクセスポイントに送信されるとともに、端末に対して割り振られたサブチャネルを端末に示すために特に使用され、その場合に、送信モジュール１０は、直交周波数分割多元接続ＯＦＤＭＡ物理層シグナリングが端末に送信された後に、ＯＦＤＭＡ＋ＭＵ−ＭＩＭＯモードにおいて端末に対応するサブチャネル上でＯＦＤＭＡ＋ＭＵ−ＭＩＭＯデータ情報を端末に送信し、受信モジュール１１は、ＯＦＤＭＡモードにおいて対応するサブチャネル上で端末によって送信されたＡＣＫ応答又はＢＡ応答を受信するようにさらに構成される。
【０４０９】
本発明のこの実施形態において提供されるアクセスポイントは、前述のデータ伝送インジケーション方法の実施形態の技術的解決方法を実行するものとしてよく、その実装原理及び技術的効果は類似しており、詳細はここで再び説明されない。
【０４１０】
図２４を引き続き参照すると、図２４に示されている実施形態に基づき、ＯＦＤＭＡ物理層シグナリングは、端末に対応し、ＡＣＫ応答又はＢＡ応答がアクセスポイントに送信されるとともに、端末に対して割り振られたサブチャネルを端末に示すために特に使用され、その場合に、送信モジュール１０は、直交周波数分割多元接続ＯＦＤＭＡ物理層シグナリングが端末に送信された後に、ＯＦＤＭＡ＋ＭＵ−ＭＩＭＯモードにおいて端末に対応するサブチャネル上でＯＦＤＭＡ＋ＭＵ−ＭＩＭＯデータ情報を端末に送信するとともに、ＡＣＫ要求フレーム又はＢＡ要求フレームを端末に送信し、ここで、ＡＣＫ要求フレーム又はＢＡ要求フレームは専用情報ビットを含み、専用情報ビットは、ＯＦＤＭＡモードにおいてＡＣＫ応答又はＢＡ応答をアクセスポイントに送信するように端末に指示するために使用される、ようにさらに構成され、受信モジュール１１は、ＯＦＤＭＡモードにおいて対応するサブチャネル上で端末によって送信されたＡＣＫ応答又はＢＡ応答を受信するようにさらに構成される。
【０４１１】
本発明のこの実施形態において提供されるアクセスポイントは、前述のデータ伝送インジケーション方法の実施形態の技術的解決方法を実行するものとしてよく、その実装原理及び技術的効果は類似しており、詳細はここで再び説明されない。
【０４１２】
図２４を引き続き参照すると、図２４に示されている実施形態に基づき、ＯＦＤＭＡ物理層シグナリングは、端末に対応し、アップリンクＯＦＤＭＡデータ情報がアクセスポイントに送信されるとともに、端末に対して割り振られたサブチャネルを端末に示すために特に使用され、その場合に、受信モジュール１１は、送信モジュール１０が直交周波数分割多元接続ＯＦＤＭＡ物理層シグナリングを端末に送信する前に、端末によって送信されたアップリンク伝送フレームを受信し、送信モジュール１０が直交周波数分割多元接続ＯＦＤＭＡ物理層シグナリングを端末に送信した後に、ＯＦＤＭＡモードにおいて対応するサブチャネル上で端末によって送信されたアップリンクＯＦＤＭＡデータ情報を受信するようにさらに構成される。
【０４１３】
さらに、アップリンクＯＦＤＭＡデータ情報は、ＯＦＤＭＡ  ＡＣＫ要求又はＯＦＤＭＡ  ＢＡ要求を運び、ＯＦＤＭＡ  ＡＣＫ要求又はＯＦＤＭＡ  ＢＡ要求は、ＯＦＤＭＡモードにおいてＡＣＫ応答又はＢＡ応答を端末に送信するようにアクセスポイントに指示するためにさらに使用され、その場合に、送信モジュール１０は、受信モジュール１１が対応するサブチャネル上で端末によって送信されたアップリンクＯＦＤＭＡデータ情報を受信した後に、ＯＦＤＭＡモードにおいて端末に対応するサブチャネル上でアップリンクＯＦＤＭＡデータ情報に対応するＡＣＫ応答又はＢＡ応答を送信するようにさらに構成される。
【０４１４】
本発明のこの実施形態において提供されるアクセスポイントは、前述のデータ伝送インジケーション方法の実施形態の技術的解決方法を実行するものとしてよく、その実装原理及び技術的効果は類似しており、詳細はここで再び説明されない。
【０４１５】
図２４を引き続き参照すると、図２４に示されている実施形態に基づき、ＯＦＤＭＡ物理層シグナリングは、端末に対応し、アップリンクＯＦＤＭＡデータ情報がアクセスポイントに送信されるとともに、端末に対して割り振られたサブチャネルを端末に示すために特に使用され、その場合に、受信モジュール１１は、送信モジュール１０が直交周波数分割多元接続ＯＦＤＭＡ物理層シグナリングを端末に送信した後に、ＯＦＤＭＡモードにおいて対応するサブチャネル上で端末によって送信されたアップリンクＯＦＤＭＡデータ情報を受信するようにさらに構成される。
【０４１６】
本発明のこの実施形態において提供されるアクセスポイントは、前述のデータ伝送インジケーション方法の実施形態の技術的解決方法を実行するものとしてよく、その実装原理及び技術的効果は類似しており、詳細はここで再び説明されない。
【０４１７】
図２５は、本発明による端末の実施形態１の概略の構造図である。図２５に示されているように、端末は、受信モジュール２０と判定モジュール２１とを備える。
【０４１８】
受信モジュール２０は、アクセスポイントによって送信された直交周波数分割多元接続ＯＦＤＭＡ物理層シグナリングを受信し、ここで、ＯＦＤＭＡ物理層シグナリングは、端末に対してアクセスポイントによって割り振られたサブチャネルを端末に示すために使用され、ここで、ＯＦＤＭＡ物理層シグナリングは、端末の識別子、及び端末の識別子に対応するサブチャネル情報を含む、ように構成される。
【０４１９】
判定モジュール２１は、ＯＦＤＭＡ物理層シグナリングに従って端末に対応するサブチャネルを判定するように構成される。
【０４２０】
本発明のこの実施形態において提供される端末は、前述のデータ伝送インジケーション方法の実施形態の技術的解決方法を実行するものとしてよく、その実装原理及び技術的効果は類似しており、詳細はここで再び説明されない。
【０４２１】
適宜、端末の識別子は、１つ又は複数の端末グループの識別子であり、各端末グループは、少なくとも１つの端末を含み、サブチャネル情報は、アップリンクサブチャネル又はダウンリンクサブチャネル又はアップリンク及びダウンリンク双方向サブチャネルを含み、その場合に、端末に対して割り振られたサブチャネルを端末に示すために使用されているＯＦＤＭＡ物理層シグナリングは、各端末グループに、割り振られたサブチャネルがアップリンクサブチャネル又はダウンリンクサブチャネル又はアップリンク及びダウンリンク双方向サブチャネルであることを示すために使用されているＯＦＤＭＡ物理層シグナリングを含み、ここで、端末グループ及びサブチャネルは一対一の対応関係にあり、その場合に、受信モジュール２０は、アクセスポイントによって送信された直交周波数分割多元接続ＯＦＤＭＡ物理層シグナリングが受信される前に、端末グループの識別子と端末のアドレスとの間のマッピング関係を受信し、ここで、マッピング関係はアクセスポイントによって送信される、ようにさらに構成され、その場合に、判定モジュール２１は、マッピング関係に従って、端末が端末グループ内に配置されていることを判定し、その場合に、端末グループに対応するサブチャネルが、端末に対応するサブチャネルであることを判定するように特に構成される。
【０４２２】
適宜、端末の識別子は、１つの端末グループの識別子であり、端末グループは、少なくとも２つの端末を含み、その場合に、端末に対して割り振られたサブチャネルを端末に示すために使用されているＯＦＤＭＡ物理層シグナリングは、端末グループ内の各端末に、割り振られたサブチャネルがアップリンクサブチャネル又はダウンリンクサブチャネル又はアップリンク及びダウンリンク双方向サブチャネルであることを示すために使用されているＯＦＤＭＡ物理層シグナリングを含み、ここで、端末グループ内の端末及びサブチャネルは一対一の対応関係にある。
【０４２３】
本発明のこの実施形態において提供される端末は、前述のデータ伝送インジケーション方法の実施形態の技術的解決方法を実行するものとしてよく、その実装原理及び技術的効果は類似しており、詳細はここで再び説明されない。
【０４２４】
図２５に示されている実施形態に基づき、さらに、受信モジュール２０は、アクセスポイントによって送信された直交周波数分割多重化ＯＦＤＭプリアンブルを受信し、ここで、ＯＦＤＭプリアンブルは、ＯＦＤＭＡ物理層シグナリングを運ぶ、ように特に構成される。
【０４２５】
適宜、受信モジュール２０は、アクセスポイントによって送信されたヌルデータパケットアナウンスメントＮＤＰＡフレームを受信し、ここで、ＮＤＰＡフレームは、ＯＦＤＭＡ物理層シグナリングを運ぶ、ようにさらに構成される。
【０４２６】
適宜、受信モジュール２０は、アクセスポイントによって送信されたＮＤＰＡフレーム及びＯＦＤＭプリアンブルを受信し、ここで、ＮＤＰＡフレームは、ＯＦＤＭＡ物理層シグナリングにおける端末の識別子を運び、そしてＯＦＤＭプリアンブルは、端末の識別子に対応するとともに、ＯＦＤＭＡ物理層シグナリング内にあるサブチャネル情報を運ぶ、ようにさらに構成される。
【０４２７】
適宜、受信モジュール２０は、アクセスポイントによって送信されたＮＤＰＡフレーム及びＯＦＤＭプリアンブルを受信し、ここで、ＮＤＰＡフレームは、端末の識別子に対応するとともに、前述のＯＦＤＭＡ物理層シグナリング内にあるサブチャネル情報を運び、そしてＯＦＤＭプリアンブルは、前述のＯＦＤＭＡ物理層シグナリングにおける端末の識別子を運ぶ、ようにさらに構成される。
【０４２８】
本発明のこの実施形態において提供される端末は、前述のデータ伝送インジケーション方法の実施形態の技術的解決方法を実行するものとしてよく、その実装原理及び技術的効果は類似しており、詳細はここで再び説明されない。
【０４２９】
図２６は、本発明による端末の実施形態２の概略の構造図である。図２５に示されている実施形態に基づき、さらに、ＯＦＤＭＡ物理層シグナリングは、ダウンリンクＯＦＤＭＡデータ情報を受信するためにアクセスポイントによって端末に割り振られたサブチャネルを端末に示すために特に使用され、その場合に、受信モジュール２０は、判定モジュール２１がＯＦＤＭＡ物理層シグナリングに従って端末に対応するサブチャネルを判定した後に、端末に対応するサブチャネル上で、アクセスポイントによって送信されたダウンリンクＯＦＤＭＡデータ情報を受信し、ここで、ダウンリンクＯＦＤＭＡデータ情報は、ＯＦＤＭＡプリアンブル及びＯＦＤＭＡデータを含み、ＯＦＤＭＡプリアンブルは、スイッチングフィールド及びウルトラハイスループットシグナリングＢ  ＵＨＴ−ＳＩＧ−Ｂを含む、ようにさらに構成される。
【０４３０】
その場合に、図２５に示されている実施形態に基づき、さらに、受信モジュール２０は、ＯＦＤＭＡデータに対応するとともに、アクセスポイントによって送信された送信先端末アドレスを受信するように構成された受信ユニット２０１と、端末が送信先端末アドレスに一致しているかどうかを判定し、もし一致すれば、端末に対応するサブチャネル上で、アクセスポイントによって送信されたダウンリンクＯＦＤＭＡデータ情報を受信するように受信ユニット２０１に指示するように構成された判定ユニット２０２とを備える。
【０４３１】
本発明のこの実施形態において提供される端末は、前述のデータ伝送インジケーション方法の実施形態の技術的解決方法を実行するものとしてよく、その実装原理及び技術的効果は類似しており、詳細はここで再び説明されない。
【０４３２】
図２７は、本発明による端末の実施形態３の概略の構造図である。前述のＯＦＤＭＡ物理層シグナリング又は前述のダウンリンクＯＦＤＭＡデータ情報は、ＯＦＤＭＡ  ＡＣＫ要求又はＯＦＤＭＡ  ＢＡ要求を運び、ＯＦＤＭＡ  ＡＣＫ要求又はＯＦＤＭＡ  ＢＡ要求は、ＯＦＤＭＡモードにおいてＡＣＫ応答又はＢＡ応答をアクセスポイントに送信するように端末に指示するために使用され、その場合に、前述のＯＦＤＭＡ物理層シグナリングは、端末に対応し、ＡＣＫ応答又はＢＡ応答がアクセスポイントに送信されるとともに、端末に対して割り振られたサブチャネルを示すためにさらに使用される。その場合に、図２６に示されている実施形態に基づき、さらに、前述の端末は、受信モジュール２０が、端末に対応するサブチャネル上で、アクセスポイントによって送信されたダウンリンクＯＦＤＭＡデータ情報を受信した後に、ＯＦＤＭＡモードにおいて端末に対応するサブチャネル上でアクセスポイントにＡＣＫ応答又はＢＡ応答を送信するように構成された送信モジュール２２をさらに備える。
【０４３３】
本発明のこの実施形態において提供される端末は、前述のデータ伝送インジケーション方法の実施形態の技術的解決方法を実行するものとしてよく、その実装原理及び技術的効果は類似しており、詳細はここで再び説明されない。
【０４３４】
図２７を引き続き参照すると、前述のＯＦＤＭＡ物理層シグナリングは、端末に対応し、ＡＣＫ応答又はＢＡ応答がアクセスポイントに送信されるとともに、端末に対して割り振られたサブチャネルを示すためにさらに使用され、その場合に、受信モジュール２０は、アクセスポイントによって送信されたダウンリンクＯＦＤＭＡデータ情報が端末に対応するサブチャネル上で受信された後に、アクセスポイントによって送信されたＡＣＫ要求フレーム又はＢＡ要求フレームを受信し、ここで、ＡＣＫ要求フレーム又はＢＡ要求フレームは専用情報ビットを含み、専用情報ビットは、ＯＦＤＭＡモードにおいてＡＣＫ応答又はＢＡ応答をアクセスポイントに送信するように端末に指示するために使用される、ようにさらに構成され、送信モジュール２２は、ＯＦＤＭＡモードにおいて端末に対応するサブチャネル上でアクセスポイントにＡＣＫ応答又はＢＡ応答を送信するようにさらに構成される。
【０４３５】
本発明のこの実施形態において提供される端末は、前述のデータ伝送インジケーション方法の実施形態の技術的解決方法を実行するものとしてよく、その実装原理及び技術的効果は類似しており、詳細はここで再び説明されない。
【０４３６】
図２７を引き続き参照すると、ＯＦＤＭＡ物理層シグナリングは、ＯＦＤＭＡ  ＡＣＫ要求又はＯＦＤＭＡ  ＢＡ要求を運び、ＯＦＤＭＡ  ＡＣＫ要求又はＯＦＤＭＡ  ＢＡ要求は、ＯＦＤＭＡモードにおいてＡＣＫ応答又はＢＡ応答をアクセスポイントに送信するように端末に指示するために使用され、その場合に、ＯＦＤＭＡ物理層シグナリングは、端末に対応し、ＡＣＫ応答又はＢＡ応答がアクセスポイントに送信されるとともに、端末に対して割り振られたサブチャネルを端末に示すために特に使用され、その場合に、受信モジュール２０は、アクセスポイントによって送信されたマルチユーザ多入力多出力ＭＵ−ＭＩＭＯデータ情報を受信するように特に構成され、送信モジュール２２は、判定モジュール２１がＯＦＤＭＡ物理層シグナリングに従って端末に対応するサブチャネルを判定した後に、ＯＦＤＭＡモードにおいて端末に対応するサブチャネル上でアクセスポイントにＡＣＫ応答又はＢＡ応答を送信するようにさらに構成される。
【０４３７】
本発明のこの実施形態において提供される端末は、前述のデータ伝送インジケーション方法の実施形態の技術的解決方法を実行するものとしてよく、その実装原理及び技術的効果は類似しており、詳細はここで再び説明されない。
【０４３８】
図２７を引き続き参照すると、ＯＦＤＭＡ物理層シグナリングは、端末に対応し、ＡＣＫ応答又はＢＡ応答がアクセスポイントに送信されるとともに、端末に対して割り振られたサブチャネルを端末に示すために特に使用され、その場合に、受信モジュール２０は、アクセスポイントによって送信されたＭＵ−ＭＩＭＯデータ情報を受信し、ここでＭＵ−ＭＩＭＯデータ情報は前述のＯＦＤＭＡ物理層シグナリングを運び、そしてアクセスポイントによって送信されたＡＣＫ要求フレーム又はＢＡ要求フレームを受信し、ここで、ＡＣＫ要求フレーム又はＢＡ要求フレームは専用情報ビットを含み、専用情報ビットは、ＯＦＤＭＡモードにおいてＡＣＫ応答又はＢＡ応答をアクセスポイントに送信するように端末に指示するために使用される、ように特に構成され、送信モジュール２２は、判定モジュール２１がＯＦＤＭＡ物理層シグナリングに従って端末に対応するサブチャネルを判定した後に、ＯＦＤＭＡモードにおいて端末に対応するサブチャネル上でアクセスポイントにＡＣＫ応答又はＢＡ応答を送信するようにさらに構成される。
【０４３９】
本発明のこの実施形態において提供される端末は、前述のデータ伝送インジケーション方法の実施形態の技術的解決方法を実行するものとしてよく、その実装原理及び技術的効果は類似しており、詳細はここで再び説明されない。
【０４４０】
図２７を引き続き参照すると、ＯＦＤＭＡ物理層シグナリングは、端末に対応し、ＡＣＫ応答又はＢＡ応答がアクセスポイントに送信されるとともに、端末に対して割り振られたサブチャネルを端末に示すために特に使用され、その場合に、受信モジュール２０は、アクセスポイントによって送信されたＭＵ−ＭＩＭＯデータ情報を受信するとともに、アクセスポイントによって送信されたＡＣＫ要求フレーム又はＢＡ要求フレームを受信し、ここで、ＡＣＫ要求フレーム又はＢＡ要求フレームは専用情報ビットを含み、専用情報ビットは、ＯＦＤＭＡモードにおいてＡＣＫ応答又はＢＡ応答をアクセスポイントに送信するように端末に指示するために使用され、ＡＣＫ要求フレーム又はＢＡ要求フレームは、ＯＦＤＭＡ物理層シグナリングを運ぶ、ように特に構成され、送信モジュール２２は、判定モジュール２１がＯＦＤＭＡ物理層シグナリングに従って端末に対応するサブチャネルを判定した後に、ＯＦＤＭＡモードにおいて端末に対応するサブチャネル上でアクセスポイントにＡＣＫ応答又はＢＡ応答を送信するようにさらに構成される。
【０４４１】
本発明のこの実施形態において提供される端末は、前述のデータ伝送インジケーション方法の実施形態の技術的解決方法を実行するものとしてよく、その実装原理及び技術的効果は類似しており、詳細はここで再び説明されない。
【０４４２】
図２７を引き続き参照すると、ＯＦＤＭＡ物理層シグナリングは、ＯＦＤＭＡ  ＡＣＫ要求又はＯＦＤＭＡ  ＢＡ要求を運び、ＯＦＤＭＡ  ＡＣＫ要求又はＯＦＤＭＡ  ＢＡ要求は、ＯＦＤＭＡモードにおいてＡＣＫ応答又はＢＡ応答をアクセスポイントに送信するように端末に指示するために使用され、その場合に、ＯＦＤＭＡ物理層シグナリングは、端末に対応し、ＡＣＫ応答又はＢＡ応答がアクセスポイントに送信されるとともに、端末に対して割り振られたサブチャネルを端末に示すために特に使用され、その場合に、受信モジュール２０は、判定モジュール２１がＯＦＤＭＡ物理層シグナリングに従って端末に対応するサブチャネルを判定した後に、端末に対応するサブチャネル上で、アクセスポイントによって送信されたＯＦＤＭＡ＋ＭＵ−ＭＩＭＯデータ情報を受信するようにさらに構成され、送信モジュール２２は、ＯＦＤＭＡモードにおいて端末に対応するサブチャネル上でアクセスポイントにＡＣＫ応答又はＢＡ応答を送信するようにさらに構成される。
【０４４３】
本発明のこの実施形態において提供される端末は、前述のデータ伝送インジケーション方法の実施形態の技術的解決方法を実行するものとしてよく、その実装原理及び技術的効果は類似しており、詳細はここで再び説明されない。
【０４４４】
図２７を引き続き参照すると、ＯＦＤＭＡ物理層シグナリングは、端末に対応し、ＡＣＫ応答又はＢＡ応答がアクセスポイントに送信されるとともに、端末に対して割り振られたサブチャネルを端末に示すために特に使用され、その場合に、受信モジュール２０は、判定モジュール２１がＯＦＤＭＡ物理層シグナリングに従って端末に対応するサブチャネルを判定した後に、端末に対応するサブチャネル上で、アクセスポイントによって送信されたＯＦＤＭＡ＋ＭＵ−ＭＩＭＯデータ情報を受信するとともに、アクセスポイントによって送信されたＡＣＫ要求フレーム又はＢＡ要求フレームを受信し、ここで、ＡＣＫ要求フレーム又はＢＡ要求フレームは専用情報ビットを含み、専用情報ビットは、ＯＦＤＭＡモードにおいてＡＣＫ応答又はＢＡ応答をアクセスポイントに送信するように端末に指示するために使用される、ようにさらに構成され、送信モジュール２２は、ＯＦＤＭＡモードにおいて端末に対応するサブチャネル上でアクセスポイントにＡＣＫ応答又はＢＡ応答を送信するようにさらに構成される。
【０４４５】
本発明のこの実施形態において提供される端末は、前述のデータ伝送インジケーション方法の実施形態の技術的解決方法を実行するものとしてよく、その実装原理及び技術的効果は類似しており、詳細はここで再び説明されない。
【０４４６】
図２７を引き続き参照すると、ＯＦＤＭＡ物理層シグナリングは、アップリンクＯＦＤＭＡデータ情報がアクセスポイントに送信されるとともに、端末に対して割り振られたサブチャネルを端末に示すために特に使用され、その場合に、送信モジュール２２は、受信モジュール２０がアクセスポイントによって送信された直交周波数分割多元接続ＯＦＤＭＡ物理層シグナリングを受信する前に、アップリンク伝送フレームをアクセスポイントに送信するようにさらに構成され、判定モジュール２１がＯＦＤＭＡ物理層シグナリングに従って端末に対応するサブチャネルを判定した後に、ＯＦＤＭＡモードにおいて端末に対応するサブチャネル上でアップリンクＯＦＤＭＡデータ情報をアクセスポイントに送信するようにさらに構成される。
【０４４７】
さらに、アップリンクＯＦＤＭＡデータ情報は、ＯＦＤＭＡ  ＡＣＫ要求又はＯＦＤＭＡ  ＢＡ要求を運び、ＯＦＤＭＡ  ＡＣＫ要求又はＯＦＤＭＡ  ＢＡ要求は、ＯＦＤＭＡモードにおいてＡＣＫ応答又はＢＡ応答を端末に送信するようにアクセスポイントに指示するためにさらに使用され、その場合に、受信モジュール２０は、送信モジュール２２がアップリンクＯＦＤＭＡデータ情報をアクセスポイントに送信した後に、端末に対応するサブチャネル上で、アップリンクＯＦＤＭＡデータ情報に対応するとともに、アクセスポイントによって送信されたＡＣＫ応答又はＢＡ応答を受信するようにさらに構成される。
【０４４８】
本発明のこの実施形態において提供される端末は、前述のデータ伝送インジケーション方法の実施形態の技術的解決方法を実行するものとしてよく、その実装原理及び技術的効果は類似しており、詳細はここで再び説明されない。
【０４４９】
図２７を引き続き参照すると、ＯＦＤＭＡ物理層シグナリングは、端末に対応し、アップリンクＯＦＤＭＡデータ情報がアクセスポイントに送信されるとともに、端末に対して割り振られたサブチャネルを端末に示すために特に使用され、その場合に、送信モジュール２２は、判定モジュール２１がＯＦＤＭＡ物理層シグナリングに従って端末に対応するサブチャネルを判定した後に、ＯＦＤＭＡモードにおいて端末に対応するサブチャネル上でアップリンクＯＦＤＭＡデータ情報をアクセスポイントに送信するようにさらに構成される。
【０４５０】
本発明のこの実施形態において提供される端末は、前述のデータ伝送インジケーション方法の実施形態の技術的解決方法を実行するものとしてよく、その実装原理及び技術的効果は類似しており、詳細はここで再び説明されない。
【０４５１】
本発明のアクセスポイントの実施形態３は、アクセスポイントを提供し、アクセスポイントは、直交周波数分割多元接続ＯＦＤＭＡ物理層シグナリングを端末に送信するように構成された送信機３０であって、ここで、ＯＦＤＭＡ物理層シグナリングは、端末に対して割り振られたサブチャネルを端末に示すために使用され、それにより、端末はＯＦＤＭＡ物理層シグナリングに従って端末に対応するサブチャネルを判定し、ここで、ＯＦＤＭＡ物理層シグナリングは、端末の識別子、及び端末の識別子に対応するサブチャネル情報を含む、送信機３０を備える。
【０４５２】
本発明のこの実施形態において提供されるアクセスポイントは、前述のデータ伝送インジケーション方法の実施形態の技術的解決方法を実行するものとしてよく、その実装原理及び技術的効果は類似しており、詳細はここで再び説明されない。
【０４５３】
適宜、端末の識別子は、１つ又は複数の端末グループの識別子であり、各端末グループは、少なくとも１つの端末を含み、サブチャネル情報は、アップリンクサブチャネル又はダウンリンクサブチャネル又はアップリンク及びダウンリンク双方向サブチャネルを含み、その場合に、端末に対して割り振られたサブチャネルを端末に示すために使用されているＯＦＤＭＡ物理層シグナリングは、各端末グループに、割り振られたサブチャネルがアップリンクサブチャネル又はダウンリンクサブチャネル又はアップリンク及びダウンリンク双方向サブチャネルであることを示すために使用されているＯＦＤＭＡ物理層シグナリングを含み、ここで、端末グループ及びサブチャネルは一対一の対応関係にある。
【０４５４】
送信機３０は、ＯＦＤＭＡ物理層シグナリングが端末に送信される前に、端末グループの識別子と端末のアドレスとの間のマッピング関係を端末に送信し、それにより、端末が配置されている端末グループを端末が学習する、ようにさらに構成されるものとしてよい。
【０４５５】
適宜、端末の識別子は、１つの端末グループの識別子であり、端末グループは、少なくとも２つの端末を含み、その場合に、端末に対して割り振られたサブチャネルを端末に示すために使用されているＯＦＤＭＡ物理層シグナリングは、端末グループ内の各端末に、割り振られたサブチャネルがアップリンクサブチャネル又はダウンリンクサブチャネル又はアップリンク及びダウンリンク双方向サブチャネルであることを示すために使用されているＯＦＤＭＡ物理層シグナリングを含み、ここで、端末グループ内の端末及びサブチャネルは一対一の対応関係にある。
【０４５６】
本発明のこの実施形態において提供されるアクセスポイントは、前述のデータ伝送インジケーション方法の実施形態の技術的解決方法を実行するものとしてよく、その実装原理及び技術的効果は類似しており、詳細はここで再び説明されない。
【０４５７】
さらに、送信機３０は、直交周波数分割多重化ＯＦＤＭプリアンブルを端末に送信し、ここで、ＯＦＤＭプリアンブルは、ＯＦＤＭＡ物理層シグナリングを運ぶ、ように特に構成される。
【０４５８】
適宜、送信機３０は、ヌルデータパケットアナウンスメントＮＤＰＡフレームを端末に送信し、ここで、ＮＤＰＡフレームは、ＯＦＤＭＡ物理層シグナリングを運ぶ、ようにさらに構成されるものとしてよい。
【０４５９】
適宜、送信機３０は、ＮＤＰＡフレーム及びＯＦＤＭプリアンブルを端末に送信し、ここで、ＮＤＰＡフレームは、ＯＦＤＭＡ物理層シグナリングにおける端末の識別子を運び、そしてＯＦＤＭプリアンブルは、端末の識別子に対応するとともに、ＯＦＤＭＡ物理層シグナリング内にあるサブチャネル情報を運ぶ、ようにさらに構成されるものとしてよい。
【０４６０】
適宜、送信機３０は、ＮＤＰＡフレーム及びＯＦＤＭプリアンブルを端末に送信し、ここで、ＮＤＰＡフレームは、端末の識別子に対応するとともに、ＯＦＤＭＡ物理層シグナリング内にあるサブチャネル情報を運び、そしてＯＦＤＭプリアンブルは、ＯＦＤＭＡ物理層シグナリングにおける端末の識別子を運ぶ、ようにさらに構成されるものとしてよい。
【０４６１】
本発明のこの実施形態において提供されるアクセスポイントは、前述のデータ伝送インジケーション方法の実施形態の技術的解決方法を実行するものとしてよく、その実装原理及び技術的効果は類似しており、詳細はここで再び説明されない。
【０４６２】
さらに、ＯＦＤＭＡ物理層シグナリングは、ダウンリンクＯＦＤＭＡデータ情報を受信するために端末に割り振られたサブチャネルを端末に示すために特に使用され、その場合に、送信機３０は、直交周波数分割多元接続ＯＦＤＭＡ物理層シグナリングが端末に送信された後に、ＯＦＤＭＡモードにおいて端末に対応するサブチャネル上でダウンリンクＯＦＤＭＡデータ情報を送信し、ここで、ダウンリンクＯＦＤＭＡデータ情報は、ＯＦＤＭＡプリアンブル及びＯＦＤＭＡデータを含み、ＯＦＤＭＡプリアンブルは、スイッチングフィールド及びウルトラハイスループットシグナリングＢ  ＵＨＴ−ＳＩＧ−Ｂを含む、ようにさらに構成されるものとしてよい。
【０４６３】
適宜、送信機３０が端末に対応するサブチャネル上でダウンリンクＯＦＤＭＡデータ情報を各端末に送信する方式は、送信機３０内のアクセスポイントのアンテナに対応する逆離散フーリエ変換（Ｉｎｖｅｒｓｅ  Ｄｉｓｃｒｅｔｅ  Ｆｏｕｒｉｅｒ  Ｔｒａｎｓｆｏｒｍ、以下略してＩＤＦＴ）モジュールを構築することによって実施されることができ、すなわち、アクセスポイントは、最初に、複数の時空間ストリームへの、複数の端末のダウンリンクデータの符号化、空間ストリーム分離、及び時空間符号化を実行するものとしてよく、図２８への参照がなされてよい。時空間ストリームは、アクセスポイントのアンテナに対応する。同じアンテナ上の異なる端末の時空間ストリームは、アンテナに対応するＩＤＦＴモジュールを使用することによって、端末に対応するサブチャネル又はサブキャリアにマッピングされるとともに送信され、それによって、それぞれの対応するダウンリンクＯＦＤＭＡデータ情報を、異なるサブチャネルを使用することによって端末に送信する。アクセスポイントが複数のアンテナを備えている場合、対応する数のＩＤＦＴモジュールがある（アンテナの数がＭである場合、ＩＤＦＴモジュールの数は同様にＭである）。これらのＩＤＦＴモジュールはすべて、同じ周波数帯域で動作する。したがって、アクセスポイントが複数のアンテナを備えているＯＦＤＭＡについては、異なるユーザは、異なるサブチャネル上で作業し、同じサブチャネル上で、アクセスポイントの時空間ストリームは、空間マッピングを用いることで区別され得る。時空間ストリームは、サブチャネル上でＭＵ−ＭＩＭＯ実装をさらにサポートし得る。
【０４６４】
それに対応して、端末は、離散フーリエ変換（Ｄｉｓｃｒｅｔｅ  Ｆｏｕｒｉｅｒ  Ｔｒａｎｓｆｏｒｍ、以下略してＤＦＴ）モジュールを使用することによって復調を実行し、受信端のデータを取得し、ＯＦＤＭＡ物理層シグナリングのインジケーションに従って、端末が配置されているサブチャネル上でデータを取得する。データがマルチアンテナ空間マッピング信号である場合、信号は複数のアンテナを使用することによって分離されるか、又は、データが単一アンテナ信号である場合、信号は分離される必要はない。
【０４６５】
本発明のこの実施形態において提供されるアクセスポイントは、前述のデータ伝送インジケーション方法の実施形態の技術的解決方法を実行するものとしてよく、その実装原理及び技術的効果は類似しており、詳細はここで再び説明されない。
【０４６６】
図２９は、本発明によるアクセスポイントの実施形態４の概略の構造図である。アクセスポイントは、前述の送信機３０を備え、そして受信機３１をさらに備える。
【０４６７】
前述のＯＦＤＭＡ物理層シグナリング又は前述のダウンリンクＯＦＤＭＡデータ情報は、ＯＦＤＭＡ確認応答ＡＣＫ要求又はＯＦＤＭＡブロック確認応答ＢＡ要求を運び、ＯＦＤＭＡ  ＡＣＫ要求又はＯＦＤＭＡ  ＢＡ要求は、ＯＦＤＭＡモードにおいてＡＣＫ応答又はＢＡ応答をアクセスポイントに送信するように端末に指示するために使用され、その場合に、前述のＯＦＤＭＡ物理層シグナリングは、端末に対応し、ＡＣＫ応答又はＢＡ応答がアクセスポイントに送信されるとともに、端末に対して割り振られたサブチャネルを示すためにさらに使用され、その場合に、受信機３１は、送信機３０がＯＦＤＭＡモードにおいて端末に対応するサブチャネル上でダウンリンクＯＦＤＭＡデータ情報を送信した後に、ＯＦＤＭＡモードにおいて端末に対応するサブチャネル上で端末によって送信されたＡＣＫ応答又はＢＡ応答を受信するように構成される。
【０４６８】
本発明のこの実施形態において提供されるアクセスポイントは、前述のデータ伝送インジケーション方法の実施形態の技術的解決方法を実行するものとしてよく、その実装原理及び技術的効果は類似しており、詳細はここで再び説明されない。
【０４６９】
適宜、ＯＦＤＭＡ物理層シグナリングは、端末に対応し、ＡＣＫ応答又はＢＡ応答がアクセスポイントに送信されるとともに、端末に対して割り振られたサブチャネルを示すために使用され、その場合に、送信機３０は、ダウンリンクＯＦＤＭＡデータ情報が端末に対応するサブチャネル上で送信された後に、ＡＣＫ要求フレーム又はＢＡ要求フレームを端末に送信し、ここで、ＡＣＫ要求フレーム又はＢＡ要求フレームは専用情報ビットを含み、専用情報ビットは、ＯＦＤＭＡモードにおいてＡＣＫ応答又はＢＡ応答をアクセスポイントに送信するように端末に指示するために使用される、ようにさらに構成されるものとしてよく、受信機３１は、ＯＦＤＭＡモードにおいて対応するサブチャネル上で端末によって送信されたＡＣＫ応答又はＢＡ応答を受信するようにさらに構成されるものとしてよい。
【０４７０】
適宜、ＯＦＤＭＡ物理層シグナリングは、ＯＦＤＭＡ  ＡＣＫ要求又はＯＦＤＭＡ  ＢＡ要求を運び、ＯＦＤＭＡ  ＡＣＫ要求又はＯＦＤＭＡ  ＢＡ要求は、ＯＦＤＭＡモードにおいてＡＣＫ応答又はＢＡ応答をアクセスポイントに送信するように端末に指示するために使用され、その場合に、ＯＦＤＭＡ物理層シグナリングは、端末に対応し、ＡＣＫ応答又はＢＡ応答がアクセスポイントに送信されるとともに、端末に対して割り振られたサブチャネルを端末に示すために特に使用され、その場合に、送信機３０は、マルチユーザ多入力多出力ＭＵ−ＭＩＭＯモードにおいてＭＵ−ＭＩＭＯデータ情報を端末に送信し、ここで、ＭＵ−ＭＩＭＯデータ情報は、ＯＦＤＭＡ物理層シグナリングを運ぶ、ように特に構成され、受信機３１は、送信機３０が直交周波数分割多元接続ＯＦＤＭＡ物理層シグナリングを端末に送信した後に、ＯＦＤＭＡモードにおいて対応するサブチャネル上で端末によって送信されたＡＣＫ応答又はＢＡ応答を受信するようにさらに構成されるものとしてよい。
【０４７１】
適宜、ＯＦＤＭＡ物理層シグナリングは、端末に対応し、ＡＣＫ応答又はＢＡ応答がアクセスポイントに送信されるとともに、端末に対して割り振られたサブチャネルを端末に示すために特に使用され、その場合に、送信機３０は、ＭＵ−ＭＩＭＯモードにおいてＭＵ−ＭＩＭＯデータ情報を端末に送信し、ここでＭＵ−ＭＩＭＯデータ情報はＯＦＤＭＡ物理層シグナリングを運び、そしてＡＣＫ要求フレーム又はＢＡ要求フレームを端末に送信し、ここで、ＡＣＫ要求フレーム又はＢＡ要求フレームは専用情報ビットを含み、専用情報ビットは、ＯＦＤＭＡモードにおいてＡＣＫ応答又はＢＡ応答をアクセスポイントに送信するように端末に指示するために使用される、ように特に構成され、受信機３１は、送信機が直交周波数分割多元接続ＯＦＤＭＡ物理層シグナリングを端末に送信した後に、ＯＦＤＭＡモードにおいて対応するサブチャネル上で端末によって送信されたＡＣＫ応答又はＢＡ応答を受信するようにさらに構成されるものとしてよい。
【０４７２】
適宜、ＯＦＤＭＡ物理層シグナリングは、端末に対応し、ＡＣＫ応答又はＢＡ応答がアクセスポイントに送信されるとともに、端末に対して割り振られたサブチャネルを端末に示すために特に使用され、その場合に、送信機３０は、ＭＵ−ＭＩＭＯモードにおいてＭＵ−ＭＩＭＯデータ情報を端末に送信するとともに、ＡＣＫ要求フレーム又はＢＡ要求フレームを端末に送信し、ここで、ＡＣＫ要求フレーム又はＢＡ要求フレームは専用情報ビットを含み、専用情報ビットは、ＯＦＤＭＡモードにおいてＡＣＫ応答又はＢＡ応答をアクセスポイントに送信するように端末に指示するために使用され、ＡＣＫ要求フレーム又はＢＡ要求フレームは、ＯＦＤＭＡ物理層シグナリングを運ぶ、ように特に構成され、受信機３１は、送信機３０が直交周波数分割多元接続ＯＦＤＭＡ物理層シグナリングを端末に送信した後に、ＯＦＤＭＡモードにおいて対応するサブチャネル上で端末によって送信されたＡＣＫ応答又はＢＡ応答を受信するようにさらに構成されるものとしてよい。
【０４７３】
適宜、ＯＦＤＭＡ物理層シグナリングは、ＯＦＤＭＡ  ＡＣＫ要求又はＯＦＤＭＡ  ＢＡ要求を運び、ＯＦＤＭＡ  ＡＣＫ要求又はＯＦＤＭＡ  ＢＡ要求は、ＯＦＤＭＡモードにおいてＡＣＫ応答又はＢＡ応答をアクセスポイントに送信するように端末に指示するために使用され、その場合に、ＯＦＤＭＡ物理層シグナリングは、端末に対応し、ＡＣＫ応答又はＢＡ応答がアクセスポイントに送信されるとともに、端末に対して割り振られたサブチャネルを端末に示すために特に使用され、送信機３０は、直交周波数分割多元接続ＯＦＤＭＡ物理層シグナリングが端末に送信された後に、ＯＦＤＭＡ＋ＭＵ−ＭＩＭＯモードにおいて端末に対応するサブチャネル上でＯＦＤＭＡ＋ＭＵ−ＭＩＭＯデータ情報を端末に送信するようにさらに構成されるものとしてよく、受信機３１は、ＯＦＤＭＡモードにおいて対応するサブチャネル上で端末によって送信されたＡＣＫ応答又はＢＡ応答を受信するようにさらに構成されるものとしてよい。
【０４７４】
適宜、ＯＦＤＭＡ物理層シグナリングは、端末に対応し、ＡＣＫ応答又はＢＡ応答がアクセスポイントに送信されるとともに、端末に対して割り振られたサブチャネルを端末に示すために特に使用され、その場合に、送信機３０は、直交周波数分割多元接続ＯＦＤＭＡ物理層シグナリングが端末に送信された後に、ＯＦＤＭＡ＋ＭＵ−ＭＩＭＯモードにおいて端末に対応するサブチャネル上でＯＦＤＭＡ＋ＭＵ−ＭＩＭＯデータ情報を端末に送信するとともに、ＡＣＫ要求フレーム又はＢＡ要求フレームを端末に送信し、ここで、ＡＣＫ要求フレーム又はＢＡ要求フレームは専用情報ビットを含み、専用情報ビットは、ＯＦＤＭＡモードにおいてＡＣＫ応答又はＢＡ応答をアクセスポイントに送信するように端末に指示するために使用される、ようにさらに構成され、受信機３１は、ＯＦＤＭＡモードにおいて対応するサブチャネル上で端末によって送信されたＡＣＫ応答又はＢＡ応答を受信するようにさらに構成されるものとしてよい。
【０４７５】
適宜、ＯＦＤＭＡ物理層シグナリングは、端末に対応し、アップリンクＯＦＤＭＡデータ情報がアクセスポイントに送信されるとともに、端末に対して割り振られたサブチャネルを端末に示すために特に使用され、その場合に、受信機３１は、送信機３０が直交周波数分割多元接続ＯＦＤＭＡ物理層シグナリングを端末に送信する前に、端末によって送信されたアップリンク伝送フレームを受信し、送信機３０が直交周波数分割多元接続ＯＦＤＭＡ物理層シグナリングを端末に送信した後に、ＯＦＤＭＡモードにおいて対応するサブチャネル上で端末によって送信されたアップリンクＯＦＤＭＡデータ情報を受信するようにさらに構成されるものとしてよい。適宜、送信機３０は、ＩＤＦＴモジュールを使用することによってアップリンクＯＦＤＭＡデータ情報をさらに伝送するものとしてよく、それにより、各端末は、ＯＦＤＭＡ物理層シグナリングに従って、ＩＤＦＴモジュールを使用することによってのみマッピングされたサブチャネル又はサブキャリアにおける端末に対応する部分を学習するものとしてよく、他の部分を０に設定するものとしてよいとともに、図３０への参照がなされてよい。
【０４７６】
適宜、アップリンクＯＦＤＭＡデータ情報は、ＯＦＤＭＡ  ＡＣＫ要求又はＯＦＤＭＡ  ＢＡ要求を運び、ＯＦＤＭＡ  ＡＣＫ要求又はＯＦＤＭＡ  ＢＡ要求は、ＯＦＤＭＡモードにおいてＡＣＫ応答又はＢＡ応答を端末に送信するようにアクセスポイントに指示するためにさらに使用され、その場合に、送信機３０は、受信機３１が対応するサブチャネル上で端末によって送信されたアップリンクＯＦＤＭＡデータ情報を受信した後に、ＯＦＤＭＡモードにおいて端末に対応するサブチャネル上でアップリンクＯＦＤＭＡデータ情報に対応するＡＣＫ応答又はＢＡ応答を送信するようにさらに構成される。
【０４７７】
適宜、ＯＦＤＭＡ物理層シグナリングは、端末に対応し、アップリンクＯＦＤＭＡデータ情報がアクセスポイントに送信されるとともに、端末に対して割り振られたサブチャネルを端末に示すために特に使用され、その場合に、受信機３１は、送信機３０が直交周波数分割多元接続ＯＦＤＭＡ物理層シグナリングを端末に送信した後に、ＯＦＤＭＡモードにおいて対応するサブチャネル上で端末によって送信されたアップリンクＯＦＤＭＡデータ情報を受信するようにさらに構成される。
【０４７８】
本発明のこの実施形態において提供されるアクセスポイントは、前述のデータ伝送インジケーション方法の実施形態の技術的解決方法を実行するものとしてよく、その実装原理及び技術的効果は類似しており、詳細はここで再び説明されない。
【０４７９】
図３１は、本発明による端末の実施形態４の概略の構造図である。図３１に示されているように、端末は、受信機４０とプロセッサ４１とを備える。
【０４８０】
受信機４０は、アクセスポイントによって送信された直交周波数分割多元接続ＯＦＤＭＡ物理層シグナリングを受信し、ここで、ＯＦＤＭＡ物理層シグナリングは、端末に対してアクセスポイントによって割り振られたサブチャネルを端末に示すために使用され、ここで、ＯＦＤＭＡ物理層シグナリングは、端末の識別子、及び端末の識別子に対応するサブチャネル情報を含む、ように構成される。
【０４８１】
プロセッサ４１は、ＯＦＤＭＡ物理層シグナリングに従って端末に対応するサブチャネルを判定するように構成される。
【０４８２】
本発明のこの実施形態において提供される端末は、前述のデータ伝送インジケーション方法の実施形態の技術的解決方法を実行するものとしてよく、その実装原理及び技術的効果は類似しており、詳細はここで再び説明されない。
【０４８３】
適宜、端末の識別子は、１つ又は複数の端末グループの識別子であり、各端末グループは、少なくとも１つの端末を含み、その場合に、端末に対して割り振られたサブチャネルを端末に示すために使用されているＯＦＤＭＡ物理層シグナリングは、各端末グループに、割り振られたサブチャネルがアップリンクサブチャネル又はダウンリンクサブチャネル又はアップリンク及びダウンリンク双方向サブチャネルであることを示すために使用されているＯＦＤＭＡ物理層シグナリングを含み、ここで、端末グループ及びサブチャネルは一対一の対応関係にある。
【０４８４】
受信機４０は、アクセスポイントによって送信された直交周波数分割多元接続ＯＦＤＭＡ物理層シグナリングが受信される前に、端末グループの識別子と端末のアドレスとの間のマッピング関係を受信し、ここで、マッピング関係はアクセスポイントによって送信される、ようにさらに構成されるものとしてよく、その場合に、プロセッサ４１は、マッピング関係に従って、端末が端末グループ内に配置されていることを判定し、その場合に、端末グループに対応するサブチャネルが、端末に対応するサブチャネルであることを判定するように特に構成される。
【０４８５】
適宜、端末の識別子は、１つの端末グループの識別子であり、端末グループは、少なくとも２つの端末を含み、その場合に、端末に対して割り振られたサブチャネルを端末に示すために使用されているＯＦＤＭＡ物理層シグナリングは、端末グループ内の各端末に、割り振られたサブチャネルがアップリンクサブチャネル又はダウンリンクサブチャネル又はアップリンク及びダウンリンク双方向サブチャネルであることを示すために使用されているＯＦＤＭＡ物理層シグナリングを含み、ここで、端末グループ内の端末及びサブチャネルは一対一の対応関係にある。
【０４８６】
本発明のこの実施形態において提供される端末は、前述のデータ伝送インジケーション方法の実施形態の技術的解決方法を実行するものとしてよく、その実装原理及び技術的効果は類似しており、詳細はここで再び説明されない。
【０４８７】
さらに、受信機４０は、アクセスポイントによって送信された直交周波数分割多重化ＯＦＤＭプリアンブルを受信し、ここで、ＯＦＤＭプリアンブルは、ＯＦＤＭＡ物理層シグナリングを運ぶ、ように特に構成される。
【０４８８】
適宜、受信機４０は、アクセスポイントによって送信されたヌルデータパケットアナウンスメントＮＤＰＡフレームを受信し、ここで、ＮＤＰＡフレームは、前述のＯＦＤＭＡ物理層シグナリングを運ぶ、ようにさらに構成されるものとしてよい。
【０４８９】
適宜、受信機４０は、アクセスポイントによって送信されたＮＤＰＡフレーム及びＯＦＤＭプリアンブルを受信し、ここで、ＮＤＰＡフレームは、ＯＦＤＭＡ物理層シグナリングにおける端末の識別子を運び、そしてＯＦＤＭプリアンブルは、端末の識別子に対応するとともに、ＯＦＤＭＡ物理層シグナリング内にあるサブチャネル情報を運ぶ、ようにさらに構成されるものとしてよい。
【０４９０】
適宜、受信機４０は、アクセスポイントによって送信されたＮＤＰＡフレーム及びＯＦＤＭプリアンブルを受信し、ここで、ＮＤＰＡフレームは、端末の識別子に対応するとともに、前述のＯＦＤＭＡ物理層シグナリング内にあるサブチャネル情報を運び、そしてＯＦＤＭプリアンブルは、前述のＯＦＤＭＡ物理層シグナリングにおける端末の識別子を運ぶ、ようにさらに構成されるものとしてよい。
【０４９１】
本発明のこの実施形態において提供される端末は、前述のデータ伝送インジケーション方法の実施形態の技術的解決方法を実行するものとしてよく、その実装原理及び技術的効果は類似しており、詳細はここで再び説明されない。
【０４９２】
さらに、ＯＦＤＭＡ物理層シグナリングは、ダウンリンクＯＦＤＭＡデータ情報を受信するためにアクセスポイントによって端末に割り振られたサブチャネルを端末に示すために特に使用され、その場合に、受信機４０は、プロセッサ４１がＯＦＤＭＡ物理層シグナリングに従って端末に対応するサブチャネルを判定した後に、端末に対応するサブチャネル上で、アクセスポイントによって送信されたダウンリンクＯＦＤＭＡデータ情報を受信し、ここで、ダウンリンクＯＦＤＭＡデータ情報は、ＯＦＤＭＡプリアンブル及びＯＦＤＭＡデータを含み、ＯＦＤＭＡプリアンブルは、スイッチングフィールド及びウルトラハイスループットシグナリングＢ  ＵＨＴ−ＳＩＧ−Ｂを含む、ようにさらに構成される。
【０４９３】
さらに、受信機４０は、ＯＦＤＭＡデータに対応するとともに、アクセスポイントによって送信された送信先端末アドレスを受信し、端末が送信先端末アドレスに一致しているかどうかを判定し、もし一致していれば、端末に対応するサブチャネル上で、アクセスポイントによって送信されたダウンリンクＯＦＤＭＡデータ情報を受信するように特に構成される。
【０４９４】
本発明のこの実施形態において提供される端末は、前述のデータ伝送インジケーション方法の実施形態の技術的解決方法を実行するものとしてよく、その実装原理及び技術的効果は類似しており、詳細はここで再び説明されない。
【０４９５】
図３２は、本発明による端末の実施形態５の概略の構造図である。図３１に示されている実施形態に基づき、さらに、端末は、送信機４２をさらに備える。
【０４９６】
適宜、前述のＯＦＤＭＡ物理層シグナリング又は前述のダウンリンクＯＦＤＭＡデータ情報は、ＯＦＤＭＡ確認応答ＡＣＫ要求又はＯＦＤＭＡブロック確認応答ＢＡ要求を運び、ＯＦＤＭＡ  ＡＣＫ要求又はＯＦＤＭＡ  ＢＡ要求は、ＯＦＤＭＡモードにおいてＡＣＫ応答又はＢＡ応答をアクセスポイントに送信するように端末に指示するために使用され、その場合に、前述のＯＦＤＭＡ物理層シグナリングは、端末に対応し、ＡＣＫ応答又はＢＡ応答がアクセスポイントに送信されるとともに、端末に対して割り振られたサブチャネルを示すためにさらに使用され、その場合に、送信機４２は、受信機４０が、端末に対応するサブチャネル上で、アクセスポイントによって送信されたダウンリンクＯＦＤＭＡデータ情報を受信した後に、ＯＦＤＭＡモードにおいて端末に対応するサブチャネル上でアクセスポイントにＡＣＫ応答又はＢＡ応答を送信するように構成される。
【０４９７】
適宜、ＯＦＤＭＡ物理層シグナリングは、端末に対応し、ＡＣＫ応答又はＢＡ応答がアクセスポイントに送信されるとともに、端末に対して割り振られたサブチャネルを示すためにさらに使用され、受信機４０は、アクセスポイントによって送信されたダウンリンクＯＦＤＭＡデータ情報が端末に対応するサブチャネル上で受信された後に、アクセスポイントによって送信されたＡＣＫ要求フレーム又はＢＡ要求フレームを受信し、ここで、ＡＣＫ要求フレーム又はＢＡ要求フレームは専用情報ビットを含み、専用情報ビットは、ＯＦＤＭＡモードにおいてＡＣＫ応答又はＢＡ応答をアクセスポイントに送信するように端末に指示するために使用される、ようにさらに構成されるものとしてよく、送信機４２は、ＯＦＤＭＡモードにおいて端末に対応するサブチャネル上でアクセスポイントにＡＣＫ応答又はＢＡ応答を送信するように構成される。
【０４９８】
適宜、ＯＦＤＭＡ物理層シグナリングは、ＯＦＤＭＡ  ＡＣＫ要求又はＯＦＤＭＡ  ＢＡ要求を運び、ＯＦＤＭＡ  ＡＣＫ要求又はＯＦＤＭＡ  ＢＡ要求は、ＯＦＤＭＡモードにおいてＡＣＫ応答又はＢＡ応答をアクセスポイントに送信するように端末に指示するために使用され、その場合に、ＯＦＤＭＡ物理層シグナリングは、端末に対応し、ＡＣＫ応答又はＢＡ応答がアクセスポイントに送信されるとともに、端末に対して割り振られたサブチャネルを端末に示すために特に使用され、その場合に、受信機４０は、アクセスポイントによって送信されたマルチユーザ多入力多出力ＭＵ−ＭＩＭＯデータ情報を受信し、ここで、ＭＵ−ＭＩＭＯデータ情報は、ＯＦＤＭＡ物理層シグナリングを運ぶ、ようにさらに構成されるものとしてよく、送信機４２は、プロセッサ４１がＯＦＤＭＡ物理層シグナリングに従って端末に対応するサブチャネルを判定した後に、ＯＦＤＭＡモードにおいて端末に対応するサブチャネル上でアクセスポイントにＡＣＫ応答又はＢＡ応答を送信するように構成される。
【０４９９】
適宜、ＯＦＤＭＡ物理層シグナリングは、端末に対応し、ＡＣＫ応答又はＢＡ応答がアクセスポイントに送信されるとともに、端末に対して割り振られたサブチャネルを端末に示すために特に使用され、その場合に、受信機４０は、アクセスポイントによって送信されたＭＵ−ＭＩＭＯデータ情報を受信し、ここでＭＵ−ＭＩＭＯデータ情報はＯＦＤＭＡ物理層シグナリングを運び、そしてアクセスポイントによって送信されたＡＣＫ要求フレーム又はＢＡ要求フレームを受信し、ここで、ＡＣＫ要求フレーム又はＢＡ要求フレームは専用情報ビットを含み、専用情報ビットは、ＯＦＤＭＡモードにおいてＡＣＫ応答又はＢＡ応答をアクセスポイントに送信するように端末に指示するために使用される、ようにさらに構成されるものとしてよく、
送信機４２は、プロセッサ４１がＯＦＤＭＡ物理層シグナリングに従って端末に対応するサブチャネルを判定した後に、ＯＦＤＭＡモードにおいて端末に対応するサブチャネル上でアクセスポイントにＡＣＫ応答又はＢＡ応答を送信するように構成される。
【０５００】
適宜、ＯＦＤＭＡ物理層シグナリングは、端末に対応し、ＡＣＫ応答又はＢＡ応答がアクセスポイントに送信されるとともに、端末に対して割り振られたサブチャネルを端末に示すために特に使用され、その場合に、受信機４０は、アクセスポイントによって送信されたＭＵ−ＭＩＭＯデータ情報を受信するとともに、アクセスポイントによって送信されたＡＣＫ要求フレーム又はＢＡ要求フレームを受信し、ここで、ＡＣＫ要求フレーム又はＢＡ要求フレームは専用情報ビットを含み、専用情報ビットは、ＯＦＤＭＡモードにおいてＡＣＫ応答又はＢＡ応答をアクセスポイントに送信するように端末に指示するために使用され、ＡＣＫ要求フレーム又はＢＡ要求フレームは、ＯＦＤＭＡ物理層シグナリングを運ぶ、ようにさらに構成されるものとしてよく、その場合に、送信機４２は、プロセッサ４１がＯＦＤＭＡ物理層シグナリングに従って端末に対応するサブチャネルを判定した後に、ＯＦＤＭＡモードにおいて端末に対応するサブチャネル上でアクセスポイントにＡＣＫ応答又はＢＡ応答を送信するように構成される。
【０５０１】
適宜、ＯＦＤＭＡ物理層シグナリングは、ＯＦＤＭＡ  ＡＣＫ要求又はＯＦＤＭＡ  ＢＡ要求を運び、ＯＦＤＭＡ  ＡＣＫ要求又はＯＦＤＭＡ  ＢＡ要求は、ＯＦＤＭＡモードにおいてＡＣＫ応答又はＢＡ応答をアクセスポイントに送信するように端末に指示するために使用され、その場合に、ＯＦＤＭＡ物理層シグナリングは、端末に対応し、ＡＣＫ応答又はＢＡ応答がアクセスポイントに送信されるとともに、端末に対して割り振られたサブチャネルを端末に示すために特に使用され、その場合に、受信機４０は、プロセッサ４１がＯＦＤＭＡ物理層シグナリングに従って端末に対応するサブチャネルを判定した後に、端末に対応するサブチャネル上で、アクセスポイントによって送信されたＯＦＤＭＡ＋ＭＵ−ＭＩＭＯデータ情報を受信するようにさらに構成されるものとしてよく、送信機４２は、ＯＦＤＭＡモードにおいて端末に対応するサブチャネル上でアクセスポイントにＡＣＫ応答又はＢＡ応答を送信するように構成される。
【０５０２】
適宜、ＯＦＤＭＡ物理層シグナリングは、端末に対応し、ＡＣＫ応答又はＢＡ応答がアクセスポイントに送信されるとともに、端末に対して割り振られたサブチャネルを端末に示すために特に使用され、その場合に、受信機４０は、プロセッサ４１がＯＦＤＭＡ物理層シグナリングに従って端末に対応するサブチャネルを判定した後に、端末に対応するサブチャネル上で、アクセスポイントによって送信されたＯＦＤＭＡ＋ＭＵ−ＭＩＭＯデータ情報を受信するとともに、アクセスポイントによって送信されたＡＣＫ要求フレーム又はＢＡ要求フレームを受信し、ここで、ＡＣＫ要求フレーム又はＢＡ要求フレームは専用情報ビットを含み、専用情報ビットは、ＯＦＤＭＡモードにおいてＡＣＫ応答又はＢＡ応答をアクセスポイントに送信するように端末に指示するために使用される、ようにさらに構成されるものとしてよく、送信機４２は、ＯＦＤＭＡモードにおいて端末に対応するサブチャネル上でアクセスポイントにＡＣＫ応答又はＢＡ応答を送信するように構成される。
【０５０３】
適宜、ＯＦＤＭＡ物理層シグナリングは、端末に対応し、アップリンクＯＦＤＭＡデータ情報がアクセスポイントに送信されるとともに、端末に対して割り振られたサブチャネルを端末に示すために特に使用され、その場合に、送信機４２は、受信機４０がアクセスポイントによって送信された直交周波数分割多元接続ＯＦＤＭＡ物理層シグナリングを受信する前に、アップリンク伝送フレームをアクセスポイントに送信するようにさらに構成されるものとしてよく、プロセッサ４１がＯＦＤＭＡ物理層シグナリングに従って端末に対応するサブチャネルを判定した後に、ＯＦＤＭＡモードにおいて端末に対応するサブチャネル上でアップリンクＯＦＤＭＡデータ情報をアクセスポイントに送信するようにさらに構成されるものとしてよい。
【０５０４】
適宜、アップリンクＯＦＤＭＡデータ情報は、ＯＦＤＭＡ  ＡＣＫ要求又はＯＦＤＭＡ  ＢＡ要求を運び、ＯＦＤＭＡ  ＡＣＫ要求又はＯＦＤＭＡ  ＢＡ要求は、ＯＦＤＭＡモードにおいてＡＣＫ応答又はＢＡ応答を端末に送信するようにアクセスポイントに指示するためにさらに使用され、その場合に、受信機４０は、送信機４２がアップリンクＯＦＤＭＡデータ情報をアクセスポイントに送信した後に、端末に対応するサブチャネル上で、アップリンクＯＦＤＭＡデータ情報に対応するとともに、アクセスポイントによって送信されたＡＣＫ応答又はＢＡ応答を受信するようにさらに構成されるものとしてよい。
【０５０５】
適宜、ＯＦＤＭＡ物理層シグナリングは、端末に対応し、アップリンクＯＦＤＭＡデータ情報がアクセスポイントに送信されるとともに、端末に対して割り振られたサブチャネルを端末に示すために特に使用され、その場合に、送信機４２は、プロセッサ４１がＯＦＤＭＡ物理層シグナリングに従って端末に対応するサブチャネルを判定した後に、ＯＦＤＭＡモードにおいて端末に対応するサブチャネル上でアップリンクＯＦＤＭＡデータ情報をアクセスポイントに送信するようにさらに構成されるものとしてよい。
【０５０６】
本発明のこの実施形態において提供される端末は、前述のデータ伝送インジケーション方法の実施形態の技術的解決方法を実行するものとしてよく、その実装原理及び技術的効果は類似しており、詳細はここで再び説明されない。
【０５０７】
最後に、前述の実施形態は、本発明の技術的解決策を説明することのみを意図されており、本発明を限定することを意図されていないことに留意されたい。本発明は、前記の実施形態を参照しつつ詳しく説明されているが、それでも、当業者であれば、本発明の実施形態の技術的解決策の範囲から逸脱することなく、前記の実施形態において説明されている技術的解決策に修正を加えるか、又はその一部若しくは全部の技術的特徴に対する同等の置き換えを行うことが可能であることを理解するであろう。
【図１】
2020182238.tif 000010
【図２】
2020182238.tif 000011
【図２ａ】
2020182238.tif 000012
【図２ｂ】
2020182238.tif 000013
【図２ｃ】
2020182238.tif 000014
【図２ｄ】
2020182238.tif 000015
【図３】
2020182238.tif 000016
【図３ａ】
2020182238.tif 000017
【図３ｂ】
2020182238.tif 000018
【図４】
2020182238.tif 000019
【図４ａ】
2020182238.tif 000020
【図４ｂ】
2020182238.tif 000021
【図５】
2020182238.tif 000022
【図６】
2020182238.tif 000023
【図７】
2020182238.tif 000024
【図８】
2020182238.tif 000025
【図９】
2020182238.tif 000026
【図１０】
2020182238.tif 000027
【図１０ａ】
2020182238.tif 000028
【図１０ｂ】
2020182238.tif 000029
【図１１】
2020182238.tif 000030
【図１１ａ】
2020182238.tif 000031
【図１１ｂ】
2020182238.tif 000032
【図１２】
2020182238.tif 000033
【図１３】
2020182238.tif 000034
【図１４】
2020182238.tif 000035
【図１５】
2020182238.tif 000036
【図１６】
2020182238.tif 000037
【図１７】
2020182238.tif 000038
【図１８】
2020182238.tif 000039
【図１９】
2020182238.tif 000040
【図２０】
2020182238.tif 000041
【図２１】
2020182238.tif 000042
【図２２】
2020182238.tif 000043
【図２３】
2020182238.tif 000044
【図２４】
2020182238.tif 000045
【図２５】
2020182238.tif 000046
【図２６】
2020182238.tif 000047
【図２７】
2020182238.tif 000048
【図２８】
2020182238.tif 000049
【図２９】
2020182238.tif 000050
【図３０】
2020182238.tif 000051
【図３１】
2020182238.tif 000052
【図３２】
2020182238.tif 000053
【手続補正書】
【提出日】令和2年7月22日(2020.7.22)
【手続補正１】
【補正対象書類名】特許請求の範囲
【補正対象項目名】全文
【補正方法】変更
【補正の内容】
【特許請求の範囲】
【請求項１】
データ伝送インジケーション方法であって、
アクセスポイントにより、直交周波数分割多重化（ＯＦＤＭ）を使用することによって、直交周波数分割多元接続（ＯＦＤＭＡ）物理層シグナリングを端末に送信するステップであって、前記ＯＦＤＭＡ物理層シグナリングは、ダウンリンクＯＦＤＭＡデータ情報を受信するために前記端末に対して割り振られた第１のサブチャネルを前記端末に示す、ステップと、
前記アクセスポイントにより、ＯＦＤＭＡを使用して、前記端末に対して割り振られた前記第１のサブチャネル上で前記ダウンリンクＯＦＤＭＡデータ情報を送信するステップと、
前記アクセスポイントにより、要求フレームを前記端末に送信するステップであって、前記要求フレームは、ＯＦＤＭＡを使用することによって前記ダウンリンクＯＦＤＭＡデータ情報の応答を前記アクセスポイントに送信するように前記端末に命令する第１の部分を含み、前記応答は、ＡＣＫ応答又はＢＡ応答の１つであり、前記ダウンリンクＯＦＤＭＡデータ情報は、ＯＦＤＭＡを使用するように命令する前記第１の部分に従って、ＯＦＤＭＡを使用することによって前記応答を前記アクセスポイントに送信するために前記端末に割り振られた第２のサブチャネルを示す第２の部分を含む、ステップと、
前記アクセスポイントにより、前記第２のサブチャネル上でＯＦＤＭＡを使用することによって前記端末により送信された前記応答を受信するステップとを含む方法。
【請求項２】
前記アクセスポイントにより、ＯＦＤＭＡを使用することによって、前記第２のサブチャネル上で前記端末からアップリンクＯＦＤＭＡデータ情報を受信するステップをさらに含む請求項１に記載の方法。
【請求項３】
チャネル帯域幅は１つ又は複数の２０ＭＨｚであり、ＯＦＤＭＡを使用することによる前記チャネル帯域幅のサブキャリアの量は、ＯＦＤＭを使用することによる前記チャネル帯域幅のサブキャリアの量のＫ倍であり、Ｋは整数である請求項１に記載の方法。
【請求項４】
ＯＦＤＭＡを使用することによるサブキャリアの量は、２０ＭＨｚあたり６４＊Ｋである請求項３に記載の方法。
【請求項５】
前記第１のサブチャネル及び前記第２のサブチャネルは、それぞれ１つ又は複数のサブキャリアを含む請求項１に記載の方法。
【請求項６】
前記ＯＦＤＭＡ物理層シグナリングは、前記端末の識別子及び前記第１のサブチャネルの情報を含む請求項１に記載の方法。
【請求項７】
送信機と受信機とプロセッサと非一時的なコンピュータ読み取り可能な媒体とを含み、アクセスポイントとして動作するネットワーク装置であって、
前記非一時的なコンピュータ読み取り可能な媒体は、前記プロセッサにより実行されると、
前記プロセッサと連携して動作する前記送信機により、直交周波数分割多重化（ＯＦＤＭ）を使用して、直交周波数分割多元接続（ＯＦＤＭＡ）物理層シグナリングを端末に送信し、ここで、前記ＯＦＤＭＡ物理層シグナリングは、ダウンリンクＯＦＤＭＡデータ情報を受信するために前記端末に対して割り振られた第１のサブチャネルを前記端末に示し、
前記プロセッサと連携して動作する前記送信機により、ＯＦＤＭＡを使用して、前記端末に対して割り振られた前記第１のサブチャネル上で前記ダウンリンクＯＦＤＭＡデータ情報を送信し、
前記プロセッサと連携して動作する前記送信機により、要求フレームを前記端末に送信し、ここで、前記要求フレームは、ＯＦＤＭＡを使用することによって前記ダウンリンクＯＦＤＭＡデータ情報の応答を前記アクセスポイントに送信するように前記端末に命令する第１の部分を含み、前記応答は、ＡＣＫ応答又はＢＡ応答の１つであり、前記ダウンリンクＯＦＤＭＡデータ情報は、ＯＦＤＭＡを使用するように命令する前記第１の部分に従って、ＯＦＤＭＡを使用することによって前記応答を前記アクセスポイントに送信するために前記端末に割り振られた第２のサブチャネルを示す第２の部分を含み、
前記プロセッサと連携して動作する前記受信機により、前記第２のサブチャネル上でＯＦＤＭＡを使用することによって前記端末により送信された前記応答を受信する
ように、前記送信機及び前記受信機が前記プロセッサと連携して動作する方法を実行するのを促すコンピュータ実行可能命令を含む、ネットワーク装置。
【請求項８】
前記受信機は、ＯＦＤＭＡを使用することによって、前記第２のサブチャネル上で前記端末からアップリンクＯＦＤＭＡデータ情報を受信するようにさらに構成される請求項７に記載のネットワーク装置。
【請求項９】
チャネル帯域幅は１つ又は複数の２０ＭＨｚであり、ＯＦＤＭＡを使用することによる前記チャネル帯域幅のサブキャリアの量は、ＯＦＤＭを使用することによる前記チャネル帯域幅のサブキャリアの量のＫ倍であり、Ｋは整数である請求項７に記載のネットワーク装置。
【請求項１０】
ＯＦＤＭＡを使用することによるサブキャリアの量は、２０ＭＨｚあたり６４＊Ｋである請求項９に記載のネットワーク装置。
【請求項１１】
前記第１のサブチャネル及び前記第２のサブチャネルは、それぞれ１つ又は複数のサブキャリアを含む請求項７に記載のネットワーク装置。
【請求項１２】
前記ＯＦＤＭＡ物理層シグナリングは、前記端末の識別子及び前記第１のサブチャネルの情報を含む請求項７に記載のネットワーク装置。
【請求項１３】
データ伝送インジケーション方法であって、
端末により、アクセスポイントから直交周波数分割多元接続（ＯＦＤＭＡ）物理層シグナリングを受信するステップであって、前記ＯＦＤＭＡ物理層シグナリングは、ダウンリンクＯＦＤＭＡデータ情報を受信するために前記端末に対して割り振られた第１のサブチャネルを前記端末に示す、ステップと、
前記端末により、前記端末に対して割り振られた前記第１のサブチャネル上で前記ダウンリンクＯＦＤＭＡデータ情報を受信するステップと、
前記端末により、前記端末への要求フレームを受信するステップであって、前記要求フレームは、ＯＦＤＭＡを使用することによって前記ダウンリンクＯＦＤＭＡデータ情報の応答を前記アクセスポイントに送信するように前記端末に命令する第１の部分を含み、前記応答は、ＡＣＫ応答又はＢＡ応答の１つであり、前記ダウンリンクＯＦＤＭＡデータ情報は、ＯＦＤＭＡを使用するように命令する前記第１の部分に従って、ＯＦＤＭＡを使用することによって前記応答を前記アクセスポイントに送信するために前記端末に割り振られた第２のサブチャネルを示す第２の部分を含む、ステップと、
前記端末により、ＯＦＤＭＡを使用することによって、前記第２のサブチャネル上で前記応答を前記アクセスポイントに送信するステップとを含む方法。
【請求項１４】
前記端末により、ＯＦＤＭＡを使用することによって、前記第２のサブチャネル上でアップリンクＯＦＤＭＡデータ情報を前記アクセスポイントに送信するステップをさらに含む請求項１３に記載の方法。
【請求項１５】
チャネル帯域幅は１つ又は複数の２０ＭＨｚであり、ＯＦＤＭＡを使用することによる前記チャネル帯域幅のサブキャリアの量は、ＯＦＤＭを使用することによる前記チャネル帯域幅のサブキャリアの量のＫ倍であり、Ｋは整数である請求項１３に記載の方法。
【請求項１６】
ＯＦＤＭＡを使用することによるサブキャリアの量は、２０ＭＨｚあたり６４＊Ｋである請求項１５に記載の方法。
【請求項１７】
前記第１のサブチャネル及び前記第２のサブチャネルは、それぞれ１つ又は複数のサブキャリアを含む請求項１３に記載の方法。
【請求項１８】
前記ＯＦＤＭＡ物理層シグナリングは、前記端末の識別子及び前記第１のサブチャネルの情報を含む請求項１３に記載の方法。
【請求項１９】
送信機と受信機とプロセッサと非一時的なコンピュータ読み取り可能な媒体とを含み、端末として動作するネットワーク装置であって、
前記非一時的なコンピュータ読み取り可能な媒体は、前記プロセッサにより実行されると、
前記プロセッサと連携して動作する前記受信機により、アクセスポイントから直交周波数分割多元接続（ＯＦＤＭＡ）物理層シグナリングを受信し、ここで、前記ＯＦＤＭＡ物理層シグナリングは、ダウンリンクＯＦＤＭＡデータ情報を受信するために前記端末に対して割り振られた第１のサブチャネルを前記端末に示し、
前記プロセッサと連携して動作する前記受信機により、前記端末に対して割り振られた前記第１のサブチャネル上で前記ダウンリンクＯＦＤＭＡデータ情報を受信し、
前記プロセッサと連携して動作する前記受信機により、前記端末への要求フレームを受信し、ここで、前記要求フレームは、ＯＦＤＭＡを使用することによって前記ダウンリンクＯＦＤＭＡデータ情報の応答を前記アクセスポイントに送信するように前記端末に命令する第１の部分を含み、前記応答は、ＡＣＫ応答又はＢＡ応答の１つであり、前記ダウンリンクＯＦＤＭＡデータ情報は、ＯＦＤＭＡを使用するように命令する前記第１の部分に従って、ＯＦＤＭＡを使用することによって前記応答を前記アクセスポイントに送信するために前記端末に割り振られた第２のサブチャネルを示す第２の部分を含み、
前記プロセッサと連携して動作する前記送信機により、ＯＦＤＭＡを使用して、前記第２のサブチャネル上で前記応答を前記アクセスポイントに送信する
ように、前記送信機及び前記受信機が前記プロセッサと連携して動作する方法を実行するのを促すコンピュータ実行可能命令を含む、ネットワーク装置。
【請求項２０】
前記送信機は、ＯＦＤＭＡを使用することによって、前記第２のサブチャネル上でアップリンクＯＦＤＭＡデータ情報を前記アクセスポイントに送信するようにさらに構成される請求項１９に記載のネットワーク装置。
【請求項２１】
チャネル帯域幅は１つ又は複数の２０ＭＨｚであり、ＯＦＤＭＡを使用することによる前記チャネル帯域幅のサブキャリアの量は、ＯＦＤＭを使用することによる前記チャネル帯域幅のサブキャリアの量のＫ倍であり、Ｋは整数である請求項１９に記載のネットワーク装置。
【請求項２２】
ＯＦＤＭＡを使用することによるサブキャリアの量は、２０ＭＨｚあたり６４＊Ｋである請求項２１に記載のネットワーク装置。
【請求項２３】
前記第１のサブチャネル及び前記第２のサブチャネルは、それぞれ１つ又は複数のサブキャリアを含む請求項２２に記載のネットワーク装置。
【請求項２４】
前記ＯＦＤＭＡ物理層シグナリングは、前記端末の識別子及び前記第１のサブチャネルの情報を含む請求項１９に記載のネットワーク装置。
【外国語明細書】
2020182238000001.pdf